(57)【要約】【課題】ＣＩｏＴ端末に好適なアタッチ等の通信手続きを提供する。【解決手段】少なくともＰＤＮ（Ｐａｃｋｅｔ  Ｄａｔａ  Ｎｅｔｗｏｒｋ）アドレスを含むアタッチ受諾メッセージをコアネットワークから受信するステップと、前記ＰＤＮ（Ｐａｃｋｅｔ  Ｄａｔａ  Ｎｅｔｗｏｒｋ）アドレスに基づいて、ＰＤＮ（Ｐａｃｋｅｔ  Ｄａｔａ  Ｎｅｔｗｏｒｋ）コネクション、及び／又は、ユーザデータ送受信用の無線ベアラを確立するステップと、を有する。【選択図】図２３
2019004197.tif 000002
【特許請求の範囲】
【請求項１】
端末装置の通信制御方法であって、
少なくともＰＤＮ（Ｐａｃｋｅｔ  Ｄａｔａ  Ｎｅｔｗｏｒｋ）アドレスを含むアタッチ受諾メッセージをコアネットワークから受信するステップと、
前記ＰＤＮアドレスに基づいて、ＰＤＮ（Ｐａｃｋｅｔ  Ｄａｔａ  Ｎｅｔｗｏｒｋ）コネクション、及び／又は、ユーザデータ送受信用の無線ベアラを確立するステップと、
を有することを特徴とする端末装置の通信制御方法。
【請求項２】
前記ＰＤＮアドレスのＩＰｖ４アドレスフィールドがゼロの場合、及び／又は前記ＰＤＮアドレスがＤＨＣＰを用いてアドレス割り当てを行われることを示す場合、及び／又は前記ＰＤＮアドレスがＩＰｖ６アドレスのインターフェース識別情報である場合には、前記ＰＤＮコネクション、及び／又は、前記ユーザデータ送受信用の無線ベアラを確立する
ことを特徴とする請求項１の端末装置の通信制御方法。
【請求項３】
第１の識別情報は、ＩｏＴ（Ｉｎｔｅｒｎｅｔ  ｏｆ  Ｔｈｉｎｇｓ）のために最適化されたシステムへの接続したことを示す情報であり、
前記アタッチ受諾メッセージは、前記第１の識別情報を含む
ことを特徴とする請求項１に記載の端末装置の通信制御方法。
【請求項４】
第２の識別情報は、制御メッセージを送受信するための無線ベアラを用いてユーザデータを送信するネットワーク能力を有することを示す情報、及び／又は、制御メッセージを送受信するための無線ベアラを用いてユーザデータを送信すること許可することを示す情報であり、
前記アタッチ受諾メッセージは、前記第２の識別情報を含む
ことを特徴とする請求項１に記載の端末装置の通信制御方法。
【請求項５】
前記ＰＤＮコネクション、及び／又は、前記ユーザデータ送受信用の無線ベアラを用いてＩＰｖ４アドレス及び／又はＩＰｖ６ネットワークプリフィックスを受信するステップと、
前記ＩＰｖ４アドレス及び／又はＩＰｖ６ネットワークプリフィックスの受信後、前記ＰＤＮコネクション、及び／又は、前記ユーザデータ送受信用の無線ベアラを削除するステップと
を有することを特徴とする請求項１に記載の端末装置の通信制御方法。
【請求項６】
Ｃ−ＳＧＮ（ＣＩｏＴ  Ｓｅｒｖｉｎｇ  Ｇａｔｅｗａｙ  Ｎｏｄｅ）の通信制御方法であって、
少なくともＰＤＮ（Ｐａｃｋｅｔ  Ｄａｔａ  Ｎｅｔｗｏｒｋ）アドレスを含むアタッチ受諾メッセージを端末装置に送信するステップと、
前記ＰＤＮアドレスに基づいて、ＰＤＮ（Ｐａｃｋｅｔ  Ｄａｔａ  Ｎｅｔｗｏｒｋ）コネクション、及び／又は、ユーザデータ送受信用の無線ベアラを確立するステップと、
を有することを特徴とするＣ−ＳＧＮの通信制御方法。
【請求項７】
前記ＰＤＮアドレスのＩＰｖ４アドレスフィールドがゼロの場合、及び／又は前記ＰＤＮアドレスがＤＨＣＰを用いてアドレス割り当てを行われることを示す場合、及び／又は前記ＰＤＮアドレスがＩＰｖ６アドレスのインターフェース識別情報である場合には、前記ＰＤＮコネクション、及び／又は、前記ユーザデータ送受信用の無線ベアラを確立する
ことを特徴とする請求項６に記載のＣ−ＳＧＮの通信制御方法。
【請求項８】
第１の識別情報は、ＩｏＴ（Ｉｎｔｅｒｎｅｔ  ｏｆ  Ｔｈｉｎｇｓ）のために最適化
されたシステムへの接続したことを示す情報であり、
前記アタッチ受諾メッセージは、前記第１の識別情報を含めるステップと
を更に有することを特徴とする請求項６に記載のＣ−ＳＧＮの通信制御方法。
【請求項９】
第２の識別情報は、制御メッセージを送受信するための無線ベアラを用いてユーザデータを送信するネットワーク能力を有することを示す情報、及び／又は、制御メッセージを送受信するための無線ベアラを用いてユーザデータを送信すること許可することを示す情報であり、
前記アタッチ受諾メッセージは、前記第２の識別情報を含めるステップと
を更に有することを特徴とする請求項６に記載のＣ−ＳＧＮの通信制御方法。
【請求項１０】
前記端末装置がＩＰｖ４アドレス及び又はＩＰｖ６ネットワークプリフィックスを受信してＩＰアドレスを生成したことに基づいて送信される制御情報を受信し、
前記制御情報の受信に基づいて、前記ＰＤＮコネクション、及び／又は、前記ユーザデータ送受信用の無線ベアラを削除するステップと
を更に有することを特徴とする請求項６に記載のＣ−ＳＧＮの通信制御方法。
【請求項１１】
端末装置であって、
少なくともＰＤＮ（Ｐａｃｋｅｔ  Ｄａｔａ  Ｎｅｔｗｏｒｋ）アドレスを含むアタッチ受諾メッセージをコアネットワークから受信する送受信部と、
前記ＰＤＮアドレスに基づいて、ＰＤＮ（Ｐａｃｋｅｔ  Ｄａｔａ  Ｎｅｔｗｏｒｋ）コネクション、及び／又は、ユーザデータ送受信用の無線ベアラを確立する制御部と、
を有することを特徴とする端末装置。
【請求項１２】
前記制御部は、
前記ＰＤＮアドレスのＩＰｖ４アドレスフィールドがゼロの場合、及び／又は、前記ＰＤＮアドレスがＤＨＣＰを用いてアドレス割り当てを行うことを示す場合、及び／又は、前記ＰＤＮアドレスがＩＰｖ６アドレスのインターフェース識別情報である場合には、前記ＰＤＮコネクション、及び／又は、前記ユーザデータ送受信用の無線ベアラを確立する
ことを特徴とする請求項１１の端末装置。
【請求項１３】
第１の識別情報は、ＩｏＴ（Ｉｎｔｅｒｎｅｔ  ｏｆ  Ｔｈｉｎｇｓ）のために最適化されたシステムへの接続したことを示す情報であり、
前記アタッチ受諾メッセージは、前記第１の識別情報を含む
ことを特徴とする請求項１１の端末装置。
【請求項１４】
第２の識別情報は、制御メッセージを送受信するための無線ベアラを用いてユーザデータを送信するネットワーク能力を有することを示す情報、及び／又は、制御メッセージを送受信するための無線ベアラを用いてユーザデータを送信すること許可することを示す情報であり、
前記アタッチ受諾メッセージは、前記第２の識別情報を含む
ことを特徴とする請求項１１の端末装置。
【請求項１５】
前記送受信部は、
前記ＰＤＮコネクション、及び／又は、前記ユーザデータ送受信用の無線ベアラを用いてＩＰｖ４アドレス及び又はＩＰｖ６ネットワークプリフィックスを受信し、
前記制御部は、
前記ＩＰｖ４アドレス、及び／又は、ＩＰｖ６ネットワークプリフィックスの受信後、前記ＰＤＮコネクション、及び／又は、前記ユーザデータ送受信用の無線ベアラを削除する
ことを特徴とする請求項１１の端末装置。
【請求項１６】
Ｃ−ＳＧＮ（ＣＩｏＴ  Ｓｅｒｖｉｎｇ  Ｇａｔｅｗａｙ  Ｎｏｄｅ）であって、
少なくともＰＤＮ（Ｐａｃｋｅｔ  Ｄａｔａ  Ｎｅｔｗｏｒｋ）アドレスを含むアタッチ受諾メッセージを端末装置に送信する送受信部と、
前記ＰＤＮアドレスに基づいて、ＰＤＮ（Ｐａｃｋｅｔ  Ｄａｔａ  Ｎｅｔｗｏｒｋ）コネクション、及び／又は、ユーザデータ送受信用の無線ベアラを確立する制御部と、
を有することを特徴とするＣ−ＳＧＮ。
【請求項１７】
前記制御部は、
前記ＰＤＮアドレスのＩＰｖ４アドレスフィールドがゼロの場合、及び／又は、前記ＰＤＮアドレスがＤＨＣＰを用いてアドレス割り当てを行うことを示す場合、及び／又は、前記ＰＤＮアドレスがＩＰｖ６アドレスのインターフェース識別情報である場合には、前記ＰＤＮコネクション、及び／又は、前記ユーザデータ送受信用の無線ベアラを確立する
ことを特徴とする請求項１６に記載のＣ−ＳＧＮ。
【請求項１８】
第１の識別情報は、ＩｏＴ（Ｉｎｔｅｒｎｅｔ  ｏｆ  Ｔｈｉｎｇｓ）のために最適化されたシステムへの接続したことを示す情報であり、
前記制御部は、
前記アタッチ受諾メッセージに前記第１の識別情報を含める
ことを特徴とする請求項１６に記載のＣ−ＳＧＮ。
【請求項１９】
第２の識別情報は、制御メッセージを送受信するための無線ベアラを用いてユーザデータを送信するネットワーク能力を有することを示す情報、及び／又は、制御メッセージを送受信するための無線ベアラを用いてユーザデータを送信すること許可することを示す情報であり、
前記制御部は、
前記アタッチ受諾メッセージに前記第２の識別情報を含める
ことを特徴とする請求項１６に記載のＣ−ＳＧＮ。
【請求項２０】
前記送受信部は、
前記端末装置がＩＰｖ４アドレス及び／又は、ＩＰｖ６ネットワークプリフィックスを受信してＩＰアドレスを生成したことに基づいて送信する制御情報を受信し、
前記制御部は、
前記制御情報の受信に基づいて、前記ＰＤＮコネクション、及び／又は、前記ユーザデータ送受信用の無線ベアラを削除する
ことを特徴とする請求項１６に記載のＣ−ＳＧＮ。
【発明の詳細な説明】
【技術分野】
【０００１】
本発明は、端末装置、Ｃ−ＳＧＮおよび通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ
Ｅｖｏｌｕｔｉｏｎ）のシステムアーキテクチャであるＳＡＥ（Ｓｙｓｔｅｍ  Ａｒｃｈｉｔｅｃｔｕｒｅ  Ｅｎｈａｎｃｅｍｅｎｔ）の検討を行っている。３ＧＰＰは、オールＩＰ化を実現する、ＥＰＳ（Ｅｖｏｌｖｅｄ  Ｐａｃｋｅｔ  Ｓｙｓｔｅｍ）の仕様化を行っている。なお、ＬＴＥのコアネットワークはＥＰＣ（Ｅｖｏｌｖｅｄ  Ｐａｃｋｅｔ  Ｃｏｒｅ）と呼ばれる。
【０００３】
また、近年３ＧＰＰでは、Ｍ２Ｍ（Ｍａｃｈｉｎｅ  ｔｏ  Ｍａｃｈｉｎｅ）通信技術の検討を行っている。なお、Ｍ２Ｍ通信とはマシンマシン型通信であってよい。３ＧＰＰでは、特に、ＩｏＴ（Ｉｎｔｅｒｎｅｔ  ｏｆ  Ｔｈｉｎｇｓ）を３ＧＰＰのセルラーネットワークサポートするための技術としてＣＩｏＴ（Ｃｅｌｌｕｌａｒ  Ｉｎｔｅｒｎｅｔ  ｏｆ  Ｔｈｉｎｇｓ）の検討を行っている。
【０００４】
ＩｏＴとは、スマートフォン等の携帯電話端末を含み、パソコンやセンサー装置などの様々なＩＴ機器を指し、ＣＩｏＴでは、こうした様々な端末装置をセルラーネットワークに接続するための技術課題を抽出し、解決策を仕様化している。
【０００５】
例えば、ＣＩｏＴでは、バッテリーが数年間維持できるようにするなどの電力消費の高効率化が必要な端末のための通信手続きの最適化や、屋内や地下状態における通信への対応や、安価に大量生産した大量の端末に対する接続性の提供などが要求される。更に、ＣＩｏＴは、簡易なエンドノードによる低データレート通信をサポートすることも要求条件として挙げられている。
【０００６】
なお、本稿では、これらの３ＧＰＰのコアネットワークへの接続が許可された端末をＣＩｏＴ端末と表現とする。
【先行技術文献】
【非特許文献】
【０００７】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ａｒｃｈｉｔｅｃｔｕｒｅ  ｅｎｈａｎｃｅｍｅｎｔｓ  ｆｏｒ  Ｃｅｌｌｕｌａｒ  Ｉｎｔｅｒｎｅｔ  ｏｆ  Ｔｈｉｎｇｓ；  （Ｒｅｌｅａｓｅ  １３）
【発明の概要】
【発明が解決しようとする課題】
【０００８】
ＣＩｏＴでは、制御信号の効率化のために、複数の機能を持つ機能部をコアネットワーク内に配置する事を検討している。具体的には、従来のＭＭＥとＳＧＷとＰＧＷの機能を担うＣ−ＳＧＮ（ＣＩｏＴ  Ｓｅｒｖｉｎｇ  Ｇａｔｅｗａｙ  Ｎｏｄｅ）をコアネットワークに設けることを検討している。
【０００９】
３ＧＰＰでは、ＣＩｏＴ端末がＣＩｏＴのアクセスネットワークを介して、コアネット
ワークに接続する事が検討されている。
【００１０】
なお、ＣＩｏＴ端末が接続するコアネットワークは、スマートフォン等の携帯電話端末を収容する従来のコアネットワークであってもよいし、論理的に分割されたＣＩｏＴ端末を収容するためのコアネットワークであってもよいし、物理的に従来のコアネットワークとは異なるコアネットワークであってもよい。  しかし、これらのコアネットワークへの接続方法およびデータの送受信の手順が明らかになっていない。
【００１１】
本発明は、このような事情を鑑みてなされたもので、その目的は、ＣＩｏＴ端末に好適なアタッチ等の通信手続きを提供する事である。
【課題を解決するための手段】
【００１２】
上記の目標を達成するために、端末装置の通信制御方法は、少なくともＰＤＮ（Ｐａｃｋｅｔ  Ｄａｔａ  Ｎｅｔｗｏｒｋ）アドレスを含むアタッチ受諾メッセージをコアネットワークから受信するステップと、ＰＤＮアドレスに基づいて、ＰＤＮ（Ｐａｃｋｅｔ  Ｄａｔａ  Ｎｅｔｗｏｒｋ）コネクション、及び又は、ユーザデータ送受信用の無線ベアラを確立するステップと、を有する。
【００１３】
また、Ｃ−ＳＧＮ（ＣＩｏＴ  Ｓｅｒｖｉｎｇ  Ｇａｔｅｗａｙ  Ｎｏｄｅ）の通信制御方法は、少なくともＰＤＮ（Ｐａｃｋｅｔ  Ｄａｔａ  Ｎｅｔｗｏｒｋ）アドレスを含むアタッチ受諾メッセージを端末装置に送信するステップと、ＰＤＮアドレスに基づいて、ＰＤＮ（Ｐａｃｋｅｔ  Ｄａｔａ  Ｎｅｔｗｏｒｋ）コネクション、及び又は、ユーザデータ送受信用の無線ベアラを確立するステップと、を有する。
【００１４】
また、本発明の端末装置は、少なくともＰＤＮ（Ｐａｃｋｅｔ  Ｄａｔａ  Ｎｅｔｗｏｒｋ）アドレスを含むアタッチ受諾メッセージをコアネットワークから受信する送受信部と、ＰＤＮアドレスに基づいて、ＰＤＮ（Ｐａｃｋｅｔ  Ｄａｔａ  Ｎｅｔｗｏｒｋ）コネクション、及び又は、ユーザデータ送受信用の無線ベアラを確立する制御部と、を有する。
【００１５】
また、本発明のＣ−ＳＧＮ（ＣＩｏＴ  Ｓｅｒｖｉｎｇ  Ｇａｔｅｗａｙ  Ｎｏｄｅ）は、少なくともＰＤＮ（Ｐａｃｋｅｔ  Ｄａｔａ  Ｎｅｔｗｏｒｋ）アドレスを含むアタッチ受諾メッセージを端末装置に送信する送受信部と、ＰＤＮアドレスに基づいて、ＰＤＮ（Ｐａｃｋｅｔ  Ｄａｔａ  Ｎｅｔｗｏｒｋ）コネクション、及び又は、ユーザデータ送受信用の無線ベアラを確立する制御部と、を有する。
【発明の効果】
【００１６】
本発明によれば、ＣＩｏＴ端末は、ＣＩｏＴ端末に最適化されたユーザデータ送信方法をはじめとする複数の送信方法を提供可能なコアネットワークへアタッチ及び又はデタッチし、通信することができる。
【図面の簡単な説明】
【００１７】
【図１】移動通信システムの概略を説明するための図である。
【図２】ＩＰ移動通信ネットワークの構成等の一例を説明するための図である。
【図３】ＩＰ移動通信ネットワークの構成等の一例を説明するための図である。
【図４】ｅＮＢの装置構成を説明するための図である。
【図５】ネットワーク主導のデタッチ手続きを説明するための図である。
【図６】ＭＭＥの装置構成を説明するための図である。
【図７】ＭＭＥの記憶部を説明するための図である。
【図８】ＭＭＥの記憶部を説明するための図である。
【図９】ＭＭＥの記憶部を説明するための図である。
【図１０】ＭＭＥの記憶部を説明するための図である。
【図１１】ＭＭＥの記憶部を説明するための図である。
【図１２】ＭＭＥの記憶部を説明するための図である。
【図１３】ＳＧＷの装置構成を説明するための図である。
【図１４】ＳＧＷの記憶部を説明するための図である。
【図１５】ＳＧＷの記憶部を説明するための図である。
【図１６】ＰＧＷの装置構成を説明するための図である。
【図１７】ＰＧＷの記憶部を説明するための図である。
【図１８】ＰＧＷの記憶部を説明するための図である。
【図１９】Ｃ−ＳＧＮの装置構成を説明するための図である。
【図２０】ＵＥの装置構成を説明するための図である。
【図２１】ＵＥの記憶部を説明するための図である。
【図２２】通信手続きの概要を説明するための図である。
【図２３】第１のアタッチ手続きを説明するための図である。
【図２４】第２のアタッチ手続きを説明するための図である。
【図２５】第３のアタッチ手続きを説明するための図である。
【図２６】第１の送受信手続きを説明するための図である。
【図２７】第２の送受信手続きを説明するための図である。
【図２８】ＵＥ主導のデタッチ手続きを説明するための図である。
【発明を実施するための形態】
【００１８】
以下、図面を参照して本発明を実施する為に最良の形態について説明する。なお、本実施形態では一例として、本発明を適用した場合の移動通信システムの実施形態について説明する。
【００１９】
［１．システム概要］
図１は、本実施形態における移動通信システムの概略を説明するための図である。本図に示すように、移動通信システム１は、移動端末装置ＵＥ＿Ａ１０とｅＮＢ＿Ａ４５とコアネットワーク＿Ａ９０とＰＤＮ＿Ａ５により構成されている。
【００２０】
ここで、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００２１】
また、ＵＥ＿Ａ１０は、ＣＩｏＴ端末であってもよい。なお、ＣＩｏＴ端末とはコアネットワークＡ９０へ接続可能なＩｏＴ端末であり、ＩｏＴ端末とは、スマートフォン等の携帯電話端末を含み、パソコンやセンサー装置などの様々なＩＴ機器であってよい。
【００２２】
つまり、ＵＥ＿Ａ１０がＣＩｏＴ端末である場合、ＵＥ＿Ａ１０はＵＥ＿Ａ１０のポリシーまたはネットワークからの要求に基づいてＣＩｏＴ端末のために最適化された接続を要求してもよいし、従来の接続を要求してもよい。または、ＵＥ＿Ａ１０は、出荷時に予めＣＩｏＴ端末のために最適化された通信手続きによってのみコアネットワーク＿Ａ９０に接続する端末装置として設定されてもよい。
【００２３】
ここで、コアネットワーク＿Ａ９０は、移動通信事業者（Ｍｏｂｉｌｅ  Ｏｐｅｒａｔｏｒ）が運用するＩＰ移動通信ネットワークのことである。
【００２４】
例えば、コアネットワーク＿Ａ９０は移動通信システム１を運用、管理する移動通信事業者のためのコアネットワークであってもよい、またはＭＶＮＯ（Ｍｏｂｉｌｅ  Ｖｉｒ
ｔｕａｌ  Ｎｅｔｗｏｒｋ  Ｏｐｅｒａｔｏｒ）などの仮想移動通信事業者のためのコアネットワークであってよい。または、コアネットワーク＿Ａ９０はＣＩｏＴ端末を収容する為のコアネットワークであってもよい。
【００２５】
また、ｅＮＢ＿Ａ４５はＵＥ＿Ａ１０がコアネットワーク＿Ａ９０に接続するために用いられる無線アクセスネットワークを構成する基地局である。つまり、ＵＥ＿Ａ１０はｅＮＢ＿Ａ４５を用いてコアネットワーク＿Ａ９０に接続する。
【００２６】
また、コアネットワーク＿Ａ９０はＰＤＮ＿Ａ５に接続されている。ＰＤＮ＿Ａ５とは、ＵＥ＿Ａ１０に通信サービスを提供するパケットデータサービス網であり、サービス毎に構成しても良い。ＰＤＮには、通信端末が接続されており、ＵＥ＿Ａ１０はＰＤＮ＿Ａ５に配置された通信端末とユーザデータの送受信を行うことができる。
【００２７】
次に、コアネットワーク＿Ａ９０の構成例を説明する。本実施形態では２つのコアネットワーク＿Ａ９０の構成例を説明する。
【００２８】
図２にコアネットワーク＿９０の構成の第１の一例を示す。図２（ａ）のコアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ（Ｐａｃｋｅｔ  Ｄａｔａ  Ｎｅｔｗｏｒｋ  Ｇａｔｅｗａｙ）＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ（Ｓｅｒｖｉｎｇ  Ｇａｔｅｗａｙ）＿Ａ３５、ＭＭＥ（Ｍｏｂｉｌｉｔｙ  Ｍａｎａｇｅｍｅｎｔ  Ｅｎｔｉｔｙ）＿Ａ４０、ＳＧＳＮ（Ｓｅｒｖｉｎｇ  ＧＰＲＳ  Ｓｕｐｐｏｒｔ  Ｎｏｄｅ）＿Ａ４２により構成される。
【００２９】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００３０】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００３１】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ
ＡＮｂ７５）と、ＰＧＷ＿ＡとＰＣＲＦ＿Ａ６０とＡＡＡ＿Ａ５５とに接続するＷＬＡＮアクセスネットワークａ（ＷＬＡＮ  ＡＮａ７５）とが構成可能である。
【００３２】
なお、各装置はＥＰＳを利用した移動通信システムにおける従来の装置と同様に構成されるため、詳細な説明は省略する。以下、各装置の簡単な説明をする。
【００３３】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５とコアネットワーク＿Ａ９０のゲートウェイ装置としてユーザデータの転送を行う中継装置である。
【００３４】
ＳＧＷ＿Ａ３５は、ＰＧＷ３０とＭＭＥ＿Ａ４０とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０
）とのゲートウェイ装置としてユーザデータの転送を行う中継装置である。
【００３５】
ＭＭＥ＿Ａ４０は、ＳＧＷ＿Ａ３５とＬＴＥ  ＡＮ８０とＨＳＳ＿Ａ５０に接続されており、ＬＴＥ  ＡＮ８０を経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ８０と、ＨＳＳ＿Ａ５０と接続されてよい。
【００３６】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００３７】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００３８】
ＡＡＡ＿Ａ５５は、ＰＧＷ３０と、ＨＳＳ＿Ａ５０と、ＰＣＲＦ＿Ａ６０と、ＷＬＡＮ
ＡＮａ７０とに接続されており、ＷＬＡＮ  ＡＮａ７０を経由して接続するＵＥ＿Ａ１０のアクセス制御を行う。
【００３９】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００４０】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４１】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４２】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４３】
本実施形態においては、ＬＴＥ  ＡＮ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。
【００４４】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００４５】
コアネットワーク＿Ａ９０を運営する事業者とＷＬＡＮ  ＡＮａ７０を運営する事業者が異なる場合でも、事業者間の契約や規約によりこのような構成での実現が可能となる。
【００４６】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００４７】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００４８】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ２２と接続されてよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されてよい。
【００４９】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００５０】
次に、第２のコアネットワーク＿Ａ９０の構成の一例を説明する。例えば、ＵＥ＿Ａ１０がＣＩｏＴ端末である場合、コアネットワーク＿Ａ９０は図３に示す構成であってもよい。図３のコアネットワーク＿Ａ９０は、Ｃ−ＳＧＮ（ＣＩｏＴ  Ｓｅｒｖｉｎｇ  Ｇａｔｅｗａｙ  Ｎｏｄｅ）＿Ａ９５とＨＳＳ＿Ａ５０とで構成される。なお、図２と同様に、コアネットワーク＿Ａ９０は、ＬＴＥ以外のアクセスネットワークとの接続性を提供するために、ＡＡＡ＿Ａ５５及び／またはＰＣＲＦ＿Ａ６０及び／またはｅＰＤＧ＿Ａ６５及び／またはＳＧＳＮ＿Ａ４２がコアネットワーク＿Ａ９０に含まれてもよい。
【００５１】
Ｃ−ＳＧＮ＿Ａ９５は、図２のＭＭＥ＿Ａ４０とＳＧＷ＿Ａ３５とＰＧＷ＿Ａ３０の役割を担うノードであってよい。Ｃ−ＳＧＮ＿Ａ９５はＣＩｏＴ端末のためのノードであってよい。
【００５２】
つまり、Ｃ−ＳＧＮ＿Ａ９５は、ＰＤＮ＿Ａとコアネットワーク＿Ａ９０間のゲートウェイ装置機能及び、コアネットワーク＿Ａ９０とＣＩＯＴ  ＡＮ＿Ａ１００間のゲートウェイ装置機能及び、ＵＥ＿Ａ１０の位置管理機能を有していてよい。
【００５３】
図に示すように、ＵＥ＿Ａ１０は無線アクセスネットワークＣＩＯＴ  ＡＮ＿Ａ１００を介して、コアネットワーク＿Ａ９０に接続する。
【００５４】
図３（ｂ）にＣＩＯＴ  ＡＮ＿Ａ１００の構成を示す。図に示すようにＣＩＯＴ  ＡＮ
＿Ａ１００にはｅＮＢ＿Ａ４５が含まれて構成されてよい。ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と同じ基地局であってよい。または、ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と異なる、ＣＩｏＴのための基地局であってよい。
【００５５】
なお、第１のコアネットワーク及び又は第２のコアネットワークは、ＩｏＴのために最適化されたシステムで構成されてよい。
【００５６】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５７】
［１．２．装置の構成］
以下、各装置の構成について説明する。
【００５８】
［１．２．１．ｅＮＢの構成］
以下、ｅＮＢ＿Ａ４５の構成について説明する。図４はｅＮＢ＿Ａ４５の装置構成を示す。図に示すように、ｅＮＢ＿Ａ４５はネットワーク接続部＿Ａ４２０と、制御部＿Ａ４００と記憶部＿Ａ４４０で構成されている。ネットワーク接続部＿Ａ４２０と記憶部＿Ａ４４０は制御部＿Ａ４００と、バスを介して接続されている。
【００５９】
制御部＿Ａ４００はｅＮＢ＿Ａ４５を制御するための機能部である。制御部＿Ａ４００は、記憶部＿Ａ４４０に記憶されている各種プログラムを読みだして実行することにより各種処理を実現する。
【００６０】
ネットワーク接続部＿Ａ４２０は、ｅＮＢ＿Ａ４５がＭＭＥ＿Ａ４０及び／またはＳＧＷ＿Ａ３５またはＣ−ＳＧＮ＿Ａ９５と接続するための機能部である。さらに、ネットワーク接続部＿Ａ４２０は、ｅＮＢ＿Ａ４５がＭＭＥ＿Ａ４０及び／またはＳＧＷ＿Ａ３５またはＣ−ＳＧＮ＿Ａ９５からユーザデータ及び又は制御データを送受信する送受信機能部である。
【００６１】
記憶部＿Ａ４４０は、ｅＮＢ＿Ａ４５の各動作に必要なプログラムや、データなどを記憶する機能部である。記憶部６４０は、例えば、半導体メモリや、ＨＤＤ（Ｈａｒｄ  Ｄｉｓｋ  Ｄｒｉｖｅ）等により構成されている。
【００６２】
記憶部＿Ａ４４０は、少なくとも、１．３及び１．４で説明するアタッチ手続き及びデータの送信手続き内で送受信する制御メッセージに含まれる識別情報及びまたは制御情報及び又はフラグ及び又はパラメータを記憶してもよい。
【００６３】
さらに、ｅＮＢ＿Ａ４５は、ＵＥ＿Ａ１０と制御情報及び又はユーザデータを送受信する送受信部を備える。さらに、送受信部には、外部アンテナが接続されている。
【００６４】
［１．２．２．ＭＭＥの構成］
以下、ＭＭＥ＿Ａ４０の構成につい説明する。図６はＭＭＥ＿Ａ４０の装置構成を示す。図に示すように、ＭＭＥ＿Ａ４０はネットワーク接続部＿Ｂ６２０と、制御部＿Ｂ６００と記憶部＿Ｂ６４０で構成されている。ネットワーク接続部＿Ｂ６２０と記憶部＿Ｂ６４０は制御部＿Ｂ６００と、バスを介して接続されている。
【００６５】
制御部＿Ｂ６００はＭＭＥ＿Ａ４０を制御するための機能部である。制御部＿Ｂ６００は、記憶部＿Ｂ６４０に記憶されている各種プログラムを読みだして実行することにより各種処理を実現する。
【００６６】
ネットワーク接続部＿Ｂ６２０は、ＭＭＥ＿Ａ４０が、ＨＳＳ＿Ａ５０及び／またはＳＧＷ＿Ａ３５と接続するための機能部である。さらに、ネットワーク接続部＿Ｂ６２０は、ＭＭＥ＿Ａ４０が、ＨＳＳ＿Ａ５０及び／またはＳＧＷ＿Ａ３５からユーザデータ及び又は制御データを送受信する送受信機能部である。
【００６７】
記憶部＿Ｂ６４０は、ＭＭＥ＿Ａ４０の各動作に必要なプログラムや、データなどを記憶する機能部である。記憶部＿Ｂ６４０は、例えば、半導体メモリや、ＨＤＤ（Ｈａｒｄ
Ｄｉｓｋ  Ｄｒｉｖｅ）等により構成されている。
【００６８】
記憶部＿Ｂ６４０は、少なくとも、１．３及び１．４で説明するアタッチ手続き及びデータの送信手続き内で送受信する制御メッセージに含まれる識別情報及びまたは制御情報及び又はフラグ及び又はパラメータを記憶してもよい。
【００６９】
記憶部＿Ｂ６４０は、図に示すように、ＭＭＥコンテキスト６４２と、セキュリティーコンテキスト６４８、ＭＭＥ緊急構成データ６５０を記憶する。なお、ＭＭＥコンテキストは、ＭＭコンテキストと、ＥＰＳベアラコンテキストにより構成される。または、ＭＭＥコンテキストはＥＭＭコンテキストとＥＳＭコンテキストで構成されてもよい。ＭＭコンテキストとはＥＭＭコンテキストの事であり、ＥＰＳベアラコンテキストはＥＳＭコンテキストの事であってもよい。
【００７０】
図７〜図９に（ｂ）ＵＥごとに記憶されるＭＭＥコンテキストの情報要素を示す。図に示すように、ＵＥごとに記憶されるＭＭＥコンテキストは、ＩＭＳＩ、ＩＭＳＩ−ｕｎａｕｔｈｅｎｔｉｃａｔｅｄ−ｉｎｄｉｃａｔｏｒ、ＭＳＩＳＤＮ、ＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＥＣＧＩ（Ｅ−ＵＴＲＡＮ  Ｃｅｌｌ  Ｇｌｏｂａｌ  Ｉｄｅｎｔｉｔｙ）、Ｅ−ＵＴＲＡＮ  Ｃｅｌｌ  Ｉｄｅｎｔｉｔｙ  Ａｇｅ、ＣＳＧ  ＩＤ、ＣＳＧ  ｍｅｍｂｅｒｓｈｉｐ、Ａｃｃｅｓｓ  ｍｏｄｅ、Ａｕｔｈｅｎｔｉｃａｔｉｏｎ
Ｖｅｃｔｏｒ、ＵＥ  Ｒａｄｉｏ  Ａｃｃｅｓｓ  Ｃａｐａｂｉｌｉｔｙ、ＭＳ  Ｃｌａｓｓｍａｒｋ  ２、ＭＳ  Ｃｌａｓｓｍａｒｋ  ３、Ｓｕｐｐｏｒｔｅｄ  Ｃｏｄｅｃｓ、ＵＥ  Ｎｅｔｗｏｒｋ  Ｃａｐａｂｉｌｉｔｙ、ＭＳ  Ｎｅｔｗｏｒｋ  Ｃａｐａｂｉｌｉｔｙ、ＵＥ  Ｓｐｅｃｉｆｉｃ  ＤＲＸ  Ｐａｒａｍｅｔｅｒｓ、Ｓｅｌｅｃｔｅｄ  ＮＡＳ  Ａｌｇｏｒｉｔｈｍ、ｅＫＳＩ、Ｋ＿ＡＳＭＥ、ＮＡＳ  Ｋｅｙｓ  ａｎｄ
ＣＯＵＮＴ、Ｓｅｌｅｃｔｅｄ  ＣＮ  ｏｐｅｒａｔｏｒ  ＩＤ、Ｒｅｃｏｖｅｒｙ、Ａｃｃｅｓｓ  Ｒｅｓｔｒｉｃｔｉｏｎ、ＯＤＢ  ｆｏｒ  ＰＳ  ｐａｒａｍｅｔｅｒｓ、ＡＰＮ−ＯＩ  Ｒｅｐｌａｃｅｍｅｎｔ、ＭＭＥ  ＩＰ  ａｄｄｒｅｓｓ  ｆｏｒ  Ｓ１１、ＭＭＥ  ＴＥＩＤ  ｆｏｒ  Ｓ１１、Ｓ‐ＧＷ  ＩＰ  ａｄｄｒｅｓｓ  ｆｏｒ  Ｓ１１／Ｓ４、Ｓ  ＧＷ  ＴＥＩＤ  ｆｏｒ  Ｓ１１／Ｓ４、ＳＧＳＮ  ＩＰ  ａｄｄｒｅｓｓ  ｆｏｒ  Ｓ３、ＳＧＳＮ  ＴＥＩＤ  ｆｏｒ  Ｓ３、ｅＮｏｄｅＢ  Ａｄｄｒｅｓｓ  ｉｎ  Ｕｓｅ  ｆｏｒ  Ｓ１−ＭＭＥ、ｅＮＢ  ＵＥ  Ｓ１ＡＰ  ＩＤ、ＭＭＥ  ＵＥ  Ｓ１ＡＰ  ＩＤ、Ｓｕｂｓｃｒｉｂｅｄ  ＵＥ−ＡＭＢＲ、ＵＥ−ＡＭＢＲ、ＥＰＳ  Ｓｕｂｓｃｒｉｂｅｄ  Ｃｈａｒｇｉｎｇ  Ｃｈａｒａｃｔｅｒｉｓｔｉｃｓ、Ｓｕｂｓｃｒｉｂｅｄ  ＲＦＳＰ  Ｉｎｄｅｘ、ＲＦＳＰ  Ｉｎｄｅｘ  ｉｎ  Ｕｓｅ、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、ＵＲＲＰ−ＭＭＥ、ＣＳＧ  Ｓｕｂｓｃｒｉｐｔｉｏｎ  Ｄａｔａ、ＬＩＰＡ  Ａｌｌｏｗｅｄ、Ｓｕｂｓｃｒｉｂｅｄ  Ｐｅｒｉｏｄｉｃ  ＲＡＵ／ＴＡＵ
Ｔｉｍｅｒ、ＭＰＳ  ＣＳ  ｐｒｉｏｒｉｔｙ、ＭＰＳ  ＥＰＳ  ｐｒｉｏｒｉｔｙ、
Ｖｏｉｃｅ  Ｓｕｐｐｏｒｔ  Ｍａｔｃｈ  Ｉｎｄｉｃａｔｏｒ、Ｈｏｍｏｇｅｎｏｕｓ
Ｓｕｐｐｏｒｔ  ｏｆ  ＩＭＳ  Ｖｏｉｃｅ  ｏｖｅｒ  ＰＳ  Ｓｅｓｓｉｏｎｓを含める。
【００７１】
ＩＭＳＩは、ユーザの永久的な識別情報である。ＨＳＳ＿Ａ５０が記憶するＩＭＳＩと等しい。
【００７２】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【００７３】
ＭＳＩＳＤＮは、ＵＥの電話番号を表す。ＭＳＩＳＤＮはＨＳＳ＿Ａ５０の記憶部により示される。
【００７４】
ＭＭ  Ｓｔａｔｅは、ＭＭＥの移動管理（Ｍｏｂｉｌｉｔｙ  ｍａｎａｇｅｍｅｎｔ）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態を示す。
【００７５】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【００７６】
ＭＥ  ＩｄｅｎｔｉｔｙＵＥのＩＤであり、例えば、ＩＭＥＩ／ＩＭＩＳＶであってもよい。
【００７７】
Ｔｒａｃｋｉｎｇ  Ａｒｅａ  Ｌｉｓｔは、ＵＥに割り当てたトラッキングエリア識別情報のリストである。
【００７８】
ＴＡＩ  ｏｆ  ｌａｓｔ  ＴＡＵは、最近のトラッキングエリア更新手続きで示されたトラッキングエリア識別情報である。
【００７９】
ＥＣＧＩは、ＭＭＥ＿Ａ４０が知る最近のＵＥのセルの識別情報である。
【００８０】
Ｅ−ＵＴＲＡＮ  Ｃｅｌｌ  Ｉｄｅｎｔｉｔｙ  Ａｇｅは、ＭＭＥがＥＣＧＩを取得してからの経過時間を示す。
【００８１】
ＣＳＧ  ＩＤは、ＭＭＥが知る、最近のＵＥが動作したＣＳＧ（Ｃｌｏｓｅｄ  Ｓｕｂｓｃｒｉｂｅｒ  Ｇｒｏｕｐ）の識別情報である。
【００８２】
ＣＳＧ  ｍｅｍｂｅｒｓｈｉｐは、ＭＭＥが知る最近のＵＥのＣＳＧのメンバー情報である。ＣＳＧ  ｍｅｍｂｅｒｓｈｉｐは、ＵＥがＣＳＧメンバーであるかどうかを示す。
【００８３】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを示す識別情報であってもよい。
【００８４】
Ａｕｔｈｅｎｔｉｃａｔｉｏｎ  ＶｅｃｔｏｒはＭＭＥが従う、特定のＵＥの一時的なＡＫＡ（Ａｕｔｈｅｎｔｉｃａｔｉｏｎ  ａｎｄ  Ｋｅｙ  Ａｇｒｅｅｍｅｎｔ）を示す
。Ａｕｔｈｅｎｔｉｃａｔｉｏｎ  Ｖｅｃｔｏｒは、認証に用いるランダム値ＲＡＮＤ、期待応答ＸＲＥＳ、鍵Ｋ＿ＡＳＭＥ、ネットワークに認証された言語（トークン）ＡＵＴＮで構成される。
【００８５】
ＵＥ  Ｒａｄｉｏ  Ａｃｃｅｓｓ  Ｃａｐａｂｉｌｉｔｙは、ＵＥの無線アクセス能力を示す識別情報である。
【００８６】
ＭＳ  Ｃｌａｓｓｍａｒｋ  ２は、３Ｇ／２Ｇ（ＵＴＲＡＮ／ＧＥＲＡＮ）のＣＳドメインのコアネットワークの分類記号（Ｃｌａｓｓｍａｒｋ）である。ＭＳ  Ｃｌａｓｓｍａｒｋ  ２は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮまたはＵＴＲＡＮに対してサポートする場合に使用される。
【００８７】
ＭＳ  Ｃｌａｓｓｍａｒｋ  ３は、ＧＥＲＡＮのＣＳドメインの無線ネットワークの分類記号（Ｃｌａｓｓｍａｒｋ）である。ＭＳ  Ｃｌａｓｓｍａｒｋ  ３は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮに対してサポートする場合に使用される。
【００８８】
Ｓｕｐｐｏｒｔｅｄ  Ｃｏｄｅｃｓは、ＣＳドメインでサポートされるコードのリストである。このリストは、ＵＥがＳＲＶＣＣをＧＥＲＡＮまたはＵＴＲＡＮに対してサポートする場合に使用される。
【００８９】
ＵＥ  Ｎｅｔｗｏｒｋ  Ｃａｐａｂｉｌｉｔｙは、ＵＥにサポートされるセキュリティーのアルゴリズムと鍵派生関数を含める。
【００９０】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【００９１】
ＵＥ  Ｓｐｅｃｉｆｉｃ  ＤＲＸ  Ｐａｒａｍｅｔｅｒｓは、ＵＥのＤＲＸ（Ｄｉｓｃｏｎｔｉｎｕｏｕｓ  Ｒｅｃｅｐｔｉｏｎ）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【００９２】
Ｓｅｌｅｃｔｅｄ  ＮＡＳ  Ａｌｇｏｒｉｔｈｍは、ＮＡＳ（Ｎｏｎ−Ａｃｃｅｓｓ  Ｓｔｒｅａｍ）の選択されたセキュリティーアルゴリズムである。
【００９３】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【００９４】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【００９５】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【００９６】
Ｓｅｌｅｃｔｅｄ  ＣＮ  ｏｐｅｒａｔｏｒ  ＩＤはオペレータ間でネットワークを共
有するために使用する、選択されたコアネットワークオペレータの識別情報である。
【００９７】
Ｒｅｃｏｖｅｒｙは、ＨＳＳがデータベースの復帰を行うかどうかを示す識別情報である。
【００９８】
Ａｃｃｅｓｓ  Ｒｅｓｔｒｉｃｔｉｏｎは、アクセス制限の登録情報である。
【００９９】
ＯＤＢ  ｆｏｒ  ＰＳ  ｐａｒａｍｅｔｅｒｓは、ＯＤＢ（ｏｐｅｒａｔｏｒ  ｄｅｔｅｒｍｉｎｅｄ  ｂａｒｒｉｎｇ）の状態を示す。ここでＯＤＢとは、通信事業者（オペレータ）が決定したアクセス規定である。
【０１００】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【０１０１】
ＭＭＥ  ＩＰ  ａｄｄｒｅｓｓ  ｆｏｒ  Ｓ１１は、ＳＧＷとのインターフェースで用いられるＭＭＥのＩＰアドレスである。
【０１０２】
ＭＭＥ  ＴＥＩＤ  ｆｏｒ  Ｓ１１は、ＳＧＷとのインターフェースで用いられるＴＥＩＤ（Ｔｕｎｎｅｌ  Ｅｎｄｐｏｉｎｔ  Ｉｄｅｎｔｉｆｉｅｒ）である。
【０１０３】
Ｓ−ＧＷ  ＩＰ  ａｄｄｒｅｓｓ  ｆｏｒ  Ｓ１１／Ｓ４はＭＭＥとＳＧＷ間またはＳＧＳＮとＭＭＥ間のインターフェースで利用されるＳＧＷのＩＰアドレスである。
【０１０４】
Ｓ  ＧＷ  ＴＥＩＤ  ｆｏｒ  Ｓ１１／Ｓ４はＭＭＥとＳＧＷ間またはＳＧＳＮとＭＭＥ間のインターフェースで利用されるＳＧＷのＴＥＩＤである。
【０１０５】
ＳＧＳＮ  ＩＰ  ａｄｄｒｅｓｓ  ｆｏｒ  Ｓ３は、ＭＭＥとＳＧＳＮ間でのインターフェースに用いるＳＧＳＮのＩＰアドレスである。
【０１０６】
ＳＧＳＮ  ＴＥＩＤ  ｆｏｒ  Ｓ３は、ＭＭＥとＳＧＳＮ間のインターフェースで用いるＳＧＳＮのＴＥＩＤである。
【０１０７】
ｅＮｏｄｅＢ  Ａｄｄｒｅｓｓ  ｉｎ  Ｕｓｅ  ｆｏｒ  Ｓ１−ＭＭＥは、ＭＭＥとｅＮＢ間のインターフェースで最近用いられたｅＮＢのＩＰアドレスである。
【０１０８】
ｅＮＢ  ＵＥ  Ｓ１ＡＰ  ＩＤは、ｅＮＢ内でのＵＥの識別情報である。
【０１０９】
ＭＭＥ  ＵＥ  Ｓ１ＡＰ  ＩＤは、ＭＭＥ内でのＵＥの識別情報である。
【０１１０】
Ｓｕｂｓｃｒｉｂｅｄ  ＵＥ−ＡＭＢＲは、ユーザの登録情報に従いすべてのＮｏｎ−ＧＢＲ（Ｇｕａｒａｎｔｅｅｄ  Ｂｉｔ  Ｒａｔｅ）ベアラ（非保障ベアラ）を共有するための上り通信および下り通信のＭＢＲ（Ｍａｘｉｍｕｍ  Ｂｉｔ  Ｒａｔｅ）の最大値を示す。
【０１１１】
ＵＥ−ＡＭＢＲは、すべてのＮｏｎ−ＧＢＲベアラ（非保障ベアラ）を共有するために、最近使用された上り通信および下り通信のＭＢＲの最大値を示す。
【０１１２】
ＥＰＳ  Ｓｕｂｓｃｒｉｂｅｄ  Ｃｈａｒｇｉｎｇ  Ｃｈａｒａｃｔｅｒｉｓｔｉｃｓは、ＵＥの課金特性を示す。例えば、ＥＰＳ  Ｓｕｂｓｃｒｉｂｅｄ  Ｃｈａｒｇｉｎｇ
Ｃｈａｒａｃｔｅｒｉｓｔｉｃｓはノーマル、プリペイド、課金率固定、または即時請求などの登録情報を示してもよい。
【０１１３】
Ｓｕｂｓｃｒｉｂｅｄ  ＲＦＳＰ  Ｉｎｄｅｘは、ＨＳＳから取得したＥ−ＵＴＲＡＮ内の特定のＲＲＭ構成のためのインデックスである。
【０１１４】
ＲＦＳＰ  Ｉｎｄｅｘ  ｉｎ  Ｕｓｅは、最近使用されたＥ−ＵＴＲＡＮ内の特定のＲＲＭ構成のためのインデックスである。
【０１１５】
Ｔｒａｃｅ  ｒｅｆｅｒｅｎｃｅは、特定のトレースの記録、または記録の集合を識別する識別情報である。
【０１１６】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０１１７】
Ｔｒｉｇｇｅｒ  ＩＤは、トレースを開始する構成要素を識別する識別情報である。
【０１１８】
ＯＭＣ  Ｉｄｅｎｔｉｔｙは、トレースされた記録を受信したＯＭＣを識別する識別情報である。
【０１１９】
ＵＲＲＰ−ＭＭＥは、ＨＳＳによりＭＭＥからのＵＥ活動通知が要求された事を示す識別情報である。
【０１２０】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１２１】
ＬＩＰＡ  Ａｌｌｏｗｅｄは、ＵＥはこのＰＬＭＮでＬＩＰＡを使用することが許可されているかどうかを示す
Ｓｕｂｓｃｒｉｂｅｄ  Ｐｅｒｉｏｄｉｃ  ＲＡＵ／ＴＡＵ  Ｔｉｍｅｒは、定期的なＲＡＵ及び／またはＴＡＵのタイマーである。
【０１２２】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１２３】
ＭＰＳ  ＥＰＳ  ｐｒｉｏｒｉｔｙは、ＥＰＳドメイン内でＭＰＳに登録されていることを示す識別情報である。
【０１２４】
Ｖｏｉｃｅ  Ｓｕｐｐｏｒｔ  Ｍａｔｃｈ  Ｉｎｄｉｃａｔｏｒは、ＵＥの無線能力がネットワーク構成と互換性があるかどうかを示す。例えば、ＵＥによるＳＲＶＣＣのサポートがネットワークの音声通話に対するサポートとマッチするかどうかを示す。
【０１２５】
Ｈｏｍｏｇｅｎｏｕｓ  Ｓｕｐｐｏｒｔ  ｏｆ  ＩＭＳ  Ｖｏｉｃｅ  ｏｖｅｒ  ＰＳ
Ｓｅｓｓｉｏｎｓ  ｆｏｒ  ＭＭＥは、ＰＳセッション上のＩＭＳ音声通話をサポートするかどうかを、ＵＥごとに示す指示情報である。Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＭＭＥが管理する全てのＴＡ（Ｔｒａｃｋｉｎｇ  Ａｒｅａ）でＰＳ（Ｐａｃｋｅｔ  Ｓｗｉｔｃｈｅｄ：  回線交換）セッション上でのＩＭＳ（ＩＰ  Ｍｕｌｔｉｍｅｄｉａ
Ｓｕｂｓｙｓｔｅｍ）音声通話をサポートする、「Ｓｕｐｐｏｒｔｅｄ」と、ＰＳセッション上でのＩＭＳ音声通話をサポートするＴＡがない場合を示す「Ｎｏｔ  Ｓｕｐｐｏｒｔｅｄ」とがある。また、ＰＳセッション上でのＩＭＳ音声通話をサポートが均一でない（サポートするＴＡとしないＴＡがＭＭＥ内に混在する）場合や、サポートするかどうかが分からない場合、ＭＭＥはこの指示情報をＨＳＳに通知しない。
【０１２６】
図１０に、送受信可能状態に記憶されるＭＭＥコンテキストに含まれる情報要素を示す。送受信可能状態に関しては後述する。ＰＤＮコネクションを確立時には、送受信可能状態に記憶されるＭＭＥは、ＰＤＮコネクションごとに記憶されてもよい。図に示すように、送受信可能状態に記憶されるＭＭＥコンテキストは、ＡＰＮ  ｉｎ  Ｕｓｅ、ＡＰＮ  Ｒｅｓｔｒｉｃｔｉｏｎ、ＡＰＮ  Ｓｕｂｓｃｒｉｂｅｄ、ＰＤＮ  Ｔｙｐｅ、ＩＰ  Ａｄｄｒｅｓｓ、ＥＰＳ  ＰＤＮ  Ｃｈａｒｇｉｎｇ  Ｃｈａｒａｃｔｅｒｉｓｔｉｃｓ、ＡＰＮ−ＯＩ  Ｒｅｐｌａｃｅｍｅｎｔ、ＳＩＰＴＯ  ｐｅｒｍｉｓｓｉｏｎｓ、Ｌｏｃａｌ  Ｈｏｍｅ  Ｎｅｔｗｏｒｋ  ＩＤ、ＬＩＰＡ  ｐｅｒｍｉｓｓｉｏｎｓ、ＷＬＡＮ
ｏｆｆｌｏａｄａｂｉｌｉｔｙ、ＶＰＬＭＮ  Ａｄｄｒｅｓｓ  Ａｌｌｏｗｅｄ、ＰＤＮ  ＧＷ  Ａｄｄｒｅｓｓ  ｉｎ  Ｕｓｅ（制御情報）、ＰＤＮ  ＧＷ  ＴＥＩＤ  ｆｏｒ  Ｓ５／Ｓ８（制御情報）、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ  Ａｒｅａ  Ａｃｔｉｏｎ、ＥＰＳ  ｓｕｂｓｃｒｉｂｅｄ  ＱｏＳ  ｐｒｏｆｉｌｅ、Ｓｕｂｓｃｒｉｂｅｄ  ＡＰＮ−ＡＭＢＲ、ＡＰＮ−ＡＭＢＲ、ＰＤＮ  ＧＷ  ＧＲＥ  Ｋｅｙ  ｆｏｒ  ｕｐｌｉｎｋ  ｔｒａｆｆｉｃ（ユーザデータ）、Ｄｅｆａｕｌｔ  ｂｅａｒｅｒ、ｌｏｗ  ａｃｃｅｓｓ  ｐｒｉｏｒｉｔｙを含める。
【０１２７】
ＡＰＮ  ｉｎ  Ｕｓｅは、最近使用されたＡＰＮを示す。このＡＰＮはＡＰＮネットワークの識別情報と、デフォルトのオペレータの識別情報により構成される。
【０１２８】
ＡＰＮ  Ｒｅｓｔｒｉｃｔｉｏｎは、このベアラコンテキストに関連づけられたＡＰＮに対する、ＡＰＮのタイプの組み合わせの制限を示す。つまり、確立できるＡＰＮの数とＡＰＮのタイプを制限する情報である。
【０１２９】
ＡＰＮ  ＳｕｂｓｃｒｉｂｅｄはＨＳＳから受信した登録ＡＰＮを意味する。
【０１３０】
ＰＤＮ  Ｔｙｐｅは、ＩＰアドレスのタイプを示す。例えば、ＰＤＮ  Ｔｙｐｅは、ＩＰｖ４、ＩＰｖ６またはＩＰｖ４ｖ６を示す。
【０１３１】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１３２】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１３３】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、ＵＥごとのＡＰＮ−ＯＩ  Ｒｅｐｌａｃｅｍｅｎｔより優先度が高い。
【０１３４】
ＳＩＰＴＯ  ｐｅｒｍｉｓｓｉｏｎｓはこのＡＰＮを用いたトラフィックのＳＩＰＴＯ（Ｓｅｌｅｃｔｅｄ  ＩＰ  Ｔｒａｆｆｉｃ  Ｏｆｆｌｏａｄ）に対する許可情報を示す。具体的には、ＳＩＰＴＯ  ｐｅｒｍｉｓｓｉｏｎｓは、ＳＩＰＴＯを用いる事を禁止す
る、またはローカルネットワーク以外でのＳＩＰＴＯの利用を許可する、またはローカルネットワークを含めるネットワークでのＳＩＰＴＯの利用を許可する、またはローカルネットワークのみＳＩＰＴＯの利用を許可する、ことを識別する。
【０１３５】
Ｌｏｃａｌ  Ｈｏｍｅ  Ｎｅｔｗｏｒｋ  ＩＤは、ローカルネットワークを用いたＳＩＰＴＯ（ＳＩＰＴＯ＠ＬＮ）の利用が可能である場合、基地局が属するホームネットワークの識別情報を示す。
【０１３６】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、またはＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１３７】
ＷＬＡＮ  ｏｆｆｌｏａｄ  ａｂｉｌｉｔｙは、このＡＰＮで接続されたトラフィックは、無線ランと３ＧＰＰ間の連携機能を用いて、無線ランにオフロードできるか、または３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）とで異なったＷＬＡＮ  ｏｆｆｌｏａｄ  ａｂｉｌｉｔｙが存在してもよい。
【０１３８】
ＶＰＬＭＮ  Ａｄｄｒｅｓｓ  Ａｌｌｏｗｅｄは、ＵＥがこのＡＰＮを用いた接続が、ローミング先のＰＬＭＮ（ＶＰＬＭＮ）ではＨＰＬＭＮのドメイン（ＩＰアドレス）ＰＧＷのみを使用することが許可されるのか、またはＶＰＬＭＮのドメイン内のＰＧＷを追加されるのかを示す
ＰＤＮ  ＧＷ  Ａｄｄｒｅｓｓ  ｉｎ  Ｕｓｅ（制御情報）は、ＰＧＷの最近のＩＰアドレスを示す。このアドレスは制御信号を送信するときに用いられる。
【０１３９】
ＰＤＮ  ＧＷ  ＴＥＩＤ  ｆｏｒ  Ｓ５／Ｓ８（制御情報）は、ＳＧＷとＰＧＷ間のインターフェース（Ｓ５／Ｓ８）で制御情報の送受信に用いるＴＥＩＤである。
【０１４０】
ＭＳ  Ｉｎｆｏ  Ｃｈａｎｇｅ  Ｒｅｐｏｒｔｉｎｇ  Ａｃｔｉｏｎは、ＰＧＷにユーザの位置情報が変更された事を通知する必要があること示す情報要素である。
【０１４１】
ＣＳＧ  Ｉｎｆｏｒｍａｔｉｏｎ  Ｒｅｐｏｒｔｉｎｇ  Ａｃｔｉｏｎは、ＰＧＷにＣＳＧ情報が変更された事を通知する必要があることを示す情報要素である。
【０１４２】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０１４３】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１４４】
Ｓｕｂｓｃｒｉｂｅｄ  ＡＰＮ−ＡＭＢＲは、ユーザの登録情報に従いこのＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４５】
ＡＰＮ−ＡＭＢＲは、ＰＧＷにより決定された、このＡＰＮに対して確立された全ての
Ｎｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４６】
ＰＤＮ  ＧＷ  ＧＲＥ  Ｋｅｙ  ｆｏｒ  ｕｐｌｉｎｋ  ｔｒａｆｆｉｃ（ユーザデータ）は、ＳＧＷとＰＧＷ間のインターフェースのユーザデータの上り通信のためのＧＲＥ（Ｇｅｎｅｒｉｃ  Ｒｏｕｔｉｎｇ  Ｅｎｃａｐｓｕｌａｔｉｏｎ）鍵である。
【０１４７】
Ｄｅｆａｕｌｔ  ｂｅａｒｅｒは、ＰＤＮコネクション内のデフォルトベアラを識別するためのＥＰＳベアラ識別情報である。
【０１４８】
ｌｏｗ  ａｃｃｅｓｓ  ｐｒｉｏｒｉｔｙは、ＰＤＮコネクションが公開されているとき、ＵＥが低いアクセス優先度（ｌｏｗ  ａｃｃｅｓｓ  ｐｒｉｏｒｉｔｙ）を要求したことを示す。
【０１４９】
図１１は、ベアラごとに記憶されるＭＭＥコンテキストを示す。図が示すように、ベアラごとに記憶されるＭＭＥコンテキストは、ＥＰＳ  Ｂｅａｒｅｒ  ＩＤ、ＴＩ、Ｓ−ＧＷ  ＩＰ  ａｄｄｒｅｓｓ  ｆｏｒ  Ｓ１−ｕ、Ｓ−ＧＷ  ＴＥＩＤ  ｆｏｒ  Ｓ１ｕ、ＰＤＮ  ＧＷ  ＴＥＩＤ  ｆｏｒ  Ｓ５／Ｓ８、ＰＤＮ  ＧＷ  ＩＰ  ａｄｄｒｅｓｓ  ｆｏｒ  Ｓ５／Ｓ８、ＥＰＳ  ｂｅａｒｅｒ  ＱｏＳ、ＴＦＴを含める。
【０１５０】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１５１】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１５２】
Ｓ−ＧＷ  ＩＰ  ａｄｄｒｅｓｓ  ｆｏｒ  Ｓ１−ｕは、ｅＮＢとＳＧＷ間のインターフェースで使用するＳＧＷのＩＰアドレスである。
【０１５３】
Ｓ−ＧＷ  ＴＥＩＤ  ｆｏｒ  Ｓ１ｕは、ｅＮＢとＳＧＷ間のインターフェースで使用するＳＧＷのＴＥＩＤである。
【０１５４】
ＰＤＮ  ＧＷ  ＴＥＩＤ  ｆｏｒ  Ｓ５／Ｓ８は、ＳＧＷとＰＧＷ間のインターフェースのユーザデータ伝送の為のＰＧＷのＴＥＩＤである。
【０１５５】
ＰＤＮ  ＧＷ  ＩＰ  ａｄｄｒｅｓｓ  ｆｏｒ  Ｓ５／Ｓ８は、ＳＧＷとＰＧＷ間のインターフェースのユーザデータ伝送の為のＰＧＷのＩＰアドレスである。
【０１５６】
ＥＰＳ  ｂｅａｒｅｒ  ＱｏＳは、ＱＣＩ（ＱｏＳ  Ｃｌａｓｓ  Ｉｄｅｎｔｉｆｉｅｒ）と、ＡＲＰ（Ａｌｌｏｃａｔｉｏｎ  ａｎｄ  Ｒｅｔｅｎｔｉｏｎ  Ｐｒｉｏｒｉｔｙ）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０１５７】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１５８】
ここで、図７〜図１１に示すＭＭＥコンテキストに含まれる情報要素は、ＭＭコンテキスト６４４またはＥＰＳベアラコンテキスト６４６のいずれかに含まれる。例えば、図１１に示すベアラごとのＭＭＥコンテキストをＥＰＳベアラコンテキストに記憶し、その他
の情報要素をＭＭコンテキストに記憶してもよい。または図１０に示す送受信可能状態に記憶されるＭＭＥコンテキストと図１１に示すベアラごとのＭＭＥコンテキストをＥＰＳベアラコンテキストに記憶し、その他の情報要素をＭＭコンテキストに記憶してもよい。
【０１５９】
図６が示すように、ＭＭＥの記憶部＿Ｂ６４０は、セキュリティーコンテキスト６４８を記憶してもよい。図１２（ｅ）はセキュリティーコンテキスト６４８に含まれる情報要素を示す。
【０１６０】
図が示すように、セキュリティーコンテキストは、ＥＰＳ  ＡＳ  セキュリティーコンテキストと、ＥＰＳ  ＮＡＳ  セキュリティーコンテキストにより構成される。ＥＰＳ  ＡＳ  セキュリティーコンテキストは、アクセス層（ＡＳ：Ａｃｃｅｓｓ  Ｓｔｒｅａｍ）のセキュリティーに関するコンテキストであり、ＥＰＳ  ＮＡＳ  セキュリティーコンテキストは非アクセス層（ＮＡＳ：Ｎｏｎ−Ａｃｃｅｓｓ  Ｓｔｒｅａｍ）のセキュリティーに関するコンテキストである。
【０１６１】
図１２（ｆ）は、ＥＰＳ  ＡＳ  セキュリティーコンテキストに含まれる情報要素を示す。図が示すように、ＥＰＳ  ＡＳ  セキュリティーコンテキストは、ｃｒｙｐｔｏｇｒａｐｈｉｃ  ｋｅｙと、Ｎｅｘｔ  Ｈｏｐ  ｐａｒａｍｅｔｅｒ  （ＮＨ）と、Ｎｅｘｔ
Ｈｏｐ  Ｃｈａｉｎｉｎｇ  Ｃｏｕｎｔｅｒ  ｐａｒａｍｅｔｅｒ  （ＮＣＣ）と、ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓとを含める。
【０１６２】
ｃｒｙｐｔｏｇｒａｐｈｉｃ  ｋｅｙは、アクセス層での暗号化の鍵である。
【０１６３】
ＮＨは、Ｋ＿ＡＳＭＥから決定される情報要素である。フォワードセキュリティーを実現するための情報要素である。
【０１６４】
ＮＣＣは、ＮＨと関連付けられた情報要素である。ネットワークを切り替える垂直方向のハンドオーバーが発生した数を表す。
【０１６５】
ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓは選択された暗号化アルゴリズムの識別情報である。
【０１６６】
図１２（ｇ）は、ＥＰＳ  ＮＡＳ  セキュリティーコンテキストに含まれる情報要素を示す。図が示すように、ＥＰＳ  ＮＡＳ  セキュリティーコンテキストはＫ＿ＡＳＭＥとＵＥ  Ｓｅｃｕｒｉｔｙ  ｃａｐａｂｉｌｉｔｉｅとＮＡＳ  ＣＯＵＮＴを含めてよい。
【０１６７】
Ｋ＿ＡＳＭＥは、鍵ＣＫとＩＫに基づき生成される、Ｅ−ＵＴＲＡＮの鍵階層化の鍵である。
【０１６８】
ＵＥ  Ｓｅｃｕｒｉｔｙ  ｃａｐａｂｉｌｉｔｉｅは、ＵＥで使用される暗号とアルゴリズムに対応する識別情報の集合である。この情報は、アクセス層に対する情報と、非アクセス層に対する情報とを含む。更に、ＵＥがＵＴＲＡＮ／ＧＥＲＡＮへのアクセスをサポートする場合、この情報にＵＴＲＡＮ／ＧＥＲＡＮに対する情報を含める。
【０１６９】
ＮＡＳ  ＣＯＵＮは、Ｋ＿ＡＳＭＥが動作している時間を示すカウンターである。
【０１７０】
セキュリティーコンテキスト６４８はＭＭＥコンテキスト６４２に含まれてもよい。また、図６に示すように、セキュリティーコンテキスト６４８とＭＭＥコンテキスト６４２
は別に存在してもよい。
【０１７１】
図１２（ｈ）は、ＭＭＥ緊急構成データ６５０で記憶される情報要素を示す。ＭＭＥ緊急構成データは、ＨＳＳから取得するＵＥの登録情報の代わりに使用する情報である。図に示すように、ＭＭＥ緊急構成データ６５０は、ｅｍ  ＡＰＮ（Ｅｍｅｒｇｅｎｃｙ  Ａｃｃｅｓｓ  Ｐｏｉｎｔ  Ｎａｍｅ）、Ｅｍｅｒｇｅｎｃｙ  ＱｏＳ  ｐｒｏｆｉｌｅ、Ｅｍｅｒｇｅｎｃｙ  ＡＰＮ−ＡＭＢＲ、Ｅｍｅｒｇｅｎｃｙ  ＰＤＮ  ＧＷ  ｉｄｅｎｔｉｔｙ、Ｎｏｎ−３ＧＰＰ  ＨＯ  Ｅｍｅｒｇｅｎｃｙ  ＰＤＮ  ＧＷ  ｉｄｅｎｔｉｔｙが含まれる。
【０１７２】
ｅｍ  ＡＰＮは、緊急用のＰＤＮ接続に用いるアクセスポイント名を示す。
【０１７３】
Ｅｍｅｒｇｅｎｃｙ  ＱｏＳ  ｐｒｏｆｉｌｅは、ベアラレベルでのｅｍ  ＡＰＮのデフォルトベアラのＱｏＳを示す。
【０１７４】
Ｅｍｅｒｇｅｎｃｙ  ＡＰＮ−ＡＭＢＲは、ｅｍ  ＡＰＮに対して確立されたＮｏｎ−ＧＢＲベアラ（非保障ベアラ）を共有するための上り通信および下り通信のＭＢＲの最大値を示す。この値はＰＧＷにより決定される。
【０１７５】
Ｅｍｅｒｇｅｎｃｙ  ＰＤＮ  ＧＷ  ｉｄｅｎｔｉｔｙは、ｅｍ  ＡＰＮに対して静的に設定されたＰＧＷの識別情報である。この識別情報は、ＦＱＤＮでもＩＰアドレスであってもよい。
【０１７６】
Ｎｏｎ−３ＧＰＰ  ＨＯ  Ｅｍｅｒｇｅｎｃｙ  ＰＤＮ  ＧＷ  ｉｄｅｎｔｉｔｙは、ＰＬＭＮが３ＧＰＰ以外のアクセスネットワークへのハンドオーバーをサポートする場合に、ｅｍ  ＡＰＮに対して静的に設定されたＰＧＷの識別情報である。この識別情報は、ＦＱＤＮでもＩＰアドレスであってもよい。
【０１７７】
更に、ＭＭＥ＿Ａ４０は、ＵＥに対する接続状態を、ＵＥと同期しながら管理してよい。
【０１７８】
［１．２．３．ＳＧＷの構成］
以下、ＳＧＷ＿Ａ３５の構成につい説明する。図１３はＳＧＷ＿Ａ３５の装置構成を示す。図に示すように、ＳＧＷ＿Ａ３５はネットワーク接続部＿Ｃ１３２０と、制御部＿Ｃ１３００と記憶部＿Ｃ１３４０で構成されている。ネットワーク接続部＿Ｃ１３２０と記憶部＿Ｃ１３４０は制御部＿Ｃ１３００と、バスを介して接続されている。
【０１７９】
制御部＿Ｃ１３００はＳＧＷ＿Ａ３５を制御するための機能部である。制御部＿Ｃ１３００は、記憶部＿Ｃ１３４０に記憶されている各種プログラムを読みだして実行することにより各種処理を実現する。
【０１８０】
ネットワーク接続部＿Ｃ１３２０は、ＳＧＷ＿Ａ３５が、ＭＭＥ＿Ａ４０及び／またはＰＧＷ＿Ａ３０及び／又はＳＧＳＮ＿Ａ４２と接続するための機能部である。さらに、ネットワーク接続部＿Ｃ１３２０は、ＳＧＷ＿Ａ３５が、ＭＭＥ＿Ａ４０及び／またはＰＧＷ＿Ａ３０及び／又はＳＧＳＮ＿Ａ４２からユーザデータ及び又は制御データを送受信する送受信機能部である。
【０１８１】
記憶部＿Ｃ１３４０は、ＳＧＷ＿Ａ３５の各動作に必要なプログラムや、データなどを記憶する機能部である。記憶部＿Ｃ１３４０は、例えば、半導体メモリや、ＨＤＤ（Ｈａｒｄ  Ｄｉｓｋ  Ｄｒｉｖｅ）等により構成されている。
【０１８２】
記憶部＿Ｃ１３４０は、少なくとも、１．３及び１．４で説明するアタッチ手続き及びデータの送信手続き内で送受信する制御メッセージに含まれる識別情報及びまたは制御情報及び又はフラグ及び又はパラメータを記憶してもよい。
【０１８３】
記憶部＿Ｃ１３４０は、図に示すように、ＥＰＳベアラコンテキスト１３４２を記憶する。なお、ＥＰＳベアラコンテキストの中には、ＵＥごとに記憶されるものと、ＰＤＮごとに記憶されるものと、ベアラごとに記憶されるものが含まれる。
【０１８４】
図１４にＵＥごとに記憶されるＥＰＳベアラコンテキストの情報要素を示す。図１４が示すように、ＵＥごとに記憶されるＥＰＳベアラコンテキストは、ＩＭＳＩ、ＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＭＭＥ  ＴＥＩＤ  ｆｏｒ
Ｓ１１、ＭＭＥ  ＩＰ  ａｄｄｒｅｓｓ  ｆｏｒ  Ｓ１１、Ｓ−ＧＷ  ＴＥＩＤ  ｆｏｒ  Ｓ１１／Ｓ４、Ｓ−ＧＷ  ＩＰ  ａｄｄｒｅｓｓ  ｆｏｒ  Ｓ１１／Ｓ４、ＳＧＳＮ
ＩＰ  ａｄｄｒｅｓｓ  ｆｏｒ  Ｓ４、ＳＧＳＮ  ＴＥＩＤ  ｆｏｒ  Ｓ４、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、Ｌａｓｔ  ｋｎｏｗｎ  Ｃｅｌｌ  Ｉｄ、Ｌａｓｔ  ｋｎｏｗｎ  Ｃｅｌｌ  Ｉｄ  ａｇｅを含める。
【０１８５】
ＩＭＳＩは、ユーザの永久的な識別情報である。ＨＳＳ＿Ａ５０のＩＭＳＩと等しい。
【０１８６】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０１８７】
ＭＥ  Ｉｄｅｎｔｉｔｙは、ＵＥの識別情報であり、例えば、ＩＭＥＩ／ＩＭＩＳＶであってもよい。
【０１８８】
ＭＳＩＳＤＮは、ＵＥの基本的な電話番号を表す。ＭＳＩＳＤＮはＨＳＳ＿Ａ５０の記憶部により示される。
【０１８９】
Ｓｅｌｅｃｔｅｄ  ＣＮ  ｏｐｅｒａｔｏｒ  ｉｄはオペレータ間でネットワークを共有するために使用する、選択されたコアネットワークオペレータの識別情報である。
【０１９０】
ＭＭＥ  ＴＥＩＤ  ｆｏｒ  Ｓ１１は、ＭＭＥとＳＧＷ間のインターフェースで用いられるＭＭＥのＴＥＩＤである。
【０１９１】
ＭＭＥ  ＩＰ  ａｄｄｒｅｓｓ  ｆｏｒ  Ｓ１１は、ＭＭＥとＳＧＷ間のインターフェースで用いられるＭＭＥのＩＰアドレスである。
【０１９２】
Ｓ−ＧＷ  ＴＥＩＤ  ｆｏｒ  Ｓ１１／Ｓ４は、ＭＭＥとＳＧＷ間のインターフェース、またはＳＧＳＮとＳＧＷ間のインターフェースで用いられるＳＧＷのＴＥＩＤである。
【０１９３】
Ｓ−ＧＷ  ＩＰ  ａｄｄｒｅｓｓ  ｆｏｒ  Ｓ１１／Ｓ４は、ＭＭＥとＳＧＷ間のインターフェース、またはＳＧＳＮとＳＧＷ間のインターフェースで用いられるＳＧＷのＩＰアドレスである。
【０１９４】
ＳＧＳＮ  ＩＰ  ａｄｄｒｅｓｓ  ｆｏｒ  Ｓ４は、ＳＧＳＮとＳＧＷ間のインターフェースで用いられるＳＧＳＮのＩＰアドレスである。
【０１９５】
ＳＧＳＮ  ＴＥＩＤ  ｆｏｒ  Ｓ４は、ＳＧＳＮとＳＧＷ間のインターフェースで用いられるＳＧＳＮのＴＥＩＤである。
【０１９６】
Ｔｒａｃｅ  ｒｅｆｅｒｅｎｃｅは、特定のトレースの記録、または記録の集合を識別する識別情報である。
【０１９７】
Ｔｒａｃｅ  Ｔｙｐｅは、トレースのタイプを示す。例えば、ＨＳＳがトレースをするタイプ、及び／または、ＭＭＥやＳＧＷやＰＧＷがトレースするタイプを示してもよい。
【０１９８】
Ｔｒｉｇｇｅｒ  ＩＤは、トレースを開始する構成要素を識別する識別情報である。
【０１９９】
ＯＭＣ  Ｉｄｅｎｔｉｔｙは、トレースされた記録を受信したＯＭＣを識別する識別情報である。
【０２００】
Ｌａｓｔ  ｋｎｏｗｎ  Ｃｅｌｌ  ＩＤは、ネットワークから通知されたＵＥの最近の位置情報である。
【０２０１】
Ｌａｓｔ  ｋｎｏｗｎ  Ｃｅｌｌ  ＩＤ  ａｇｅは、Ｌａｓｔ  ｋｎｏｗｎ  Ｃｅｌｌ
ＩＤが記憶されてから今までの期間を示す情報である。
【０２０２】
さらに、ＥＰＳベアラコンテキストには、送受信可能状態に記憶されるＥＰＳベアラコンテキストが含まれる。送受信可能状態に関しては後述する。ＰＤＮコネクション確立時には、送受信可能状態に記憶されるＥＰＳベアラコンテキストは、ＰＤＮコネクションごとに記憶されてもよい。図１５（ｃ）に、送受信可能状態に記憶されるＥＰＳベアラコンテキストを示す。図に示すように、送受信可能状態に記憶されるＥＰＳベアラコンテキストは、ＡＰＮ  ｉｎ  Ｕｓｅ、ＥＰＳ  ＰＤＮ  Ｃｈａｒｇｉｎｇ  Ｃｈａｒａｃｔｅｒｉｓｔｉｃｓ、Ｐ−ＧＷ  Ａｄｄｒｅｓｓ  ｉｎ  Ｕｓｅ（制御情報）、Ｐ−ＧＷ  ＴＥＩＤ  ｆｏｒ  Ｓ５／Ｓ８（制御情報）、Ｐ−ＧＷ  Ａｄｄｒｅｓｓ  ｉｎ  Ｕｓｅ（ユーザデータ）、Ｐ−ＧＷ  ＧＲＥ  Ｋｅｙ  ｆｏｒ  ｕｐｌｉｎｋ（ユーザデータ）、Ｓ−ＧＷ  ＩＰ  ａｄｄｒｅｓｓ  ｆｏｒ  Ｓ５／Ｓ８（制御情報）、Ｓ―ＧＷ  ＴＥＩＤ
ｆｏｒ  Ｓ５／Ｓ８（制御情報）、Ｓ  ＧＷ  Ａｄｄｒｅｓｓ  ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｄｅｆａｕｌｔ  Ｂｅａｒｅｒを含める。
【０２０３】
ＡＰＮ  ｉｎ  Ｕｓｅは、最近使用されたＡＰＮを示す。このＡＰＮはＡＰＮネットワークの識別情報と、デフォルトのオペレータの識別情報により構成される。また、この情報は、ＭＭＥまたはＳＧＳＮより取得した情報である。
【０２０４】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０２０５】
Ｐ−ＧＷ  Ａｄｄｒｅｓｓ  ｉｎ  Ｕｓｅ（制御情報）は、ＳＧＷが最近制御情報を送信するときに使用したＰＧＷのＩＰアドレスである。
【０２０６】
Ｐ−ＧＷ  ＴＥＩＤ  ｆｏｒ  Ｓ５／Ｓ８（制御情報）は、ＳＧＷとＰＧＷ間のインターフェースで、制御情報の伝送に用いるＰＧＷのＴＥＩＤである。
【０２０７】
Ｐ−ＧＷ  Ａｄｄｒｅｓｓ  ｉｎ  Ｕｓｅ（ユーザデータ）は、ＳＧＷが最近ユーザデータを送信するときに使用したＰＧＷのＩＰアドレスである。
【０２０８】
Ｐ−ＧＷ  ＧＲＥ  Ｋｅｙ  ｆｏｒ  ｕｐｌｉｎｋ（ユーザデータ）は、ＳＧＷとＰＧＷ間のインターフェースのユーザデータの上り通信のためのＧＲＥキーである。
【０２０９】
Ｓ−ＧＷ  ＩＰ  ａｄｄｒｅｓｓ  ｆｏｒ  Ｓ５／Ｓ８（制御情報）は、ＳＧＷとＰＧＷ間の制御情報のインターフェースに用いるＳＧＷのＩＰアドレスである。
【０２１０】
Ｓ―ＧＷ  ＴＥＩＤ  ｆｏｒ  Ｓ５／Ｓ８（制御情報）は、ＧＷとＰＧＷ間の制御情報のインターフェースに用いるＳＧＷのＴＥＩＤである。
【０２１１】
Ｓ  ＧＷ  Ａｄｄｒｅｓｓ  ｉｎ  Ｕｓｅ（ユーザデータ）は、ＳＧＷがユーザデータを送信するのに最近用いたＳＧＷのＩＰアドレスである。
【０２１２】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のユーザデータのインターフェースに用いる上り通信のＧＲＥキーである。
【０２１３】
Ｄｅｆａｕｌｔ  Ｂｅａｒｅｒは、ＰＤＮコネクション確立時に、ＰＤＮコネクションの中のデフォルトベアラを識別するための識別情報である。
【０２１４】
更に、ＳＧＷのＥＰＳベアラコンテキストはベアラごとのＥＰＳベアラコンテキストを含める。図１５（ｄ）は、ベアラごとのＥＰＳベアラコンテキストを示す。図に示すように、ベアラごとのＥＰＳベアラコンテキストは、ＥＰＳ  Ｂｅａｒｅｒ  Ｉｄ、ＴＦＴ、Ｐ−ＧＷ  Ａｄｄｒｅｓｓ  ｉｎ  Ｕｓｅ（ユーザデータ）、Ｐ−ＧＷ  ＴＥＩＤ  ｆｏｒ  Ｓ５／Ｓ８  （ユーザデータ）、Ｓ−ＧＷ  ＩＰ  ａｄｄｒｅｓｓ  ｆｏｒ  Ｓ５／Ｓ８（ユーザデータ）、Ｓ−ＧＷ  ＴＥＩＤ  ｆｏｒ  Ｓ５／Ｓ８（ユーザデータ）、Ｓ−ＧＷ  ＩＰ  ａｄｄｒｅｓｓ  ｆｏｒ  Ｓ１−ｕ、Ｓ１２  ａｎｄ  Ｓ４（ユーザデータ）、Ｓ−ＧＷ  ＴＥＩＤ  ｆｏｒ  Ｓ１−ｕ、Ｓ１２  ａｎｄ  Ｓ４（ユーザデータ）、ｅＮｏｄｅＢ  ＩＰ  ａｄｄｒｅｓｓ  ｆｏｒ  Ｓ１−ｕ、ｅＮｏｄｅＢ  ＴＥＩＤ  ｆｏｒ  Ｓ１−ｕ、ＲＮＣ  ＩＰ  ａｄｄｒｅｓｓ  ｆｏｒ  Ｓ１２、ＲＮＣ  ＴＥＩＤ
ｆｏｒ  Ｓ１２、ＳＧＳＮ  ＩＰ  ａｄｄｒｅｓｓ  ｆｏｒ  Ｓ４（ユーザデータ）、ＳＧＳＮ  ＴＥＩＤ  ｆｏｒ  Ｓ４（ユーザデータ）、ＥＰＳ  Ｂｅａｒｅｒ  ＱｏＳ、Ｃｈａｒｇｉｎｇ  Ｉｄを含める。
【０２１５】
ＥＰＳ  Ｂｅａｒｅｒ  Ｉｄは、Ｅ−ＵＴＲＡＮを介したＵＥ接続に対して、ＥＰＳベアラを識別する唯一の識別情報である。つまり、ベアラを識別するための識別情報である。
【０２１６】
ＴＦＴは、ＥＰＳベアラと関連づけられた全てのパケットフィルターを示す。
【０２１７】
Ｐ−ＧＷ  Ａｄｄｒｅｓｓ  ｉｎ  Ｕｓｅ（ユーザデータ）は、ＳＧＷとＰＧＷ間のインターフェースで、ユーザデータの送信に最近用いられたＰＧＷのＩＰアドレスである。
【０２１８】
Ｐ−ＧＷ  ＴＥＩＤ  ｆｏｒ  Ｓ５／Ｓ８  （ユーザデータ）は、ＳＧＷとＰＧＷ間のユーザデータのインターフェースのためのＰＧＷのＴＥＩＤである。
【０２１９】
Ｓ−ＧＷ  ＩＰ  ａｄｄｒｅｓｓ  ｆｏｒ  Ｓ５／Ｓ８（ユーザデータ）は、ＰＧＷから受信するユーザデータの為の、ＳＧＷのＩＰアドレスである。
【０２２０】
Ｓ−ＧＷ  ＴＥＩＤ  ｆｏｒ  Ｓ５／Ｓ８（ユーザデータ）は、ＳＧＷとＰＧＷ間のユ
ーザデータのインターフェースの為のＳＧＷのＴＥＩＤである。
【０２２１】
Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＩＰアドレスである。
【０２２２】
Ｓ−ＧＷ  ＴＥＩＤ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＴＥＩＤである。
【０２２３】
ｅＮｏｄｅＢ  ＩＰ  ａｄｄｒｅｓｓ  ｆｏｒ  Ｓ１−ｕは、ＳＧＷとｅＮＢ間の伝送に用いるｅＮＢのＩＰアドレスである。
【０２２４】
ｅＮｏｄｅＢ  ＴＥＩＤ  ｆｏｒ  Ｓ１−ｕは、ＳＧＷとｅＮＢ間の伝送に用いるｅＮＢのＴＥＩＤである。
【０２２５】
ＲＮＣ  ＩＰ  ａｄｄｒｅｓｓ  ｆｏｒ  Ｓ１２は、ＳＧＷとＵＴＲＡＮ間のインターフェースに用いるＲＮＣのＩＰアドレスである。
【０２２６】
ＲＮＣ  ＴＥＩＤ  ｆｏｒ  Ｓ１２は、ＳＧＷとＵＴＲＡＮ間のインターフェースに用いるＲＮＣのＴＥＩＤである。
【０２２７】
ＳＧＳＮ  ＩＰ  ａｄｄｒｅｓｓ  ｆｏｒ  Ｓ４（ユーザデータ）は、ＳＧＷとＳＧＳＮ間のユーザデータの伝送に用いるＳＧＳＮのＩＰアドレスである。
【０２２８】
ＳＧＳＮ  ＴＥＩＤ  ｆｏｒ  Ｓ４（ユーザデータ）は、ＳＧＷとＳＧＳＮ間のユーザデータの伝送に用いるＳＧＳＮのＴＥＩＤである。
【０２２９】
ＥＰＳ  Ｂｅａｒｅｒ  ＱｏＳは、このベアラのＱｏＳを表し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０２３０】
Ｃｈａｒｇｉｎｇ  Ｉｄは、ＳＧＷとＰＧＷで生成される課金を記録するための識別情報である。
【０２３１】
［１．２．４．ＰＧＷの構成］
以下、ＰＧＷ＿Ａ３０の構成につい説明する。図１６はＰＧＷ＿Ａ３０の装置構成を示す。図に示すように、ＰＧＷ＿Ａ３０はネットワーク接続部＿Ｄ１６２０と、制御部＿Ｄ１６００と記憶部＿Ｄ１６４０で構成されている。ネットワーク接続部＿Ｄ１６２０と記憶部＿Ｄ１６４０は制御部＿Ｄ１６００と、バスを介して接続されている。
【０２３２】
制御部＿Ｄ１６００はＰＧＷ＿Ａ３０を制御するための機能部である。制御部＿Ｄ１６００は、記憶部＿Ｄ１６４０に記憶されている各種プログラムを読みだして実行することにより各種処理を実現する。
【０２３３】
ネットワーク接続部＿Ｄ１６２０は、ＰＧＷ＿Ａ３０が、ＳＧＷ＿Ａ３５及び／または
ＰＣＲＦ＿Ａ６０及び／又はｅＰＤＧ＿Ａ６５と及び／またはＡＡＡ＿Ａ５５及び／またはＧＷ＿Ａ７４と接続するための機能部である。また、ネットワーク接続部＿Ｄ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＧＷ＿Ａ７４からユーザデータ及び又は制御データを送受信する送受信機能部である。
【０２３４】
記憶部＿Ｄ１６４０は、ＰＧＷ＿Ａ３０の各動作に必要なプログラムや、データなどを記憶する機能部である。記憶部＿Ｄ１６４０は、例えば、半導体メモリや、ＨＤＤ（Ｈａｒｄ  Ｄｉｓｋ  Ｄｒｉｖｅ）等により構成されている。
【０２３５】
記憶部＿Ｄ１６４０は、少なくとも、後述するアタッチ手続き及びデータの送信手続き内で送受信する制御メッセージに含まれる識別情報及びまたは制御情報及び又はフラグ及び又はパラメータを記憶してもよい。
【０２３６】
記憶部＿Ｄ１６４０は、図に示すように、ＥＰＳベアラコンテキスト１６４２を記憶する。なお、ＥＰＳベアラコンテキストの中には、ＵＥごとに記憶されるものと、ＡＰＮごとに記憶されるものと、送受信可能状態に記憶されるものと、ベアラごとに記憶されるものとが分かれて記憶されてもよい。
【０２３７】
図１７（ｂ）は、ＵＥごとに記憶されるＥＰＳベアラコンテキストに含まれる情報要素を示す。図に示すように、ＵＥごとに記憶されるＥＰＳベアラコンテキストは、ＩＭＳＩ、ＩＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＲＡＴ  ｔｙｐｅ、Ｔｒａｃｅ  ｒｅｆｅｒｅｎｃｅ、Ｔｒａｃｅ  ｔｙｐｅ、Ｔｒｉｇｇｅｒ  ｉｄ、ＯＭＣ  ｉｄｅｎｔｉｔｙを含む。
【０２３８】
ＩＭＳＩは、ＵＥを使用するユーザに割り当てられる、識別情報である。
【０２３９】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２４０】
ＭＥ  ＩｄｅｎｔｉｔｙはＵＥのＩＤであり、例えば、ＩＭＥＩ／ＩＭＩＳＶであってもよい。
【０２４１】
ＭＳＩＳＤＮは、ＵＥの基本的な電話番号を表す。ＭＳＩＳＤＮはＨＳＳ＿Ａ５０の記憶部により示される。
【０２４２】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【０２４３】
ＲＡＴ  ｔｙｐｅは、ＵＥの最近のＲＡＴ（Ｒａｄｉｏ  Ａｃｃｅｓｓ  Ｔｅｃｈｎｏｌｏｇｙ）を示す。ＲＡＴ  ｔｙｐｅは例えば、Ｅ−ＵＴＲＡ（ＬＴＥ）や、ＵＴＲＡなどであってよい。
【０２４４】
Ｔｒａｃｅ  ｒｅｆｅｒｅｎｃｅは、特定のトレースの記録、または記録の集合を識別する識別情報である。
【０２４５】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０２４６】
Ｔｒｉｇｇｅｒ  ＩＤは、トレースを開始する構成要素を識別する識別情報である。
【０２４７】
ＯＭＣ  Ｉｄｅｎｔｉｔｙは、トレースされた記録を受信したＯＭＣを識別する識別情報である。
【０２４８】
次に、図１７（ｃ）にＡＰＮごとに記憶されるＥＰＳベアラコンテキストを示す。図に示すように、ＰＧＷ記憶部のＡＰＮごとに記憶されるＥＰＳベアラコンテキストは、ＡＰＮ  ｉｎ  ｕｓｅ、ＡＰＮ−ＡＭＢＲを含める。
【０２４９】
ＡＰＮ  ｉｎ  Ｕｓｅは、最近使用されたＡＰＮを示す。このＡＰＮはＡＰＮネットワークの識別情報と、デフォルトのオペレータの識別情報により構成される。この情報はＳＧＷから取得する。
【０２５０】
ＡＰＮ−ＡＭＢＲは、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０２５１】
また、図１８（ｄ）に送受信可能状態に記憶されるＥＰＳベアラコンテキストを示す。送受信可能状態に関しては、後述する。ＰＤＮコネクション確立時には、送受信可能状態に記憶されるＥＰＳベアラコンテキストは、ＰＤＮコネクションごとに記憶されてもよい。図に示すように、送受信可能状態に記憶されるＥＰＳベアラコンテキストは、ＩＰ  Ａｄｄｒｅｓｓ、ＰＤＮ  ｔｙｐｅ、Ｓ−ＧＷ  Ａｄｄｒｅｓｓ  ｉｎ  Ｕｓｅ（制御情報）、Ｓ−ＧＷ  ＴＥＩＤ  ｆｏｒ  Ｓ５／Ｓ８（制御情報）、Ｓ−ＧＷ  Ａｄｄｒｅｓｓ
ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｐ−ＧＷ  ＩＰ  ａｄｄｒｅｓｓ  ｆｏｒ  Ｓ５／Ｓ８（制御情報）、Ｐ−ＧＷ  ＴＥＩＤ  ｆｏｒ  Ｓ５／Ｓ８（制御情報）、Ｐ−ＧＷ
Ａｄｄｒｅｓｓ  ｉｎ  Ｕｓｅ（ユーザデータ）、Ｐ−ＧＷ  ＧＲＥ  Ｋｅｙ  ｆｏｒ
ｕｐｌｉｎｋ  ｔｒａｆｆｉｃ  （ユーザデータ）、ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎ、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ  Ａｒｅａ  Ａｃｔｉｏｎ、ＢＣＭ、Ｄｅｆａｕｌｔ  Ｂｅａｒｅｒ、ＥＰＳ  ＰＤＮ  Ｃｈａｒｇｉｎｇ
Ｃｈａｒａｃｔｅｒｉｓｔｉｃｓを含める。
【０２５２】
ＩＰ  Ａｄｄｒｅｓｓは、送受信可能状態にＵＥが割り当てられたＩＰアドレスを示す。ＩＰアドレスはＩＰｖ４及び／またはＩＰｖ６  ｐｒｅｆｉｘであってよい。
【０２５３】
ＰＤＮ  ｔｙｐｅは、ＩＰアドレスの種類を示す。ＰＤＮ  ｔｙｐｅは例えば、ＩＰｖ４またはＩＰｖ６またはＩＰｖ４ｖ６を示す。
【０２５４】
Ｓ−ＧＷ  Ａｄｄｒｅｓｓ  ｉｎ  Ｕｓｅ（制御情報）は、制御情報を送信するのに最近用いられるＳＧＷのＩＰアドレスである。
【０２５５】
Ｓ−ＧＷ  ＴＥＩＤ  ｆｏｒ  Ｓ５／Ｓ８（制御情報）は、ＳＧＷとＰＧＷ間の制御情報の送受信に用いるＳＧＷのＴＥＩＤである。
【０２５６】
Ｓ−ＧＷ  Ａｄｄｒｅｓｓ  ｉｎ  Ｕｓｅ（ユーザデータ）は、ＳＧＷとＰＧＷ間のインターフェースでユーザデータの送信に最近用いられたＳＧＷのＩＰアドレスである。
【０２５７】
Ｓ−ＧＷ  ＧＲＥ  Ｋｅｙ  ｆｏｒ  ｄｏｗｎｌｉｎｋ  ｔｒａｆｆｉｃ（ユーザデー
タ）は、ＳＧＷとＰＧＷ間のインターフェースで、ＰＧＷからＳＧＷへのユーザデータの下り通信において使用するために割り当てられたＧＲＥ鍵である。
【０２５８】
Ｐ−ＧＷ  ＩＰ  ａｄｄｒｅｓｓ  ｆｏｒ  Ｓ５／Ｓ８（制御情報）は、制御情報の通信に用いるＰＧＷのＩＰドレスである。
【０２５９】
Ｐ−ＧＷ  ＴＥＩＤ  ｆｏｒ  Ｓ５／Ｓ８（制御情報）は、ＳＧＷとＰＧＷ間のインターフェースを用いた制御情報の通信の為のＰＧＷのＴＥＩＤである。
【０２６０】
Ｐ−ＧＷ  Ａｄｄｒｅｓｓ  ｉｎ  Ｕｓｅ（ユーザデータ）は、ＳＧＷとＰＧＷ間のインターフェースを用いたユーザデータの送信に最近用いられたＰＧＷのＩＰアドレスである。
【０２６１】
Ｐ−ＧＷ  ＧＲＥ  Ｋｅｙ  ｆｏｒ  ｕｐｌｉｎｋ  ｔｒａｆｆｉｃ  （ユーザデータ）は、ＳＧＷとＰＧＷ間のユーザデータの上り通信、つまりＳＧＷからＰＧＷへのユーザデータの送信、のために割り当てられたＧＲＥ鍵である。
【０２６２】
ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎは、ＭＭＥ及び／またはＳＧＳＮがユーザの位置情報及び／またはユーザのＣＳＧ情報を通知する処理をサポートすることを示す。
【０２６３】
ＭＳ  Ｉｎｆｏ  Ｃｈａｎｇｅ  Ｒｅｐｏｒｔｉｎｇ  Ａｃｔｉｏｎは、ＭＭＥ及び／又はＳＧＳＮがユーザの位置情報の変更を送信することが要求されているかどうかを示す情報である。
【０２６４】
ＣＳＧ  Ｉｎｆｏｒｍａｔｉｏｎ  Ｒｅｐｏｒｔｉｎｇ  Ａｃｔｉｏｎは、ＭＭＥ及び／またはＳＧＳＮがユーザのＣＳＧ情報の変更の送信を要求されているかどうかを示す情報である。この情報は、（ａ）ＣＳＧセルに対するものと、（ｂ）ユーザがＣＳＧメンバーであるハイブリッドセルに対するものと、（ｃ）ユーザがＣＳＧメンバーでないハイブリッドセルに対するものと、またこれらを組み合わせたものと、別に示す。
【０２６５】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０２６６】
ＢＣＭ（Ｂｅａｒｅｒ  Ｃｏｎｔｒｏｌ  Ｍｏｄｅ）は、ＧＥＲＡＮ／ＵＴＲＡＮに対する交渉されたベアラの制御状態を示す。
【０２６７】
Ｄｅｆａｕｌｔ  Ｂｅａｒｅｒは、ＰＤＮコネクション確立時に、ＰＤＮコネクションに含まれるデフォルトベアラを識別するための識別情報である。
【０２６８】
ＥＰＳ  ＰＤＮ  Ｃｈａｒｇｉｎｇ  Ｃｈａｒａｃｔｅｒｉｓｔｉｃｓは、課金特性である。課金特性は例えば、通常（ノーマル）、プリペイド、課金率固定、即時請求を示してもよい。
【０２６９】
更に、図１８（ｅ）に、ＥＰＳベアラごとに記憶されるＥＰＳベアラコンテキストを示す。図に示すように、ＥＰＳベアラコンテキストは、ＥＰＳ  Ｂｅａｒｅｒ  Ｉｄ  、ＴＦＴ、Ｓ−ＧＷ  Ａｄｄｒｅｓｓ  ｉｎ  Ｕｓｅ（ユーザデータ）、Ｓ−ＧＷ  ＴＥＩＤ
ｆｏｒ  Ｓ５／Ｓ８  （ユーザデータ）、Ｐ−ＧＷ  ＩＰ  ａｄｄｒｅｓｓ  ｆｏｒ  
Ｓ５／Ｓ８  （ユーザデータ）、Ｐ−ＧＷ  ＴＥＩＤ  ｆｏｒ  Ｓ５／Ｓ８  （ユーザデータ）、ＥＰＳ  Ｂｅａｒｅｒ  ＱｏＳ、Ｃｈａｒｇｉｎｇ  Ｉｄを含める。
【０２７０】
ＥＰＳ  Ｂｅａｒｅｒ  Ｉｄは、ＵＥのＥ−ＵＴＲＡＮを介したアクセスを識別する識別情報である。
【０２７１】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０２７２】
Ｓ‐ＧＷ  Ａｄｄｒｅｓｓ  ｉｎ  Ｕｓｅ（ユーザデータ）は、ユーザデータの送信に最近用いられたＳＧＷのＩＰアドレスである。
【０２７３】
Ｓ‐ＧＷ  ＴＥＩＤ  ｆｏｒ  Ｓ５／Ｓ８  （ユーザデータ）は、ＳＧＷとＰＧＷ間のインターフェースを用いたユーザデータの通信の為のＳＧＷのＴＥＩＤである。
【０２７４】
Ｐ‐ＧＷ  ＩＰ  ａｄｄｒｅｓｓ  ｆｏｒ  Ｓ５／Ｓ８（ユーザデータ）は、ＰＧＷから受信するユーザデータの為のＰＧＷのＩＰアドレスである。
【０２７５】
Ｐ‐ＧＷ  ＴＥＩＤ  ｆｏｒ  Ｓ５／Ｓ８（ユーザデータ）は、ＳＧＷとＰＧＷ間のユーザデータの通信のためのＰＧＷのＴＥＩＤである。
【０２７６】
ＥＰＳ  Ｂｅａｒｅｒ  ＱｏＳは、ベアラのＱｏＳを示し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０２７７】
Ｃｈａｒｇｉｎｇ  Ｉｄは、ＳＧＷとＰＧＷで生成された課金に関する記録を識別するための課金識別情報である。
【０２７８】
［１．２．５．Ｃ−ＳＧＮの構成］
以下、Ｃ−ＳＧＮ＿Ａ９５の装置構成を説明する。図１９はＣ−ＳＧＮ＿Ａ９５の装置構成を示す。図に示すように、Ｃ−ＳＧＮ＿Ａ９５はネットワーク接続部＿Ｅ１９２０と、制御部＿Ｅ１９００と記憶部＿Ｅ１９４０で構成されている。ネットワーク接続部＿Ｅ１９２０と記憶部＿Ｅ１９４０は制御部＿Ｅ１９００と、バスを介して接続されている。
【０２７９】
制御部＿Ｅ１９００はＣ−ＳＧＮ＿Ａ９５を制御するための機能部である。制御部＿Ｅ１９００は、記憶部＿Ｅ１９４０に記憶されている各種プログラムを読みだして実行することにより各種処理を実現する。
【０２８０】
ネットワーク接続部＿Ｅ１９２０は、Ｃ−ＳＧＮ＿Ａ９５が、ｅＮＢ＿Ａ４５及び／またはＨＳＳ＿Ａ５０及び／またはＰＤＮ＿Ａ５と接続するための機能部である。また、ネットワーク接続部＿Ｅ１９２０は、Ｃ−ＳＧＮ＿Ａ９５が、ｅＮＢ＿Ａ４５及び／またはＨＳＳ＿Ａ５０及び／またはＰＤＮ＿Ａ５から、ユーザデータ及び又は制御データを送受信する送受信機能部である。
【０２８１】
記憶部＿Ｅ１９４０は、Ｃ−ＳＧＮ＿Ａ９５の各動作に必要なプログラムや、データなどを記憶する機能部である。記憶部＿Ｅ１９４０は、例えば、半導体メモリや、ＨＤＤ（Ｈａｒｄ  Ｄｉｓｋ  Ｄｒｉｖｅ）等により構成されている。
【０２８２】
記憶部＿Ｅ１９４０は、少なくとも、１．３及び１．４で説明するアタッチ手続き及びデータの送信手続き内で送受信する制御メッセージに含まれる識別情報及びまたは制御情報及び又はフラグ及び又はパラメータを記憶してもよい。
【０２８３】
記憶部＿Ｅ１９４０は、図に示すように、コンテキストＡ１９４２と、コンテキストＢ１９４４と、コンテキストＣ１９４６と、コンテキストＤ１９４８を記憶する。
【０２８４】
コンテキストＡ１９４２は、図６に示すＭＭＥコンテキスト６４２であってよい。また、コンテキストＢ１９４４は、図６に示すセキュリティーコンテキスト６４８であってよい。また、コンテキストＣ１９４６は、図６に示すＭＭＥ緊急構成データ６５０であってよい。
また、コンテキストＤ１９４８は、図１３に示すＥＰＳベアラコンテキスト１３４２であってよい。また、コンテキストＥ１９５０は、図１６に示すＥＰＳベアラコンテキスト１６４２であってよい。
【０２８５】
なお、コンテキストＡ１９４２〜コンテキストＥ１９５０に同じ情報要素が含まれる場合、必ずしも重複して記憶部＿Ｅ１９４０で記憶される必要はなく、いずれかのコンテキストに記憶されていれば良い。
【０２８６】
具体的には、例えば、ＩＭＳＩは、コンテキストＡ１９４２と、コンテキストＤ１９４８と、コンテキストＥ１９５０のそれぞれに含まれてもよいし、いずれかのコンテキストに記憶されていてもよい。
【０２８７】
［１．２．６．ＵＥの構成］
図２０はＵＥ＿Ａ１０の装置構成を示す。図に示すように、ＵＥ＿Ａ１０は送受信部２０２０と、制御部２０００と記憶部２０４０で構成されている。送受信部２０２０と記憶部２０４０は制御部２０００と、バスを介して接続されている。
【０２８８】
制御部２０００はＵＥ＿Ａ１０を制御するための機能部である。制御部２０００は、記憶部２０４０に記憶されている各種プログラムを読みだして実行することにより各種処理を実現する。
【０２８９】
送受信部２０２０は、ＵＥ＿Ａ１０がＬＴＥ基地局に接続し、ＩＰアクセスネットワークへ接続するための機能部である。また、送受信部２０２０には、外部アンテナ２０１０が接続されている。
【０２９０】
記憶部２０４０は、ＵＥ＿Ａ１０の各動作に必要なプログラムや、データなどを記憶する機能部である。記憶部２０４０は、例えば、半導体メモリや、ＨＤＤ（Ｈａｒｄ  Ｄｉｓｋ  Ｄｒｉｖｅ）等により構成されている。
【０２９１】
記憶部２０４０は、図に示すように、ＵＥコンテキスト２０４２を記憶する。以下、記憶部２０４０で記憶される情報要素について説明する。
【０２９２】
図２０は、ＵＥごとに記憶されるＵＥコンテキストに含まれる情報要素を示す。図に示すように、ＵＥごとに記憶されるＵＥコンテキストは、ＩＭＳＩ、ＥＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ｌａｓｔ
ｖｉｓｉｔｅｄ  ＴＡＩ、Ｓｅｌｅｃｔｅｄ  ＮＡＳ  Ａｌｇｏｒｉｔｈｍ、Ｓｅｌｅｃｔｅｄ  ＡＳ  Ａｌｇｏｒｉｔｈｍ、ｅＫＳＩ、Ｋ＿ＡＳＭＥ、ＮＡＳ  Ｋｅｙｓ  ａｎｄ  ＣＯＵＮＴ、ＴＩＮ、ＵＥ  Ｓｐｅｃｉｆｉｃ  ＤＲＸ  Ｐａｒａｍｅｔｅｒｓ、
Ａｌｌｏｗｅｄ  ＣＳＧ  ｌｉｓｔ、Ｏｐｅｒａｔｏｒ  ＣＳＧ  ｌｉｓｔを含める。
【０２９３】
ＩＭＳＩは、加入者の永久的な識別情報である。
【０２９４】
ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、またはＵＥがネットワークに登録されていないＥＭＭ−ＤＥＲＥＧＩＳＴＥＲＤ（非登録状態、ｄｅｒｅｇｉｓｔｅｒｅｄ状態）であってもよい。
【０２９５】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０２９６】
ＭＥ  Ｉｄｅｎｔｉｔｙは、ＭＥのＩＤであり、例えば、ＩＭＥＩ／ＩＭＩＳＶであってもよい。
【０２９７】
Ｔｒａｃｋｉｎｇ  Ａｒｅａ  Ｌｉｓｔは、ＵＥに割り当てたトラッキングエリア識別情報のリストである。
【０２９８】
ｌａｓｔ  ｖｉｓｉｔｅｄ  ＴＡＩはＴｒａｃｋｉｎｇ  Ａｒｅａ  Ｌｉｓｔに含まれるトラッキングエリア識別情報であり、ＵＥが訪れた最新のトラッキングエリアの識別情報である。
【０２９９】
Ｓｅｌｅｃｔｅｄ  ＮＡＳ  Ａｌｇｏｒｉｔｈｍは、ＮＡＳの選択されたセキュリティーアルゴリズムである。
【０３００】
Ｓｅｌｅｃｔｅｄ  ＡＳ  Ａｌｇｏｒｉｔｈｍは、ＡＳの選択されたセキュリティーアルゴリズムである。
【０３０１】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【０３０２】
Ｋ＿ＡＳＭＥは、鍵ＣＫとＩＫに基づき生成される、Ｅ−ＵＴＲＡＮの鍵階層化の鍵である。
【０３０３】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴにより構成される。Ｋ＿ＮＡＳｉｎｔは、ＵＥとＭＭＥ間の暗号化のための鍵であり、Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【０３０４】
ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）は、アタッチ手続きや、ＲＡＵ／ＴＡＵ（位置情報更新手続き）においてＵＥの中で使用される一時的な識別情報である。
【０３０５】
ＵＥ  Ｓｐｅｃｉｆｉｃ  ＤＲＸ  Ｐａｒａｍｅｔｅｒｓは、選択されたＵＥのＤＲＸ（Ｄｉｓｃｏｎｔｉｎｕｏｕｓ  Ｒｅｃｅｐｔｉｏｎ）サイクル長である。
【０３０６】
Ａｌｌｏｗｅｄ  ＣＳＧ  ｌｉｓｔは、ユーザとオペレータ両方の制御の下に、許可されたＵＥが属するメンバーのＣＳＧ  ＩＤと関連付けられたＰＬＭＮのリストである。
【０３０７】
Ｏｐｅｒａｔｏｒ  ＣＳＧ  ｌｉｓｔは、オペレータのみの制御の下に、許可されたＵＥが属するメンバーのＣＳＧ  ＩＤと関連付けられたＰＬＭＮのリストである。
【０３０８】
次に、図２１（ｃ）に送受信可能状態に記憶されるＵＥコンテキストを示す。送受信可能状態に関しては後述する。ＰＤＮコネクション確立時には、送受信可能状態に記憶されるＵＥコンテキストはＰＤＮコネクションごとに記憶されてもよい。図に示すように、送受信可能状態に記憶されるＵＥコンテキストは、ＡＰＮ  ｉｎ  Ｕｓｅ、ＡＰＮ−ＡＭＢＲ、Ａｓｓｉｇｎｅｄ  ＰＤＮ  Ｔｙｐｅ、ＩＰ  Ａｄｄｒｅｓｓ、Ｄｅｆａｕｌｔ  Ｂｅａｒｅｒ、ＷＬＡＮ  ｏｆｆｌｏａｄａｂｉｌｉｔｙを含める。
【０３０９】
ＡＰＮ  ｉｎ  Ｕｓｅは、最近使用されたＡＰＮである。このＡＰＮは、ネットワークの識別情報と、デフォルトのオペレータの識別情報とで構成されてよい。
【０３１０】
ＡＰＮ−ＡＭＢＲは、Ｎｏｎ−ＧＢＲベアラ（非保障ベアラ）を共有するための上り通信および下り通信のＭＢＲの最大値を示す。ＡＰＮ−ＡＭＢＲは、ＡＰＮごとに確立される。
【０３１１】
Ａｓｓｉｇｎｅｄ  ＰＤＮ  Ｔｙｐｅは、ネットワークから割り当てられたＰＤＮのタイプである。Ａｓｓｉｇｎｅｄ  ＰＤＮ  Ｔｙｐｅは、例えば、ＩＰｖ４や、ＩＰｖ６や、ＩＰｖ４ｖ６であってよい。
【０３１２】
ＩＰ  Ａｄｄｒｅｓｓは、ＵＥに割り当てられたＩＰアドレスであり、ＩＰｖ４アドレス、またはＩＰｖ６  ｐｒｅｆｉｘであってよい。
【０３１３】
Ｄｅｆａｕｌｔ  Ｂｅａｒｅｒは、ＰＤＮコネクション確立時に、ＰＤＮコネクションでのデフォルトベアラを識別するＥＰＳベアラ識別情報である。
【０３１４】
ＷＬＡＮ  ｏｆｆｌｏａｄａｂｉｌｉｔｙは、ＷＬＡＮと３ＧＰＰ間のインターワーキング機能を用いてＷＬＡＮへオフロードすることを許可するか、または３ＧＰＰアクセスを維持するかどうかを示すＷＬＡＮオフロードの許可情報である。
【０３１５】
図２０（ｄ）は、ＵＥの記憶部で記憶されるベアラごとのＵＥコンテキストを示す。図に示すように、ベアラごとのＵＥコンテキストは、ＥＰＳ  Ｂｅａｒｅｒ  ＩＤ、ＴＩ、ＥＰＳ  ｂｅａｒｅｒ  ＱｏＳ、ＴＦＴを含める。
【０３１６】
ＥＰＳ  Ｂｅａｒｅｒ  ＩＤは、ベアラの識別情報である。
【０３１７】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０３１８】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０３１９】
［１．３．通信手続きの説明］
次に、本実施形態における通信手続きを図２２を用いて説明する。
【０３２０】
本実施形態における通信手続きは、アタッチ手続き（Ｓ２２００）と、送受信手段の選
択処理（Ｓ２２０２）と、第１の送受信手続き（Ｓ２２０４）と、第２の送受信手続き（Ｓ２２０６）と、第３の送受信手続き（Ｓ２２０８）から構成されてよい。
【０３２１】
なお、第１の送受信手続き（Ｓ２２０４）及び又は、第２の送受信手続き（Ｓ２２０６）及び又は、第３の送受信手続き（Ｓ２２０８）は条件に応じて省略可能である。各手続きが実行される条件や処理の詳細を以下で説明する。
【０３２２】
ここで、各手続きの詳細手順を説明する前に、重複説明を避けるために本実施形態特有の用語や、各手続きに用いる主要な識別情報を予め説明する。
【０３２３】
本実施形態におけるコネクションレスの通信とは、ＵＥ＿Ａ１０がデータパケットを含むＮＡＳ（Ｎｏｎ  Ａｃｃｅｓｓ  Ｓｔｒａｔｕｍ）メッセージをＲＲＣ（Ｒａｄｉｏ  Ｒｓｏｕｒｃｅ  Ｃｏｎｔｒｏｌ)メッセージに含めてｅＮＢ＿Ａ４５に送信する処理を
少なくとも行う通信であってよい。及び、又は、ＲＲＣコネクションを確立することなくＵＥ＿Ａ１０とｅＮＢ＿Ａ４５との間でデータパケットの送受信を行う通信であってよい。及び、又は、ＵＥ＿Ａ１０がアイドル状態においてデータパケットの送受信を行う通信であってよい。
【０３２４】
また、本実施形態におけるアクティブモードとは、ＵＥ＿Ａ１０、及び又はｅＮＢ＿Ａ４５、及び又はＣ−ＳＧＮ＿Ａ９５が、ＤＲＢ（Ｄａｔａ  Ｒａｄｉｏ  Ｂｅａｒｅｒ）、及び又はＤｅｆａｕｌｔ Ｂｅａｒｅｒ、及び又はＰＤＮコネクションを確立して、ユ
ーザデータの送受信が可能な状態を示すモードであってもよい。
【０３２５】
なお、本実施形態におけるＤＲＢとは、ユーザデータの送受信のために確立する無線ベアラ等の通信路であってよい。
【０３２６】
また、本実施形態におけるＰＤＮコネクションとは、ＵＥ＿Ａ１０とＣ−ＳＧＮ＿Ａ９５との間に確立するユーザデータ送受信のためのコネクションであってよい。
【０３２７】
また、本実施形態におけるアイドルモードとは、ＵＥ＿Ａ１０、及び又はｅＮＢ＿Ａ４５、及び又はＣ−ＳＧＮ＿Ａ９５が、ＤＲＢ、及び又はＤｅｆａｕｌｔ Ｂｅａｒｅｒ、
及び又はＰＤＮコネクションのリソースを解放し、ユーザデータの送受信ができない状態を示すモードであってもよい
なお、本実施形態におけるアイドルモードでは、ＵＥ＿Ａ１０、及び又はｅＮＢ＿Ａ４５、及び又はＣ−ＳＧＮ＿Ａ９５が、ＤＲＢ、及び又はＤｅｆａｕｌｔ Ｂｅａｒｅｒ、
及び又はＰＤＮコネクションのためのコンテキストを保持し続けることを示すモードであってもよい。
【０３２８】
また、本実施形態における送受信可能状態とは、ＵＥ＿Ａ１０とＰＤＮ＿Ａ５との間でユーザデータの送受信が可能な状態のことである。
【０３２９】
より詳細には、送受信可能状態とは、ＵＥ＿Ａ１０、及び又はＰＤＮ＿Ａ５、及び又はｅＮＢ＿Ａ４５、及び又はＣ−ＳＧＮ＿Ａ９５がユーザデータの送受信を行う状態であってよい。
【０３３０】
なお、送受信可能状態には、第１のモードと、第２のモードと、第３のモードと、第４のモードがあってもよい。
【０３３１】
ここで、第１のモードとは、ＵＥ＿Ａ１０、及び又はｅＮＢ＿Ａ４５、及び又はＣ−ＳＧＮ＿Ａ９５がコネクションレスにユーザデータを送受信するモードであってもよい。
【０３３２】
さらに、第１のモードは、ＵＥ＿Ａ１０、及び又はｅＮＢ＿Ａ４５がＲＲＣコネクションを確立せずにユーザデータを送受信するモードであってもよい。
【０３３３】
さらに、第１のモードは、ＵＥ＿Ａ１０、及び又はＣ−ＳＧＮ＿Ａ９５がＮＡＳメッセージに含めてユーザデータを送受信するモードであってもよい。
【０３３４】
さらに、第１のモードは、ＵＥ＿Ａ１０、及び又はｅＮＢ＿Ａ４５がＲＲＣメッセージに含めてユーザデータを送受信するモードであってもよい。
【０３３５】
さらに、第１のモードは、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信するモードであってもよい。なお、ＮＡＳ  ＰＤＵは、ＮＡＳメッセージにユーザデータを含めた制御メッセージであってもよい。
【０３３６】
さらに、第１のモードは、ＵＥ＿Ａ１０、及び又はｅＮＢ＿Ａ４５がＳＲＢ（Ｓｉｇｎａｌｌｉｎｇ  Ｒａｄｉｏ  Ｂｅａｒｅｒ）を用いてユーザデータを送受信するモードであってもよい。
【０３３７】
さらに、第１のモードは、ＵＥ＿Ａ１０、及び又はｅＮＢ＿Ａ４５がＣＲＢ（Ｃｏｎｔｒｏｌ  Ｓｉｇｎａｌｌｉｎｇ  Ｒａｄｉｏ  Ｂｅａｒｅｒ）を用いてユーザデータを送受信するモードであってもよい。
【０３３８】
なお、ＳＲＢ及びＣＲＢは、制御メッセージの送受信に用いられる無線ベアラ等の通信路であってよい。
【０３３９】
さらに、第１のモードは、ＵＥ＿Ａ１０、及び又はｅＮＢ＿Ａ４５、及び又はＣ−ＳＧＮ＿Ａ９５が制御情報送受信するベアラを用いてユーザデータを送受信するモードであってもよい。
【０３４０】
なお、第１のモードの場合、ＵＥ＿Ａ１０、及び又はｅＮＢ＿Ａ４５、及び又はＣ−ＳＧＮ＿Ａ９５は、第１の送受信手続きを用いてユーザデータを送受信してもよい。
【０３４１】
第２のモードとは、ＵＥ＿Ａ１０、及び又はｅＮＢ＿Ａ４５、及び又はＣ−ＳＧＮ＿Ａ９５がコネクションを確立してユーザデータを送受信するモードであってもよい。
【０３４２】
さらに、第２のモードは、ＵＥ＿Ａ１０、及び又はｅＮＢ＿Ａ４５がＲＲＣコネクションを確立してユーザデータを送受信するモードであってもよい。
【０３４３】
さらに、第２のモードは、ＵＥ＿Ａ１０、及び又はｅＮＢ＿Ａ４５、及び又はＣ−ＳＧＮ＿Ａ９５がＰＤＮコネクションを確立してユーザデータを送受信するモードであってもよい。
【０３４４】
さらに、第２のモードは、ＵＥ＿Ａ１０、及び又はｅＮＢ＿Ａ４５がＤＲＢ（Ｄａｔａ
Ｒａｄｉｏ  Ｂｅａｒｅｒ）を用いてユーザデータを送受信するモードであってもよい。
【０３４５】
さらに、第２のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信するモードであってもよい。
【０３４６】
さらに、第２のモードは、ＵＥ＿Ａ１０、及び又はｅＮＢ＿Ａ４５、及び又はＣ−ＳＧＮ＿Ａ９５がデフォルトベアラを確立してユーザデータを送受信するモードであってもよい。
【０３４７】
さらに、第２のモードは、ＵＥ＿Ａ１０、及び又はｅＮＢ＿Ａ４５、及び又はＣ−ＳＧＮ＿Ａ９５がアイドルモードに遷移してもコンテキストは保持し続けるモードであってもよい。
【０３４８】
さらに、第２のモードは、ＵＥ＿Ａ１０、及び又はｅＮＢ＿Ａ４５がＲＲＣの第３のメッセージにＮＡＳメッセージを入れて送受信することができるモードであってもよい。
【０３４９】
なお、第２のモードの場合、ＵＥ＿Ａ１０、及び又はｅＮＢ＿Ａ４５、及び又はＣ−ＳＧＮ＿Ａ９５は、第２の送受信手続きを用いてユーザデータを送受信してもよい。
【０３５０】
第３のモードとは、ＵＥ＿Ａ１０、及び又はｅＮＢ＿Ａ４５、及び又はＣ−ＳＧＮ＿Ａ９５がコネクションレスにユーザデータを送受信するモードであってもよく、コネクションを確立してユーザデータを送受信するモードであってもよい。
【０３５１】
さらに、第３のモードは、ＵＥ＿Ａ１０、及び又はｅＮＢ＿Ａ４５がＲＲＣコネクションを確立せずにユーザデータを送受信するモードであってもよい。
【０３５２】
さらに、第３のモードは、ＵＥ＿Ａ１０、及び又はＣ−ＳＧＮ＿Ａ９５がＮＡＳメッセージに含めてユーザデータを送受信するモードであってもよい。
【０３５３】
さらに、第３のモードは、ＵＥ＿Ａ１０、及び又はｅＮＢ＿Ａ４５がＲＲＣメッセージに含めてユーザデータを送受信するモードであってもよい。
【０３５４】
さらに、第１のモードは、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信するモードであってもよい。
【０３５５】
さらに、第３のモードは、ＵＥ＿Ａ１０、及び又はｅＮＢ＿Ａ４５がＳＲＢ（Ｓｉｇｎａｌｌｉｎｇ  Ｒａｄｉｏ  Ｂｅａｒｅｒ）を用いてユーザデータを送受信するモードであってもよい。
【０３５６】
さらに、第３のモードは、ＵＥ＿Ａ１０、及び又はｅＮＢ＿Ａ４５がＣＲＢ（Ｃｏｎｔｒｏｌ  Ｓｉｇｎａｌｌｉｎｇ  Ｒａｄｉｏ  Ｂｅａｒｅｒ）を用いてユーザデータを送受信するモードであってもよい。
【０３５７】
さらに、第３のモードは、ＵＥ＿Ａ１０、及び又はｅＮＢ＿Ａ４５、及び又はＣ−ＳＧＮ＿Ａ９５が制御情報送受信するベアラを用いてユーザデータを送受信するモードであってもよい。
【０３５８】
さらに、第３のモードは、ＵＥ＿Ａ１０、及び又はｅＮＢ＿Ａ４５がＲＲＣコネクションを確立してユーザデータを送受信するモードであってもよい。
【０３５９】
さらに、第３のモードは、ＵＥ＿Ａ１０、及び又はｅＮＢ＿Ａ４５、及び又はＣ−ＳＧＮ＿Ａ９５がＰＤＮコネクションを確立してユーザデータを送受信するモードであってもよい。
【０３６０】
さらに、第３のモードは、ＵＥ＿Ａ１０、及び又はｅＮＢ＿Ａ４５がＤＲＢ（Ｄａｔａ
Ｒａｄｉｏ  Ｂｅａｒｅｒ）を用いてユーザデータを送受信するモードであってもよい。
【０３６１】
さらに、第３のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信するモードであってもよい。
【０３６２】
さらに、第３のモードは、ＵＥ＿Ａ１０、及び又はｅＮＢ＿Ａ４５、及び又はＣ−ＳＧＮ＿Ａ９５がデフォルトベアラを確立してユーザデータを送受信するモードであってもよい。
【０３６３】
さらに、第３のモードは、ＵＥ＿Ａ１０、及び又はｅＮＢ＿Ａ４５、及び又はＣ−ＳＧＮ＿Ａ９５がアイドルモードに遷移してもコンテキストは保持し続けるモードであってもよい。
【０３６４】
さらに、第３のモードは、ＵＥ＿Ａ１０、及び又はｅＮＢ＿Ａ４５がＲＲＣの第３のメッセージにＮＡＳメッセージを入れて送受信することができるモードであってもよい。
【０３６５】
なお、第３のモードの場合、ＵＥ＿Ａ１０、及び又はｅＮＢ＿Ａ４５、及び又はＣ−ＳＧＮ＿Ａ９５は、第１の送受信手続き、及び又は第２の送受信手続きを用いてユーザデータを送受信してもよい。
【０３６６】
第４のモードとは、ＵＥ＿Ａ１０、及び又はｅＮＢ＿Ａ４５、及び又はＣ−ＳＧＮ＿Ａ９５がコネクションを確立してユーザデータを送受信するモードであってもよい。 
【０３６７】
さらに、第４のモードは、ＵＥ＿Ａ１０、及び又はｅＮＢ＿Ａ４５がＲＲＣコネクションを確立してユーザデータを送受信するモードであってもよい。
【０３６８】
さらに、第４のモードは、ＵＥ＿Ａ１０、及び又はｅＮＢ＿Ａ４５、及び又はＣ−ＳＧＮ＿Ａ９５がＰＤＮコネクションを確立してユーザデータを送受信するモードであってもよい。 
【０３６９】
さらに、第４のモードは、ＵＥ＿Ａ１０、及び又はｅＮＢ＿Ａ４５がＤＲＢを用いてユーザデータを送受信するモードであってもよい。
【０３７０】
さらに、第４のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信するモードであってもよい。
【０３７１】
さらに、第４のモードは、ＵＥ＿Ａ１０、及び又はｅＮＢ＿Ａ４５、及び又はＣ−ＳＧＮ＿Ａ９５がデフォルトベアラを確立してユーザデータを送受信するモードであってもよい。
【０３７２】
さらに、第４のモードは、ＵＥ＿Ａ１０、及び又はｅＮＢ＿Ａ４５、及び又はＣ−ＳＧＮ＿Ａ９５が２本以上のベアラを確立してユーザデータを送受信するモードであってもよい。
【０３７３】
さらに、第４のモードは、ＵＥ＿Ａ１０、及び又はｅＮＢ＿Ａ４５、及び又はＣ−ＳＧ
Ｎ＿Ａ９５がアイドルモードに遷移したらコンテキストは破棄するモードであってもよい。
【０３７４】
さらに、第４のモードは、ＵＥ＿Ａ１０、及び又はｅＮＢ＿Ａ４５がＲＲＣの第３のメッセージにＮＡＳメッセージを入れて送受信することができないモードであってもよい。
【０３７５】
なお、第４のモードの場合、ＵＥ＿Ａ１０、及び又はｅＮＢ＿Ａ４５、及び又はＣ−ＳＧＮ＿Ａ９５は、第３の送受信手続きを用いてユーザデータを送受信してもよい。
【０３７６】
本実施形態における第１の識別情報は、アタッチ手続きを行うＵＥ＿Ａ１０がＣＩｏＴ（Ｃｅｌｌｕｌａｒ  Ｉｎｔｅｒｎｅｔ  ｏｆ  Ｔｈｉｎｇｓ）端末であることを示す情報であってもよい。
【０３７７】
及び／又は、第１の識別情報は、ＣＩｏＴ端末によるアタッチを示すアタッチ種別を示す情報であってもよい。なお、アタッチ種別を示す情報は、アタッチタイプ（Ａｔｔａｃｈ  ｔｙｐｅ）であってもよい。また、ＣＩｏＴ端末によるアタッチを示すアタッチタイプはＣＩｏＴアタッチであってもよい。及び又は、ＩｏＴ（Ｉｎｔｅｒｎｅｔ  ｏｆ  Ｔｈｉｎｇｓ）のために最適化されたシステムへ接続することを要求するアタッチタイプを示す情報であってよい。
【０３７８】
なお、ＣＩｏＴ端末によるアタッチは、ｅＮＢ＿Ａ４５がＣＩｏＴのために最適化されたＣ−ＳＧＮ＿Ａ９５を選択し、ＵＥ＿Ａ１０が選択されたＣ−ＳＧＮ＿Ａ９５に接続することを目的としたアタッチであってもよい。
【０３７９】
及び／又は、第１の識別情報は、ＵＥ＿Ａ１０がＣＩｏＴ、及び又はＩｏＴのために最適化されたシステムへ接続すること要求することを示す情報であってもよい。
【０３８０】
及び／又は、第１の識別情報は、ＵＥ＿Ａ１０がＣＩｏＴ端末の能力を有することを示す情報であってもよい。なお、ＵＥ＿Ａ１０がＣＩｏＴ端末の能力を有することを示す情報は、ＵＥ  Ｃａｐａｂｉｌｉｔｙであってもよい。
【０３８１】
及び／又は、第１の識別情報は、制御メッセージを送受信するための無線ベアラを用いてユーザデータを送信する端末能力を有することを示す情報であってよい。
【０３８２】
及び／又は、第１の識別情報は、ＵＥ＿Ａ１０が第１の送受信手続きによるユーザデータの送受信を行うことを示す情報であってもよい。
【０３８３】
及び／又は、第１の識別情報は、制御メッセージを送受信するための無線ベアラを用いてユーザデータを送信することを要求することを示す情報であってよい。より具体的には、ＵＥ＿Ａ１０が第１の送受信手続きによるユーザデータの送受信を行うことに対する許可を要求することを示す情報であってもよい。
【０３８４】
及び／又は、第１の識別情報は、ＵＥ＿Ａ１０が第１の送受信手続きによるユーザデータの送受信を行うことを要求すること示す情報であってもよい。
【０３８５】
及び／又は、第１の識別情報は、ＮＡＳメッセージに含めてユーザデータを送受信することを示す情報であってよい。  及び／又は、第１の識別情報は、ＮＡＳメッセージに含めてユーザデータを送受信することを要求することを示す情報であってよい。
【０３８６】
及び／又は、第１の識別情報は、ＲＲＣメッセージに含めてユーザデータを送受信する
ことを示す情報であってよい。
【０３８７】
及び／又は、第１の識別情報は、ＲＲＣメッセージに含めてユーザデータを送受信することを要求することを示す情報であってよい。
【０３８８】
及び／又は、第１の識別情報は、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信することを示す情報であってよい。
【０３８９】
及び／又は、第１の識別情報は、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信することを要求することを示す情報であってよい。
【０３９０】
なお、ＮＡＳ  ＰＤＵは、ＮＡＳメッセージにユーザデータを含めた制御メッセージであってもよい。
【０３９１】
本実施形態における第２の識別情報は、ＣＩｏＴ端末によるアタッチを示すアタッチ種別を示す情報によるアタッチを許可することを示す情報であってもよい。
【０３９２】
及び／又は、第２の識別情報は、制御メッセージを送受信するための無線ベアラを用いてユーザデータの送受信を行うことができるネットワーク能力を有することを示すネットワーク機能情報（Ｎｅｔｗｏｒｋ  Ｃａｐａｂｉｌｉｔｙ  Ｉｎｆｏｒｍａｔｉｏｎ）であってよい。より具体的には、Ｃ−ＳＧＮ＿Ａ９５、及び又はコアネットワーク＿Ａ９０がＣＩｏＴ端末と接続する能力を有することを示す情報であってもよい。なお、Ｃ−ＳＧＮ＿Ａ９５、及び又はコアネットワーク＿Ａ９０がＣＩｏＴ端末と接続する能力を有することを示す情報はＮＷ  Ｃａｐａｂｉｌｉｔｙであってもよい。
【０３９３】
及び／又は、第２の識別情報は、Ｃ−ＳＧＮ＿Ａ９５が第１の送受信手続きによるユーザデータの送受信を行うことを示す情報であってもよい。
【０３９４】
及び／又は、第２の識別情報は、制御メッセージを送受信するための無線ベアラを用いてユーザデータを送信すること許可することを示す情報であってよい。より具体的には、Ｃ−ＳＧＮ＿Ａ９５が第１の送受信手続きによるユーザデータの送受信を行うことを許可することを示す情報であってもよい。
【０３９５】
及び／又は、第２の識別情報は、ＩｏＴのために最適化されたシステムへ接続したことを示す情報であってよい。
【０３９６】
本実施形態における第３の識別情報は、ユーザデータ送受信用の無線ベアラを確立してユーザデータの送受信を行うことができるネットワーク能力を有することを示すＵＥ機能情報（ＵＥ  Ｃａｐａｂｉｌｉｔｙ  Ｉｎｆｏｒｍａｔｉｏｎ）であってよい。より具体的には、ＵＥ＿Ａ１０が第２の送受信手続きによるユーザデータの送受信を行うための機能を有することを示すＵＥ機能情報であってもよい。
【０３９７】
及び／又は、第３の識別情報は、ＵＥ＿Ａ１０が第２の送受信手続きによるユーザデータの送受信を行うことを示す情報であってもよい。
【０３９８】
及び／又は、第３の識別情報は、ユーザデータ送受信用の無線ベアラを確立してユーザデータの送受信することを要求することを示す情報であってよい。より具体的には、ＵＥ＿Ａ１０が第２の送受信手続きによるユーザデータの送受信を行うことに対する許可を要
求することを示す情報であってもよい。
【０３９９】
及び／又は、第３の識別情報は、ＵＥ＿Ａ１０が第２の送受信手続きによるユーザデータの送受信を行うことを要求すること示す情報であってもよい。
【０４００】
及び／又は、第３の識別情報は、前記第１の状態遷移を行うことができる端末能力を有することを示す情報、及び又は、前記第１の状態遷移を行うことを要求することを示す情報であってよい。なお、第１の状態遷移とは、後述するレジュームＩＤ（Ｒｅｓｕｍｅ  ＩＤ）に基づいてアクティブ状態とアイドル状態を遷移する状態遷移であってよい。
【０４０１】
本実施形態における第４の識別情報は、ユーザデータ送受信用の無線ベアラを確立してユーザデータの送受信を行うことができるネットワーク能力を有することを示すネットワーク機能情報（Ｎｅｔｗｏｒｋ  Ｃａｐａｂｉｌｉｔｙ  Ｉｎｆｏｒｍａｔｉｏｎ）であってよい。より具体的には、Ｃ−ＳＧＮ＿Ａ９５、及び又はコアネットワーク＿Ａ９０が第２の送受信手続きによるユーザデータの送受信を行うための機能を有することを示すネットワーク機能情報であってもよい。
【０４０２】
及び／又は、第４の識別情報は、Ｃ−ＳＧＮ＿Ａ９５が第２の送受信手続きによるユーザデータの送受信を行うことを示す情報であってもよい。
【０４０３】
及び／又は、第４の識別情報は、ユーザデータ送受信用の無線ベアラを確立してユーザデータの送受信することを許可することを示す情報であってよい。より具体的には、Ｃ−ＳＧＮ＿Ａ９５が第２の送受信手続きによるユーザデータの送受信を行うことを許可することを示す情報であってもよい。
【０４０４】
及び／又は、第４の識別情報は、第１の状態遷移を行うことができるネットワーク能力を有することを示す情報、及び又は、前記第１の状態遷移を行うことを許可することを示す情報であってよい。なお、第１の状態遷移とは、後述するレジュームＩＤに基づいてアクティブ状態とアイドル状態を遷移する状態遷移であってよい。
【０４０５】
本実施形態における第５の識別情報は、ｅＮＢ＿Ａ４５が第２の送受信手続きによるユーザデータの送受信を行うための機能を有することを示す情報であってもよい。なお、ｅＮＢ＿Ａ４５が第２の送受信手続きによるユーザデータの送受信を行うための機能を有することを示す情報は、ｅＮＢ  Ｃａｐａｂｉｌｉｔｙであってもよい。
【０４０６】
及び／又は、第５の識別情報は、ｅＮＢ＿Ａ４５が第２の送受信手続きによるユーザデータの送受信を行うことを示す情報であってもよい。
【０４０７】
及び／又は、第５の識別情報は、ｅＮＢ＿Ａ４５が第２の送受信手続きによるユーザデータの送受信を行うことを許可することを示す情報であってもよい。
【０４０８】
及び／又は、第５の識別情報は、ｅＮＢ＿Ａ４５が第２の送受信手続きによるユーザデータの送受信を行うことを要求すること示す情報であってもよい。
【０４０９】
本実施形態における第６の識別情報は、ＵＥ＿Ａ１０が割り当て要求するＰＤＮアドレス（ＰＤＮ  Ａｄｄｒｅｓｓ）の種類を示す情報であってもよい。ＰＤＮアドレスの種類を示す情報は、ＰＤＮタイプ（ＰＤＮ  Ｔｙｐｅ）であってもよい。ＰＤＮタイプはＩＰｖ４を示す情報あってよく、ＩＰｖ６を示す情報であってよく、ＩＰｖ４ｖ６を示す情報であってもよい。
【０４１０】
及び／又は、第６の識別情報は、アタッチ手続きにおいてＤＲＢ（Ｄａｔａ  Ｒａｄｉｏ  Ｂｅａｒｅｒ）、及び又はＤｅｆａｕｌｔ Ｂｅａｒｅｒを確立することを要求する
こと示す情報であってもよい。
【０４１１】
本実施形態における第７の識別情報は、Ｃ−ＳＧＮ＿Ａ９５がＵＥ＿Ａ１０に対して割り当てたＰＤＮアドレスを示す情報であってもよい。ＰＤＮアドレスは、ＩＰｖ４アドレス（ＩＰｖ４  Ａｄｄｒｅｓｓ）であってよく、ＩＰｖ６アドレス（ＩＰｖ６  Ａｄｄｒｅｓｓ）の下位６４ビットの情報を示すインターフェースＩＤ（Ｉｎｔｅｒｆａｃｅ  Ｉｄｅｎｔｉｆｉｅｒ）であってよく、ＩＰｖ４アドレス及びＩＰｖ６のインターフェースＩＤの両方を含むものであってもよい。
【０４１２】
より具体的には、ＰＤＮアドレスは、ＩＰｖ４アドレスを含めるＩＰｖ４アドレスフィールド及び又はＩＰｖ６のインターフェースＩＤを含めるＩＰｖ６アドレスフィールドとで構成されてよい。
【０４１３】
なお、ＵＥ＿Ａ１０に対して割り当てたＰＤＮアドレスに、０．０．０．０のように全てゼロで示されるＩＰｖ４アドレス、及び又はなんらかのＩＰｖ６のインターフェースＩＤが含まれる場合、第７の識別情報は、ＵＥ＿Ａ１０がＩＰアドレスを取得するために、アタッチ手続きにおいてＤＲＢ（Ｄａｔａ  Ｒａｄｉｏ  Ｂｅａｒｅｒ）、及び又はＤｅｆａｕｌｔ Ｂｅａｒｅｒを確立することを許可すること示す情報として用いられても良
い。
【０４１４】
また、ＵＥ＿Ａ１０に対して割り当てたＰＤＮアドレスに、０．０．０．０のように全てゼロではなく、ＵＥ＿Ａ１０が使用するＩＰｖ４アドレスが含まれ、且つＩＰｖ６インターフェースＩＤが含まれていない場合には、第７の識別情報は、ＵＥ＿Ａ１０がＩＰアドレスを取得するために、アタッチ手続きにおいてＤＲＢ（Ｄａｔａ  Ｒａｄｉｏ  Ｂｅａｒｅｒ）、及び又はＤｅｆａｕｌｔ Ｂｅａｒｅｒを確立しないこと示す情報として用
いられても良い。この場合、第７の識別情報は、アタッチ手続き完了後にＩＰアドレスの取得が必要ではないと示す情報として用いられても良い。
【０４１５】
なお、ＰＤＮアドレスのＩＰｖ４アドレスフィールドに、０．０．０．０のように全てゼロを含める場合には、第７の識別情報は、ＵＥ＿Ａ１０に対してアタッチ手続き完了後にＤＨＣＰによりＩＰｖ４アドレスを取得することを指示又は要求する情報として用いられても良い。
【０４１６】
また、ＰＤＮアドレスのＩＰｖ６アドレスフィールドに、なんらかのＩＰｖ６のインターフェースＩＤが含まれる場合には、第７の識別情報は、ＵＥ＿Ａ１０に対してアタッチ手続き完了後にステートレスアドレス設定手続き等により、ＩＰｖ６アドレスを生成、取得のために、ＩＰｖ６アドレスの上位６４ビットの情報を示すＩＰｖ６プレフィックスを取得することを指示又は要求する情報として用いられても良い。
【０４１７】
本実施形態における第８の識別情報は、Ｃ−ＳＧＮ＿Ａ９５、及び又はコアネットワーク＿Ａ９０が第２の送受信手続きによるユーザデータの送受信を行うための機能を有していないことを示す情報であってもよい。なお、Ｃ−ＳＧＮ＿Ａ９５、及び又はコアネットワーク＿Ａ９０が第２の送受信手続きによるユーザデータの送受信を行うための機能を有していないことを示す情報は、ＮＷ  Ｃａｐａｂｉｌｉｔｙであってもよい。
【０４１８】
及び／又は、第８の識別情報は、Ｃ−ＳＧＮ＿Ａ９５が第２の送受信手続きによるユーザデータの送受信を行わないことを示す情報であってもよい。
【０４１９】
及び／又は、第８の識別情報は、Ｃ−ＳＧＮ＿Ａ９５が第２の送受信手続きによるユーザデータの送受信を行うことを許可しないことを示す情報であってもよい。
【０４２０】
本実施形態における第９の識別情報は、Ｃ−ＳＧＮ＿Ａ９５が第２の送受信手続きによるユーザデータの送受信を行わないことを決定した理由を示す情報であってもよい。
【０４２１】
及び／又は、第８の識別情報は、Ｃ−ＳＧＮ＿Ａ９５が第２の送受信手続きによるユーザデータの送受信を行うことを許可しないことを決定した理由を示す情報であってもよい。
【０４２２】
なお、第２の送受信手続きによるユーザデータの送受信を行わない、及び又は行うことを許可しないことを決定した理由は、ＥＭＭ  ｃａｕｓｅに含まれてもよい。
【０４２３】
本実施形態における第１０の識別情報は、デタッチ手続きを行うＵＥ＿Ａ１０がＣＩｏＴ端末であることを示す情報であってもよい。
【０４２４】
及び／又は、第１０の識別情報は、ＣＩｏＴ端末によるデタッチを示すデタッチ種別を示す情報であってもよい。なお、デタッチ種別を示す情報は、デタッチタイプ（Ｄｅｔａｃｈ  ｔｙｐｅ）であってもよい。また、ＣＩｏＴ端末によるデタッチを示すデタッチタイプはＣＩｏＴデタッチであってもよい。
【０４２５】
及び／又は、第１１の識別情報は、ＩｏＴ（のために最適化されたシステムへ接続を切断することを要求するデタッチタイプであってよい。
【０４２６】
及び／又は、ＣＩｏＴ端末によるデタッチは、ＣＩｏＴ端末用に接続されたＵＥ＿Ａ１０の接続を切断することを目的としたデタッチであってもよい。
【０４２７】
及び／又は、第１０の識別情報は、ＵＥ＿Ａ１０が第１の送受信手続き、及び又は第２の送受信手続きを用いてユーザデータの送受信している接続を切断することを示す情報であってもよい。
【０４２８】
及び／又は、第１０の識別情報は、ＵＥ＿Ａ１０が第１の送受信手続き、及び又は第２の送受信手続きを用いてユーザデータの送受信している接続を切断すること要求することを示す情報であってもよい。
【０４２９】
及び／又は、第１０の識別情報は、ＵＥ＿Ａ１０がＣＩｏＴ、及び又はＩｏＴのために最適化されたシステムへの接続を切断すること要求することを示す情報であってもよい。
【０４３０】
デタッチ手続きを行うＵＥ＿Ａ１０の送受信可能状態が、第１のモード、及び又は第２のモード、及び又は第３のモードであることを示す情報であってもよい。
【０４３１】
本実施形態における第１１の識別情報は、デタッチ手続きを行うＣ−ＳＧＮ＿Ａ９５がＣＩｏＴ端末と接続していることを示す情報であってもよい。
【０４３２】
及び／又は、第１１の識別情報は、ＣＩｏＴ端末によるデタッチを示すデタッチ種別を示す情報であってもよい。なお、デタッチ種別を示す情報は、デタッチタイプ（Ｄｅｔａｃｈ  ｔｙｐｅ）であってもよい。また、ＣＩｏＴ端末によるデタッチを示すデタッチタイプはＣＩｏＴデタッチであってもよい。
【０４３３】
なお、ＣＩｏＴ端末によるデタッチは、ＣＩｏＴ端末であるＵＥ＿Ａ１０の接続を切断
することを目的としたデタッチであってもよい。
【０４３４】
及び／又は、第１１の識別情報は、ＩｏＴ（のために最適化されたシステムへ接続を切断することを要求するデタッチタイプであってよい。
【０４３５】
及び／又は、第１１の識別情報は、Ｃ−ＳＧＮ＿Ａ９５が第１の送受信手続き、及び又は第２の送受信手続きを用いてユーザデータの送受信している接続を切断することを示す情報であってもよい。
【０４３６】
及び／又は、第１１の識別情報は、Ｃ−ＳＧＮ＿Ａ９５が第１の送受信手続き、及び又は第２の送受信手続きを用いてユーザデータの送受信している接続を切断すること要求することを示す情報であってもよい。
【０４３７】
デタッチ手続きを行うＣ−ＳＧＮ＿Ａ９５の送受信可能状態が、第１のモード、及び又は第２のモード、及び又は第３のモードであることを示す情報であってもよい。
【０４３８】
本実施形態における第１２の識別情報は、Ｃ−ＳＧＮ＿Ａ９５がデタッチ手続きをすること決定した理由を示す情報であってもよい。
【０４３９】
例えば、デタッチ手続きをすること決定した理由としては、加入者情報やオペレータポリシー等の変化に基づいて、ＵＥ＿Ａ１０、Ｃ−ＳＧＮ＿Ａ９５、及び又はｅＮＢ＿Ａ４５が第１のモード、及び又は第２のモード、及び又は第３のモードの送受信可能状態でいることが禁止されたことを示す情報であってよい。言い換えると、加入者情報やオペレータポリシー等の変化に基づいて、ＵＥ＿Ａ１０、Ｃ−ＳＧＮ＿Ａ９５、及び又はｅＮＢ＿Ａ４５が第１の送受信手続き、及び又は第２の送受信手続きでユーザデータの送受信をすることが禁止されたことを示す情報であってよい。
【０４４０】
及び／又は、第１２の識別情報は、第１の送受信手続き、及び又は第２の送受信手続きによるユーザデータの送受信が禁止された理由を示す情報であってもよい。
【０４４１】
Ｃ−ＳＧＮ＿Ａ９５がデタッチ手続きをすること決定した理由、第１の送受信手続き、及び又は第２の送受信手続きによるユーザデータの送受信が禁止された理由は、ＥＭＭ  ｃａｕｓｅに含まれてもよい。
【０４４２】
また、本実施形態において、第１から第１２の識別情報のうちの２つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。なお、識別情報は、フラグ又はパラメータとして構成される情報要素であってよい。
【０４４３】
［１．３．１．アタッチ手続き例］
まず、アタッチ手続きの例について説明する。なお、アタッチ手続きはＵＥ＿Ａ１０が主導して開始する手続きである。なお、正常系のアタッチ手続きでは、ＵＥ＿Ａ１０が、ネットワークへ接続するための手続きである。言い換えると、正常系のアタッチ手続きは、ｅＮＢ４５を含むアクセスネットワークに接続する手続きであり、さらに、アクセスネットワーク介してコアネットワークに接続する手続きである。また、ＵＥ＿Ａ１０は、正常系のアタッチ手続きにより、ＰＤＮ＿Ａ５との間でユーザデータの送受信を行う通信路を確立する。
なお、ＵＥ＿Ａ１０がアタッチ手続きを開始するトリガは、端末電源投入時などであってもよい。また、これに関わらずＵＥ＿Ａ１０はコアネットワーク＿Ａ９０に接続していな
い状態であれば任意のタイミングで開始もよい。また、ＵＥ＿Ａ１０は、コアネットワーク＿Ａ９０ネットワークへ接続すること、及び又はアタッチ手続きの完了に基づいて、送受信可能状態へ遷移してもよい。
【０４４４】
なお以下では、正常系のアタッチ手続きの詳細を、第１のアタッチ手続き例として説明する。
【０４４５】
また、異常系のアタッチ続きでは、ＵＥ＿Ａ１０が、アタッチ手続きの完了時にネットワークへ接続できていない手続きである。言い換えると、異常系のアタッチ手続きは、ＵＥ＿Ａ１０のネットワークへの接続の試みが失敗に終わる手続きであり、ＵＥ＿Ａ１０、及び又はＣ−ＳＧＮ＿Ａ９５が、ＵＥ＿Ａ１０がネットワークへ接続することを拒絶する手続きである。異常系のアタッチ手続き例の詳細は、第２のアタッチ手続き例及び第３のアタッチ手続き例として説明する。
【０４４６】
［１．３．１．１．第１のアタッチ手続き例］
以下、図２３を用いて第１のアタッチ手続きの手順の例を説明する。
【０４４７】
まず、ＵＥ＿Ａ１０はアタッチ要求メッセージをＣ−ＳＧＮ＿Ａ９５に送信する（Ｓ２３００）。なお、ＵＥ＿Ａ１０はアタッチ要求メッセージをｅＮＢ＿Ａ４５に送信し、送信されたアタッチ要求メッセージはｅＮＢ＿Ａ４５を介してＣ−ＳＧＮ＿Ａ９５に転送されてもよい。
【０４４８】
また、ＵＥ＿Ａ１０はＰＤＮ接続要求メッセージをアタッチ要求メッセージと共に送信してもよい。以下、本実施形態の説明では、アタッチ要求メッセージは、アタッチ要求メッセージ及びＰＤＮ接続要求メッセージを併せたものとして説明する。さらに、本実施形態の説明においてアタッチ要求メッセージに識別情報が含まれると表現した場合には、識別情報がアタッチ要求メッセージ及び又はＰＤＮ接続要求メッセージに含まれることを意味する。
【０４４９】
ＵＥ＿Ａ１０は、すくなくとも第１の識別情報、及び又は第３の識別情報、及び又は第６の識別情報をアタッチ要求メッセージに含めても良い。ＵＥ＿Ａ１０は、第１の識別情報、及び又は第３の識別情報を含めてアタッチ要求メッセージを送信することにより、送受信可能状態への遷移を要求してもよい。また、ｅＮＢ＿Ａ４５は、第５の識別情報をアタッチ要求メッセージ、及び又はアタッチ要求メッセージを転送するためのメッセージに含めてもよい。ｅＮＢ＿Ａ４５は、第５の識別情報をアタッチ要求メッセージ、及び又はアタッチ要求メッセージを転送するためのメッセージに含めて送信することにより、送受信可能状態への遷移を要求してもよい。
【０４５０】
ここで、第１の識別情報、及び又は第３の識別情報、及び又は第６の識別情報は、アタッチ要求メッセージに含めてＣ−ＳＧＮ＿Ａ９５に送信するのではなく、アタッチ手続き内でアタッチ要求とは異なる制御メッセージに含めて送信してもよい。
【０４５１】
例えば、アタッチ要求メッセージを送信したあと、ＵＥ＿Ａ１０はＥＳＭ（ＥＰＳ  Ｓｅｓｓｉｏｎ  Ｍａｎａｇｅｍｅｎｔ）情報の要求と、要求に基づく応答を行う制御メッセージの送受信手続きを実行してもよい（Ｓ２３０２）。
【０４５２】
より詳細には、Ｃ−ＳＧＮ＿Ａ９５は、ＥＳＭ要求メッセージをＵＥ＿Ａ１０に送信する。ＵＥ＿Ａ１０は、ＥＳＭ要求メッセージを受信し、応答メッセージをＣ−ＳＧＮ＿Ａ９５に送信する。この際、ＵＥ＿Ａ１０は、第１の識別情報、及び又は第３の識別情報、及び又は第６の識別情報を応答メッセージに含めて送信してもよい。
【０４５３】
ここで、ＵＥ＿Ａ１０は、ＥＳＭ応答メッセージを暗号化して送信してもよい。さらに、ＵＥ＿Ａ１０は、ＥＳＭ応答メッセージを暗号化する為の情報をＣ−ＳＧＮ＿Ａ９５から受信してもよい。Ｃ−ＳＧＮ＿Ａ９５は、アタッチ要求メッセージの受信に伴い、ＮＡＳメッセージを暗号化するための情報をＵＥ＿Ａ１０に送信してもよい。なお、ＮＡＳメッセージを暗号化するための情報を送信するＮＡＳメッセージは、Ｓｅｃｕｒｉｔｙ  Ｍｏｄｅ  Ｃｏｍｍａｎｄメッセージであってよい。
【０４５４】
Ｃ−ＳＧＮ＿Ａ９５は、アタッチ要求メッセージを受信する。さらに、アタッチ要求メッセージの受信、又はＥＳＭ応答メッセージの受信に基づいて、第１の識別情報、及び又は第３の識別情報、及び又は第５の識別情報、及び又は第６の識別情報を取得する。
【０４５５】
Ｃ−ＳＧＮ＿Ａ９５は、アタッチ要求メッセージに含まれる情報と、加入者情報と、Ｃ−ＳＧＮがもつ識別情報に基づいて、ＵＥ＿Ａ１０に対して送受信可能状態へ遷移することを決定してもよい。また、第１の識別情報、及び又は第３の識別情報、及び又は第５の識別情報、及び又は第６の識別情報、及び又は加入者情報、及び又は第２の識別情報、及び又は第４の識別情報に基づいて、遷移する送受信可能状態を決定してもよい。
【０４５６】
例えば、第１の識別情報、及び又は第３の識別情報、及び又は第５の識別情報、及び又は第２の識別情報、及び又は第４の識別情報の有無に基づいて、Ｃ−ＳＧＮ＿Ａ９５は、遷移する送受信可能状態の承認と決定を行う。より詳細には、Ｃ−ＳＧＮ＿Ａ９５は、第１の識別情報、及び又は第３の識別情報、及び又は第５の識別情報、及び又は第２の識別情報、及び又は第４の識別情報に基づいて、遷移する送受信可能状態が第１のモードであるか、第２のモードであるか、第３のモードであるか、第４のモードであるかを承認、決定してもよい。以下では、上述した承認、決定処理を第１の決定と表現して説明する。
【０４５７】
より詳細には、Ｃ−ＳＧＮ＿Ａ９５は、アタッチ要求に第１の識別情報、及び第３の識別情報、及び第５の識別情報が含まれる、且つＣ−ＳＧＮ＿Ａ９５が第２の識別情報を持っている、及び第４の識別情報を持っていない場合、第１のモードの送受信可能状態へ遷移してもよい。
【０４５８】
また、Ｃ−ＳＧＮ＿Ａ９５は、アタッチ要求に第１の識別情報が含まれる、且つアタッチ要求に第３の識別情報、及び又は第５の識別情報が含まれない、且つＣ−ＳＧＮ＿Ａ９５が第２の識別情報を持っている場合、第１のモードの送受信可能状態へ遷移してもよい。
【０４５９】
また、Ｃ−ＳＧＮ＿Ａ９５は、アタッチ要求に第１の識別情報、及び第３の識別情報、及び第５の識別情報が含まれる、且つＣ−ＳＧＮ＿Ａ９５が第２の識別情報を持っていない、及び第４の識別情報を持っている場合、第２のモードの送受信可能状態へ遷移してもよい。
【０４６０】
また、Ｃ−ＳＧＮ＿Ａ９５は、アタッチ要求に第１の識別情報、及び第３の識別情報、及び第５の識別情報が含まれる、且つＣ−ＳＧＮ＿Ａ９５が第２の識別情報、及び第４の識別情報を持っている場合、第３のモードの送受信可能状態へ遷移してもよい。
【０４６１】
また、Ｃ−ＳＧＮ＿Ａ９５は、アタッチ要求に第１の識別情報が含まれない場合、第４のモードの送受信可能状態へ遷移してもよい。
【０４６２】
また、Ｃ−ＳＧＮ＿Ａ９５は、Ｃ−ＳＧＮ＿Ａ９５が第２の識別情報、及び第４の識別情報を持っていない場合、第４のモードの送受信可能状態へ遷移してもよい。
【０４６３】
なお、各モードの送受信可能状態への遷移の条件は、上記に限らない。
【０４６４】
Ｃ−ＳＧＮ＿Ａ９５は、第１のモード以外の送受信可能状態へ遷移することを決定した場合には、ＩＰ−ＣＡＮセッション更新手続きを開始する（Ｓ２３０４）。ＩＰ−ＣＡＮセッション更新手続きは、従来手続きと同様であって良いため詳細説明を省略する。
【０４６５】
なお、Ｃ−ＳＧＮ＿Ａ９５は、従来通り、ＵＥ＿Ａ１０に対して、ＩＰアドレスを割り当てもよい。より詳細には、Ｃ−ＳＧＮ＿Ａ９５は、ＵＥ＿Ａ１０のＩＰアドレスを割り当て、第７の識別情報に含めてもよい。
【０４６６】
Ｃ−ＳＧＮ＿Ａ９５は、ＩＰ−ＣＡＮセッション更新手続きの完了に伴い、アタッチ受諾メッセージをｅＮＢ＿Ａ４５に送信する（Ｓ２３０６）。
【０４６７】
また、Ｃ−ＳＧＮ＿Ａ９５は、デフォルトＥＰＳベアラコンテキストアクティブ化要求メッセージをアタッチ受諾メッセージと共に送信してもよい。以下、本実施形態の説明では、アタッチ受諾メッセージは、アタッチ受諾メッセージ及びデフォルトＥＰＳベアラコンテキストアクティブ化要求メッセージを併せたものとして説明する。さらに、本実施形態の説明においてアタッチ受諾メッセージに識別情報が含まれると表現した場合には、識別情報がアタッチ受諾メッセージ及び又はデフォルトＥＰＳベアラコンテキストアクティブ化要求メッセージに含まれることを意味する。
【０４６８】
Ｃ−ＳＧＮ＿Ａ９５は、少なくとも第２の識別情報、及び又は第４の識別情報、及び又は第７の識別情報をアタッチ受諾メッセージに含めても良い。
【０４６９】
なお、Ｃ−ＳＧＮ＿Ａ９５は、第１の決定に基づいたアタッチ受諾メッセージの送信に伴い、ＵＥ＿Ａ１０に対する接続状態をアイドルモードにしてもよい。言い換えれば、Ｃ−ＳＧＮ＿Ａ９５は送受信可能状態へ遷移することに基づき、ＵＥ＿Ａ１０への接続状態をアイドルモードにしてもよい。より詳細には、Ｃ−ＳＧＮ＿Ａ９５は遷移する送受信可能状態が第１のモードであることに基づき、ＵＥ＿Ａ１０への接続状態をアイドルモードにしてもよい。言い換えると、Ｃ−ＳＧＮ＿Ａ９５は、第２のモード、及び又は第３のモード、及び又は第４のモードの送受信可能状態へ遷移するためのアタッチ受諾メッセージを送信する場合、メッセージの送信に伴い、ＵＥ＿Ａ１０への接続状態をアクティブモードにしてもよい。
【０４７０】
なお、遷移する送受信可能状態が第１のモードの場合、第６の識別情報、及び又は第７の識別情報に基づいて、Ｃ−ＳＧＮ＿Ａ９５は、ＵＥ＿Ａ１０、及び又はｅＮＢ＿Ａ４５との間で、ＩＰアドレス取得のためのＤＲＢ、及び又はＤｅｆａｕｌｔ  Ｂｅａｒｅｒ、及び又はＰＤＮコネクションを確立してもよい。その場合、ＵＥ＿Ａ１０のＩＰアドレスの取得に基づいて、Ｃ−ＳＧＮ＿Ａ９５は、ＩＰアドレス取得のためにＵＥ＿Ａ１０、及び又はｅＮＢ＿Ａ４５との間で確立したＤＲＢ、及び又はＤｅｆａｕｌｔ  Ｂｅａｒｅｒ、及び又はＰＤＮコネクションを削除してもよい。
【０４７１】
ｅＮＢ＿Ａ４５は、アタッチ受諾メッセージを受信し、アタッチ受諾メッセージを含めたＲＲＣメッセージをＵＥ＿Ａ１０に送信する（Ｓ２３０８）。なお、ＲＲＣメッセージは、ＲＲＣコネクション再設定要求メッセージであって良い。
【０４７２】
ＵＥ＿Ａ１０は、アタッチ受諾メッセージを含むＲＲＣメッセージを受信する。さらに、第２の識別情報、及び又は第４の識別情報、及び又は第７の識別情報がアタッチ受諾メッセージに含まれている場合には、ＵＥ＿Ａ１０は各識別情報を取得する。
【０４７３】
受信したＲＲＣメッセージに応答するために、ＵＥ＿Ａ１０はＲＲＣメッセージをｅＮＢ＿Ａ４５に送信する（Ｓ２３１０）。ＲＲＣメッセージは、ＲＲＣコネクション再設定完了メッセージであってよい。
【０４７４】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２３１２）。
【０４７５】
また、ＵＥ＿Ａ１０は、アタッチ受諾メッセージの受信に基づいて、アタッチ完了メッセージを含むＲＲＣメッセージをｅＮＢ＿Ａ４５に送信する（Ｓ２３１４）。
【０４７６】
また、ＵＥ＿Ａ１０はデフォルトＥＰＳベアラコンテキストアクティブ化受諾メッセージをアタッチ完了メッセージと共に送信してもよい。以下、本実施形態の説明では、アタッチ完了メッセージは、アタッチ完了メッセージ及びデフォルトＥＰＳベアラコンテキストアクティブ化受諾メッセージを併せたものとして説明する。さらに、本実施形態の説明においてアタッチ完了メッセージに識別情報が含まれると表現した場合には、識別情報がアタッチ完了メッセージ及び又はデフォルトＥＰＳベアラコンテキストアクティブ化受諾メッセージに含まれることを意味する。
【０４７７】
なお、アタッチ完了メッセージを含めて送信するＲＲＣメッセージは、Ｄｉｒｅｃｔ  Ｔｒａｎｓｆｅｒメッセージであってよい。
【０４７８】
アタッチ受諾メッセージに第２の識別情報、及び又は第４の識別情報が含まれるかどうかに基づいて、デフォルトＥＰＳベアラコンテキストアクティブ化要求メッセージは、ＤＲＢ、及び又はＤｅｆａｕｌｔ Ｂｅａｒｅｒを確立することを要求するメッセージであ
るかどうかが判断されてもよい。
【０４７９】
より詳細には、アタッチ受諾に第２の識別情報が含まれる、且つ第４の識別情報が含まれない場合、デフォルトＥＰＳベアラコンテキストアクティブ化要求メッセージは、ＤＲＢ、及び又はＤｅｆａｕｌｔ Ｂｅａｒｅｒを確立することを意図しないメッセージであ
ってよい。
【０４８０】
また、それ以外の場合、デフォルトＥＰＳベアラコンテキストアクティブ化受諾メッセージは、ＤＲＢ、及び又はＤｅｆａｕｌｔ Ｂｅａｒｅｒを確立することを意図するメッ
セージであってよい。
【０４８１】
ＵＥ＿Ａ１０は、アタッチ受諾メッセージの受信、及び又はアタッチ完了メッセージの送信に基づいて、送受信可能状態へ遷移する。
【０４８２】
ＵＥ＿Ａ１０は、第２の識別情報、及び又は第４の識別情報、及び又は第７の識別情報に基づいて、遷移した送受信可能状態を認識、検出してもよい。より詳細には、ＵＥ＿Ａ１０は、第２の識別情報、及び又は第４の識別情報、及び又は第７の識別情報に基づいて、遷移した送受信可能状態が第１のモードであるか、第２のモードであるか、第３のモードであるか、第４のモードであるかを認識、検出してもよい。以下では、上述した認識、決定処理を第２の決定と表現して説明する。
【０４８３】
より詳細には、ＵＥ＿Ａ１０は、アタッチ受諾に第２の識別情報が含まれる、且つ第４の識別情報が含まれない場合、第１のモードの送受信可能状態へ遷移してもよい。
【０４８４】
また、ＵＥ＿Ａ１０は、アタッチ受諾に第２の識別情報が含まれない、且つ第４の識別
情報が含まれる場合、第２のモードの送受信可能状態へ遷移してもよい。
【０４８５】
また、ＵＥ＿Ａ１０は、アタッチ受諾に第２の識別情報が含まれる、且つ第４の識別情報が含まれる場合、第３のモードの送受信可能状態へ遷移してもよい。
【０４８６】
また、ＵＥ＿Ａ１０は、アタッチ受諾に第２の識別情報が含まれない、且つ第４の識別情報が含まれない場合、第４のモードの送受信可能状態へ遷移してもよい。
【０４８７】
なお、各モードの送受信可能状態への遷移の条件は、上記に限らない。
【０４８８】
ＵＥ＿Ａ１０は、アタッチ受諾メッセージの受信、及び又はアタッチ完了メッセージの送信に基づいて、ＵＥ＿Ａ１０はＤＲＢ、及び又はＤｅｆａｕｌｔ Ｂｅａｒｅｒ、及び
又はＰＤＮコネクションを確立してもよい。
【０４８９】
なお、送受信可能状態が第１のモードの場合、ＵＥ＿Ａ１０、及び又はｅＮＢ＿Ａ４５、及び又はＣ−ＳＧＮ＿Ａ９５は、ＤＲＢ、及び又はＤｅｆａｕｌｔ Ｂｅａｒｅｒ、及
び又はＰＤＮコネクションを確立しなくてもよい。
【０４９０】
ただし、送受信可能状態が第１のモードの場合でも、第６の識別情報、及び又は第７の識別情報に基づいてＵＥ＿Ａ１０のＩＰアドレス取得の手続きが必要な場合、ＵＥ＿Ａ１０、及び又はｅＮＢ＿Ａ４５、及び又はＣ−ＳＧＮ＿Ａ９５は、ＤＲＢ、及び又はＤｅｆａｕｌｔ Ｂｅａｒｅｒ、及び又はＰＤＮコネクションを確立してもよい。
【０４９１】
ｅＮＢ＿４５は、アタッチ完了メッセージが含まれるＲＲＣメッセージを受信し、アタッチ完了メッセージをＣ−ＳＧＮ＿Ａ９５に送信する（Ｓ２３１６）。
【０４９２】
また、ＵＥ＿Ａ１０は第２の決定に基づいて、アタッチ完了メッセージの送信に伴い、アイドルモードに遷移してもよい。
【０４９３】
もしくは、アタッチ完了メッセージを含めたＤｉｒｅｃｔ  Ｔｒａｎｓｆｅｒメッセージに対する応答としてｅＮＢ＿Ａ４５からＲＲＣメッセージを受信し、ＵＥ＿Ａ１０は第２の決定に基づいて、応答メッセージの受信に伴い、アイドルモードに遷移してもよい。
【０４９４】
より詳細な例としては、ＵＥ＿Ａ１０は、アタッチ完了メッセージ及び又はＤｉｒｅｃｔ  Ｔｒａｎｓｆｅｒメッセージにアイドルモードに遷移することを示す識別情報を含めて送信してもよい。
【０４９５】
さらに、Ｄｉｒｅｃｔ  Ｔｒａｎｓｆｅｒメッセージを受信したｅＮＢ＿Ａ４５は、受信した識別情報に基づいて、応答となるＲＲＣメッセージをＵＥ＿Ａ１０に送信してもよい。このように、応答となるＲＲＣメッセージは、アイドルモードへの遷移を許可するためのメッセージであってよい。
【０４９６】
言いかえると、ＵＥ＿Ａ１０は、アイドルモードに遷移するかアクティブモードを維持するかを第２の決定に基づいて選択することができる。
【０４９７】
もしくは、遷移した送受信可能状態が第１のモードである場合、第６の識別情報、及び又は第７の識別情報に基づいて、ＵＥ＿Ａ１０は、ｅＮＢ＿Ａ４５、及び又はＣ−ＳＧＮ＿Ａ９５との間で、ＩＰアドレス取得のためのコネクションを確立してもよい。なお、コネクションは、ＤＲＢ、及び又はＤｅｆａｕｌｔ  Ｂｅａｒｅｒ、及び又はＰＤＮコネクションであってよい。
【０４９８】
例えば、遷移した送受信可能状態が第１のモードであり、且つ第７の識別情報が、アタッチ手続き完了後にＩＰアドレスの取得が必要であると示している場合、ＵＥ＿Ａ１０は、ｅＮＢ＿Ａ４５、及び又はＣ−ＳＧＮ＿Ａ９５との間で、ＩＰアドレス取得のためのコネクションを確立してもよい。
【０４９９】
より詳細には、確立した送受信可能が第１のモードである、且つ第７の識別情報に、０．０．０．０のように全てゼロで示されるＩＰｖ４アドレス、及び又はなんらかのＩＰｖ６のインターフェースＩＤが含まれる場合、ＵＥ＿Ａ１０は、ＩＰアドレスを取得するためのコネクションを確立してもよい。
【０５００】
なお、ＵＥ＿Ａ１０は、第７の識別情報のＩＰｖ４アドレスフィールドに、０．０．０．０のような全てゼロのＩＰｖ４アドレスが含まれる場合には、ＤＨＣＰ手続きを主導してＩＰｖ４アドレスを取得してもよい。
【０５０１】
具体的には、ＵＥ＿Ａ１０は、上記の条件に基づいて、ＤＨＣＰサーバに対してＩＰｖ４アドレスを要求するメッセージを送信してもよい。そして、ＵＥ＿Ａ１０は、ＵＥ＿Ａ１０に割り当てられたＩＰｖ４アドレスが含まれた応答メッセージをＤＨＣＰサーバから受信することで、ＩＰｖ４アドレスを取得してもよい。
【０５０２】
また、ＵＥ＿Ａ１０は、第７の識別情報のＩＰｖ６アドレスフィールドに、なんらかのＩＰｖ６のインターフェースＩＤが含まれる場合には、ステートレスアドレス設定手続きにより、ＩＰｖ６アドレスの上位６４ビットの情報を示すＩＰｖ６プレフィックスを取得し、ＩＰｖ６アドレスを生成、取得してもよい。
【０５０３】
具体的には、ＵＥ＿Ａ１０は、上記の条件に基づいて、ルータ、及び又はサーバに対してＩＰｖ６プレフィックスを要求するＲＳ（Ｒｏｕｔｅｒ  Ｓｏｌｉｃｉｔａｔｉｏｎ）メッセージを送信してもよい。そして、ＵＥ＿Ａ１０は、割り当てられたＩＰｖ６プレフィックスが含まれたＲＡ（Ｒｏｕｔｅｒ  Ａｄｖｅｒｔｉｓｅｍｅｎｔ）メッセージをルータ、及び又はサーバから受信することでＩＰｖ６プレフィックスを取得してよい。さらに、ＵＥ＿Ａ１０は、ＲＡメッセージの受信、及び又はＲＡメッセージに含まれるＩＰｖ６プレフィックスの受信に基づき、取得したＩＰｖ６プレフィックスとＩＰｖ６のインターフェースＩＤからＩＰｖ６を生成、取得してもよい。
【０５０４】
また、例えば、遷移した送受信可能状態が第１のモードであり、且つ第６の識別情報がＩＰｖ４を示している、且つ第７の識別情報に０．０．０．０のように全てゼロではなく、ＵＥ＿Ａ１０が使用するＩＰｖ４アドレスが含まれ、且つ第７の識別情報にＩＰｖ６インターフェースＩＤが含まれていない場合は、ＵＥ＿Ａ１０は、ＩＰアドレス取得のためのコネクションを確立しなくてもよい。
【０５０５】
また、遷移した送受信可能状態が第１のモードで、ＩＰアドレス取得のためのコネクションを確立した場合、ＵＥ＿Ａ１０は、ＩＰアドレスの取得に基づいて、ｅＮＢ＿Ａ４５、及び又はＣ−ＳＧＮ＿Ａ９５との間で確立したコネクションを削除してもよい。
【０５０６】
ＵＥ＿Ａ１０主導で、ＵＥ＿Ａ１０とｅＮＢ＿Ａ４５、及び又はＣ−ＳＧＮ＿Ａ９５との間のコネクションを削除するための手続きを以下に説明する。
【０５０７】
ＵＥ＿Ａ１０は、ｅＮＢ＿Ａ４５、及び又はＣ−ＳＧＮ＿Ａ９５にコネクション削除要求メッセージを送信する。コネクション削除要求メッセージは、コネクションを削除することを要求するためのメッセージであってもよい。
【０５０８】
ｅＮＢ＿Ａ４５は、ＵＥ＿Ａ１０が送信したコネクション削除要求メッセージを受信する。ｅＮＢ＿Ａ４５はコネクション削除要求メッセージの受信に基づいて、Ｃ−ＳＧＮ＿Ａ９５にコネクション削除要求メッセージを送信する。
【０５０９】
Ｃ−ＳＧＮ＿Ａ９５は、ｅＮＢ＿Ａ４５、及び又はＵＥ＿Ａ１０が送信したコネクション削除要求メッセージを受信する。Ｃ−ＳＧＮ＿Ａ９５は、コネクション削除要求メッセージの受信に基づいて、ｅＮＢ＿Ａ４５、及び又はＵＥ＿Ａ１０にコネクション削除受諾メッセージを送信する。ここで、コネクション削除受諾メッセージは、コネクション削除要求メッセージの応答メッセージであってもよい。
【０５１０】
Ｃ−ＳＧＮ＿Ａ９５は、コネクション削除要求メッセージの受信、及び又はコネクション削除受諾メッセージの送信に基づいて、コネクションのためのＣ−ＳＧＮ＿Ａ９５のコンテキストを削除する。コネクションのためのＣ−ＳＧＮ＿Ａ９５のコンテキストは、図１９で示すコンテキストＤ、及び又はコンテキストＥであってよい。
【０５１１】
ｅＮＢ＿Ａ４５は、Ｃ−ＳＧＮ＿Ａ９５が送信したコネクション削除受諾メッセージを受信する。ｅＮＢ＿Ａ４５は、コネクション削除受諾メッセージの受信に基づいて、コネクション削除受諾メッセージをＵＥ＿Ａ１０に送信する。
【０５１２】
ｅＮＢ＿Ａ４５はコネクション削除要求メッセージの受信、及び又はコネクション削除受諾メッセージを受信、及び又はコネクション削除受諾メッセージの送信に基づいて、コネクションのためのｅＮＢ＿Ａ４５のコンテキストを削除する。
【０５１３】
ＵＥ＿Ａ１０は、ｅＮＢ＿Ａ４５、及び又はＣ−ＳＧＮ＿Ａ９５が送信したコネクション削除受諾メッセージを受信する。
【０５１４】
ＵＥ＿Ａ１０は、コネクション削除要求メッセージの送信、及び又はコネクション削除受諾メッセージの受信に基づいて、コネクションのためのＵＥ＿Ａ１０のコンテキストを削除する。コネクションのためのＵＥ＿Ａ１０のコンテキストは、図２１の（ｃ）で示す、送受信可能状態に記憶されるＵＥコンテキスト、及び又は（ｄ）で示すベアラごとのＵＥコンテキストであってよい。
【０５１５】
以上の手続きにより、ＵＥ＿Ａ１０、及び又はｅＮＢ＿Ａ４５、及び又はＣ−ＳＧＮ＿Ａ９５は、コネクションのためのコンテキストを削除し、ＵＥ＿Ａ１０とｅＮＢ＿Ａ４５、及び又はＣ−ＳＧＮ＿Ａ９５との間のコネクションは削除される。
【０５１６】
Ｃ−ＳＧＮ＿Ａ９５は、アタッチ完了メッセージを受信する。
【０５１７】
Ｃ−ＳＧＮ＿Ａ９５は、アタッチ完了メッセージの受信に基づき、ＵＥ＿Ａ１０に対する接続状態をアイドルモードに遷移してもよい。
【０５１８】
つまり、Ｃ−ＳＧＮ＿Ａ９５は、アタッチ受諾メッセージの送信、又は、アタッチ完了メッセージの受信に基づいて、ＵＥ＿Ａ１０の状態を、アイドルモードとして管理してよい。
【０５１９】
より詳細には、遷移した送受信可能状態が第２のモード、及び又は第３のモード、及び又は第４のモードである場合、Ｃ−ＳＧＮ＿Ａ９５は、アタッチ受諾メッセージの送信、又は、アタッチ完了メッセージの受信に基づいて、ＵＥ＿Ａ１０の状態を、アイドルモードとして管理してよい。
【０５２０】
なお、ＵＥ＿Ａ１０は、アタッチ手続きによりは図２１で説明したＵＥコンテキストをコアネットワーク＿Ａ９０から取得し、記憶することができる。
【０５２１】
また、Ｃ−ＳＧＮ＿Ａ９５は、アタッチ手続きにより、図１９で説明したＡ〜Ｅの各コンテキストをＵＥ＿Ａ１０又はｅＮＢ＿Ａ４５又はＨＳＳ＿Ａ５０から取得し、記憶することができる。
【０５２２】
以上の手順により、ＵＥ＿Ａ１０はネットワークへ接続し、第１のアタッチ手続きを完了する。なお、第１のアタッチ手続きの完了に伴い、ＵＥ＿Ａ１０、及び又はＣ−ＳＧＮ＿Ａ９５は送受信可能状態へ遷移する。
【０５２３】
［１．３．１．２．第２のアタッチ手続き例］
以下、図２４を用いて第２のアタッチ手続きの手順の例を説明する。
【０５２４】
なお、ＵＥ＿Ａ１０がアタッチ要求メッセージを送信してから、Ｃ−ＳＧＮ＿Ａ９５がアタッチ要求メッセージを受信するまでの手続きは図２３の（Ａ）で示す手続きと同じであってもよい（Ｓ２４００）。従って、ここでの説明は省略する。
【０５２５】
Ｃ−ＳＧＮ＿Ａ９５は、アタッチ要求メッセージを受信する。さらに、アタッチ要求メッセージの受信、又はＥＳＭ応答メッセージの受信に基づいて、第１の識別情報、及び又は第３の識別情報、及び又は第５の識別情報、及び又は第６の識別情報を取得する。
【０５２６】
Ｃ−ＳＧＮ＿Ａ９５は、アタッチ要求メッセージに含まれる情報と、加入者情報とに基づいて、ＵＥ＿Ａ１０に対して送受信可能状態へ遷移しないことを決定してもよい。また、第１の識別情報、及び又は第３の識別情報、及び又は第５の識別情報、及び又は第６の識別情報、及び又は加入者情報に基づいて、Ｃ−ＳＧＮ＿Ａ９５は、送受信可能状態へ遷移しないことを決定してもよい。以下では、上述した決定処理を第１３の決定と表現して説明する。
【０５２７】
Ｃ−ＳＧＮ＿Ａ９５は、第１３の決定に基づいて、ｅＮＢ＿Ａ４５にアタッチ拒絶メッセージを送信する。（Ｓ２４０２）
Ｃ−ＳＧＮ＿Ａ９５は、ＰＤＮ接続拒絶メッセージをアタッチ拒絶メッセージと共に送信してもよい。以下、本実施形態の説明では、アタッチ拒絶メッセージは、アタッチ拒絶メッセージ及びＰＤＮ接続拒絶メッセージを併せたものとして説明する。さらに、本実施形態の説明においてアタッチ拒絶メッセージに識別情報が含まれると表現した場合には、識別情報がアタッチ拒絶メッセージ及び又はＰＤＮ接続拒絶メッセージに含まれることを意味する。
【０５２８】
Ｃ−ＳＧＮ＿Ａ９５は、少なくとも第２の識別情報、及び又は第８の識別情報をアタッチ拒絶メッセージに含めてもよい。
【０５２９】
ｅＮＢ＿Ａ４５は、アタッチ拒絶メッセージを受信し、アタッチ拒絶メッセージを含めたＲＲＣメッセージをＵＥ＿Ａ１０に送信する（Ｓ２２０８）。なお、ＲＲＣメッセージは、ＲＲＣコネクション再設定要求メッセージであって良い。
【０５３０】
ＵＥ＿Ａ１０は、アタッチ拒絶メッセージを含むＲＲＣメッセージを受信する。ＵＥ＿Ａ１０はアタッチ拒絶メッセージの受信、及び又はアタッチ拒絶メッセージに含まれる第２の識別情報、及び又は第８の識別情報に基づいて、送受信可能状態へ遷移できなかったことを検知してもよい。
【０５３１】
以上の手順により、ＵＥ＿Ａ１０はネットワークへの接続に失敗し、第２のアタッチ手続きを完了する。
【０５３２】
ＵＥ＿Ａ１０は、ネットワークへの接続に失敗に基づいて、新たなアタッチ手続きを実施してもよい。より詳細には、ＵＥ＿Ａ１０は、アタッチ拒絶メッセージに含まれる第２の識別情報、及び又は第８の識別情報に基づいて、新たなアタッチ手続きを実施してもよい。
【０５３３】
［１．３．１．３．第３のアタッチ手続き例］
以下、図２５を用いて第３のアタッチ手続きの手順の例を説明する。
【０５３４】
なお、ＵＥ＿Ａ１０がアタッチ要求メッセージを送信してからアタッチ受諾メッセージを受信するまでの手続きは図２３の（Ａ）、（Ｂ）で示す手続きと同じであってもよい（Ｓ２５００、Ｓ２５０２）。従って、ここでの説明は省略する。
【０５３５】
ＵＥ＿Ａ１０は、アタッチ受諾メッセージを含むＲＲＣメッセージを受信する。さらに、第２の識別情報、及び又は第４の識別情報、及び又は第７の識別情報がアタッチ受諾メッセージに含まれている場合には、ＵＥ＿Ａ１０は各識別情報を取得する。
【０５３６】
ＵＥ＿Ａ１０は、第２の識別情報、及び又は第４の識別情報、及び又は第７の識別情報に基づいて、Ｃ−ＳＧＮ＿Ａ９５が許可した送受信可能状態を認識、検出してもよい。より詳細には、ＵＥ＿Ａ１０は、第２の識別情報、及び又は第４の識別情報、及び又は第７の識別情報に基づいて、Ｃ−ＳＧＮ＿Ａ９５が許可した送受信可能状態が第１のモードであるか、第２のモードであるか、第３のモードであるか、第４のモードであるかを認識、検出してもよい。
【０５３７】
さらに、ＵＥ＿Ａ１０は、Ｃ−ＳＧＮ＿Ａ９５が許可した送受信可能状態の認証、検出に基づき、送受信可能状態への遷移を拒絶することを決定してもよい。より詳細には、ＵＥ＿Ａ１０が意図したモードとは異なる送受信可能状態がＣ−ＳＧＮ＿Ａ９５によって許可された場合、ＵＥ＿Ａ１０は、送受信可能状態への遷移を拒絶することを決定してもよい。以下では、上述した認識、決定処理を第１４の決定と表現して説明する。
【０５３８】
第１４の決定によって、ＵＥ＿Ａ１０が送受信可能状態への遷移の拒絶を決定した場合、ＵＥ＿Ａ１０は、ｅＮＢ＿Ａ４５を介してＣ−ＳＧＮ＿Ａ９５に、デフォルトＥＰＳベアラコンテキストアクティブ化拒絶メッセージを送信する（Ｓ２５０４）。
【０５３９】
ＵＥ＿Ａ１０は、すくなくとも第９の識別情報をデフォルトＥＰＳベアラコンテキストアクティブ化拒絶メッセージに含めても良い。ＵＥ＿Ａ１０は、第９の識別情報を含めてアタッチ要求メッセージを送信することにより、送受信可能状態への遷移を拒絶してもよい。
【０５４０】
Ｃ−ＳＧＮ＿Ａ９５は、デフォルトＥＰＳベアラコンテキストアクティブ化拒絶メッセージを受信する。Ｃ−ＳＧＮ＿Ａ９５は、受信したデフォルトＥＰＳベアラコンテキストアクティブ化拒絶メッセージ、及び又はデフォルトＥＰＳベアラコンテキストアクティブ化拒絶メッセージに含まれる第９の識別情報に基づいて、送受信可能状態へ遷移できなかったことを検知してもよい。
【０５４１】
より詳細には、Ｃ−ＳＧＮ＿Ａ９５は、受信したデフォルトＥＰＳベアラコンテキストアクティブ化拒絶メッセージ、及び又はデフォルトＥＰＳベアラコンテキストアクティブ
化拒絶メッセージに含まれる第９の識別情報に基づいて、図１９に示される、ＵＥ＿Ａ１０に対するコンテキストを解放してもよい。
【０５４２】
以上の手順により、ＵＥ＿Ａ１０はネットワークへの接続に失敗し、第３のアタッチ手続きを完了する。
【０５４３】
ＵＥ＿Ａ１０は、ネットワークへの接続に失敗に基づいて、新たなアタッチ手続きを実施してもよい。より詳細には、ＵＥ＿Ａ１０は、アタッチ拒絶メッセージに含まれる第２の識別情報、及び又は第８の識別情報に基づいて、新たなアタッチ手続きを実施してもよい。
【０５４４】
［１．３．１．４．アタッチ手続きの変形例］
上述したアタッチ手続き例におけるコアネットワーク＿Ａ９０は、図３を用いて説明したＣ−ＳＧＮ＿Ａ９５を含む構成のコアネットワークの場合のアタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０５４５】
その場合、本手続きで説明したＵＥ＿Ａ１０が送信するアタッチ要求メッセージやアタッチ完了メッセージなどのＮＡＳメッセージは、Ｃ−ＳＧＮ＿Ａ９５ではなく、ＭＭＥ４５が受信する。
【０５４６】
したがって、これまで説明したＣ−ＳＧＮ＿Ａ９５のＮＡＳメッセージの受信および処理は、ＭＭＥ＿Ａ４０が行うものとして置き換えることができる。
【０５４７】
さらに、これまで説明したＣ−ＳＧＮ＿Ａ９５のアタッチ受諾メッセージなどのＮＡＳメッセージの送信および処理は、ＭＭＥ＿Ａ４０が行うものとして置き換えることができる。
【０５４８】
［１．３．２．送受信手段の選択例］
次に、送受信可能状態へ遷移したＵＥ＿Ａ１０がＵＬユーザデータを送信する際に用いる送受信手続きの選択方法を説明する。
【０５４９】
ＵＥ＿Ａ１０は、ＵＬユーザデータを送信するのに第１の送受信手続きを用いるか、第２の送受信手続きを用いるか、第３の送受信手続きを用いるかを選択、決定する。
【０５５０】
ここで、第１の送受信手続きは、コネクションレスによる送受信を行うための手続きであってよく、第２の送受信手続き、及び又は第３の送受信手続きは、コネクションを確立して送受信を行う手続きであってよい。また、第３の送受信手続きは、従来通りの送受信手続きであってよい。
【０５５１】
ＵＥ＿Ａ１０は、遷移した送受信可能状態に基づいて、これらの検出、及び決定をしてもよい。言い換えると、ＵＥ＿Ａ１０は、第２の決定で決まった送受信可能状態のモードに基づいて、これらの選択、及び決定をしてもよい。また、ＵＥ＿Ａ１０は、送信するＵＬユーザデータのデータサイズに基づいてこれらの検出、及び決定をしてもよい。
【０５５２】
より詳細には、ＵＥ＿Ａ１０は、送受信可能状態が第１のモード、及び又は第３のモードあることに基づいて、第１の送受信手続きを利用することを選択、決定してもよい。
【０５５３】
また、ＵＥ＿Ａ１０は、送受信可能状態が第２のモード、及び又は第３のモードであることに基づいて、第２の送受信手続きを利用することを選択、決定してもよい。
【０５５４】
さらに、ＵＥ＿Ａ１０は、送受信可能状態が第４のモードであることに基づいて、第３の送受信手続きを利用することを選択、決定してもよい。
【０５５５】
さらに、ＵＥ＿Ａ１０は、送信するＵＬユーザデータのデータサイズ大きいことに基づいて、第２の送受信手続き、及び又は第３の送受信手続きを利用することを選択、決定してもよい。なお、データサイズが大きいとは、データサイズが閾値よりも大きい場合のことを示してもよい。
【０５５６】
また、ＵＥ＿Ａ１０は、これらの条件に関わらず、第１の送受信手続きに分岐してもよく、第２の送受信手続きに分岐してもよく、第３の送受信手続きに分岐してもよい。
【０５５７】
以下では、ＵＬユーザデータを送信するのに第１の送受信手続きを用いるか、第２の送受信手続きを用いるか、第３の送受信手続きを用いるかを選択、決定したことを第３の決定と表現して説明する。
【０５５８】
［１．３．３．ＵＬユーザデータ送受信手続き例］
次に、ネットワークへ接続したＵＥ＿Ａ１０がＵＬユーザデータを送信する手順を説明する。
【０５５９】
以下、ＵＬユーザデータの送信手順を説明する。
【０５６０】
ＵＥ＿Ａ１０は、第１のメッセージをｅＮＢ＿Ａ４５に送信する。第１のメッセージは、少なくとも送信タイミング情報と、リソース割り当て情報を要求するためのメッセージであり、ＵＥ＿Ａ１０は、少なくともランダムに選択したプリアンブルを含めてｅＮＢ＿Ａ４５に送信する。
【０５６１】
なお、第１のメッセージは、Ｐｈｙｓｉｃａｌ層の制御信号であり、Ｍｅｓｓａｇｅ１のＲＡＣＨ（Ｒａｎｄａｍ  Ａｃｃｅｓｓ  Ｃｈａｎｎｅｌ）  Ｐｒｅａｍｂｌｅメッセージであって良い。第１のメッセージは、ＰＲＡＣＨ（Ｐｈｙｃｉｓａｌ  Ｒａｎｄｏｍ
Ａｃｃｅｓｓ  Ｃｈａｎｎｅｌ）を用いて送信されてもよい。
【０５６２】
ｅＮＢ＿Ａ４５は、第１のメッセージを受信し、第１のメッセージの応答として第２のメッセージをＵＥ＿Ａ１０に送信する。第２のメッセージには、少なくとも送信タイミング情報と、リソース割り当て情報を含めて送信する。より具体的には、送信タイミング情報はＴｉｍｉｎｇ  Ａｄｖａｎｃｅであり、リソース割り当て情報はＵＬ  Ｇｒａｎｔであってよい。第２のメッセージは、ＭＡＣ（Ｍｅｄｉａ  Ａｃｃｅｓｓ  Ｃｏｎｔｒｏｌ）層の制御信号であり、ＭＡＣ  ＲＡＲ（Ｍｅｄｉｕｍ  Ａｃｃｅｓｓ  Ｃｏｎｔｒｏｌ
Ｒａｎｄｏｍ  Ａｃｃｅｓｓ  Ｒｅｓｐｏｎｓｅ）を用いて送信されてもよい。
【０５６３】
なお、第２のメッセージは、Ｍｅｓｓａｇｅ２のＲＡＣＨ  Ｒｅｓｐｏｎｓｅメッセージであって良い。
【０５６４】
ＵＥ＿Ａ１０が第２のメッセージを受信した後の通信手続きは、後述する第１の送受信手続き例と第２の送受信手続き例と第３の送受信手続き例とに分岐することができる。
【０５６５】
ＵＥ＿Ａ１０は、第３の決定に基づいて、第１の送受信手続き例、及び又は第２の送受信手続き例、及び又は第３の送受信手続き例に分岐してもよい。
【０５６６】
［１．３．３．１．第１の送受信手続き例の説明］
第１の送受信手続き例は、ＤＲＢ（Ｄａｔａ  Ｒａｄｉｏ  Ｂｅａｒｅｒ）を確立せずに、ＵＥ＿Ａ１０がユーザデータを送受信する手続きである。言い換えると、第１の送受信手続き例は、制御メッセージを送受信するための無線ベアラを用いてユーザデータを送信するための手続きである。
【０５６７】
以下、第１の送受信手続き例の詳細を、図２６を用いて説明する。
【０５６８】
ＵＥ＿Ａ１０は、ｅＮＢ＿Ａ４５からの第２のメッセージの受信に基づき、ｅＮＢ＿Ａ４５に第３のメッセージを送信する（Ｓ２６００）。
【０５６９】
ｅＮＢ＿Ａ４５は、ＵＥ＿Ａ１０が送信した第３のメッセージを受信する。ｅＮＢ＿Ａ４５は、第３のメッセージの受信に基づき、ＵＥ＿Ａ１０に第４のメッセージを送信する（Ｓ２６０２）。
【０５７０】
ＵＥ＿Ａ１０は、ｅＮＢ＿Ａ４５が送信した第４のメッセージを送信する。ＵＥ＿Ａ１０は、第４のメッセージを受信に基づき、ｅＮＢ＿Ａ４５に第５のメッセージを送信する（Ｓ２６０４）。
【０５７１】
ＵＥ＿Ａ１０は、ＵＬユーザデータを含めたＮＡＳメッセージを、第３のメッセージ、及び又は第５のメッセージに含めて送信してもよい。なお、ＵＥ＿Ａ１０は、ＵＬユーザデータ、又はＵＬユーザデータを含めたＮＡＳメッセージを暗号化して送信してもよい。
【０５７２】
ｅＮＢ＿Ａ４５は、第３のメッセージ、及び又は第５のメッセージの受信に基づき、ＵＬユーザデータを含めたＮＡＳメッセージを受信する。
【０５７３】
ｅＮＢ＿Ａ４５は、ＵＬユーザデータを含めたＮＡＳメッセージの受信に基づき、Ｃ−ＳＧＮ＿Ａ９５にＳ１ＡＰ（Ｓ１  Ａｐｐｌｉｃａｔｉｏｎ  Ｐｒｏｔｏｃｏｌ）のＩｎｉｔｉａｌ  ＵＥメッセージを送信する（Ｓ２６０６）。
【０５７４】
ｅＮＢ＿Ａ４５は、少なくともＵＬユーザデータが含まれたＮＡＳメッセージを含めてＳ１ＡＰのＩｎｉｔｉａｌ  ＵＥメッセージを送信してもよい。
【０５７５】
ｅＮＢ＿Ａ４５は、第３のメッセージ、及び又は第５のメッセージの受信、及び又はＳ１ＡＰのＩｎｉｔｉａｌ  ＵＥメッセージの送信に基づき、ＵＥ＿Ａ１０に完了メッセージを送信してもよい（Ｓ２６０８）。
【０５７６】
ＵＥ＿Ａ１０は、ｅＮＢ＿Ａ４５が送信した完了メッセージを受信する。
【０５７７】
Ｃ−ＳＧＮ＿Ａ９５は、ｅＮＢ＿Ａ４５が送信したＳ１ＡＰのＩｎｉｔｉａｌ  ＵＥメッセージ、及び又はＳ１ＡＰのＩｎｉｔｉａｌ  ＵＥメッセージに含まれるＵＬユーザデータが含まれたＮＡＳメッセージを受信する。
【０５７８】
Ｃ−ＳＧＮ＿Ａ９５は、Ｓ１ＡＰのＩｎｉｔｉａｌ  ＵＥメッセージに含まれるＵＬユーザデータが含まれたＮＡＳメッセージの受信に基づいて、受信したＮＡＳメッセージの復号化、及び又は受信したＮＡＳメッセージに含まれるユーザデータの抽出を実施する（Ｓ２６１０）。なお、Ｃ−ＳＧＮ＿Ａ９５は、必要な場合、抽出されたユーザデータの復号化を実施してもよい。
【０５７９】
Ｃ−ＳＧＮ＿Ａ９５は、ＮＡＳメッセージに含まれるユーザデータの抽出、及び又は復号化に基づき、ＰＤＮ＿Ａ５にユーザデータを送信する（Ｓ２６１２）。Ｃ−ＳＧＮ＿Ａ
９５は、ユーザデータを復号化した後、ＰＤＮ＿Ａ５に送信してもよい。
【０５８０】
以上の手続きにより、ＵＥ＿Ａ１０は、ＤＲＢ（Ｄａｔａ  Ｒａｄｉｏ  Ｂｅａｒｅｒ）を確立せずに、ＵＬユーザデータであるスモールデータパケットをＰＤＮ＿Ａ５に送信することができる。さらに、第１の送受信手続き例が完了後、ＵＥ＿Ａ１０はアイドル状態に遷移又はアイドル状態を維持することができる。
【０５８１】
なお、送受信するユーザデータのサイズが大きい場合、ＵＥ＿Ａ１０、及び又はＣ−ＳＧＮ＿Ａ９５は、第１の送受信手続きでユーザデータを送受信せず、第２の送受信手続きを用いてユーザデータを送信してもよい。
【０５８２】
［１．３．３．２．第２の送受信手続き例の説明］
第２の送受信手続き例は、ＤＲＢを確立した後に、ＵＥ＿Ａ１０がユーザデータを送受信する手続きである。
【０５８３】
以下、第２の送受信手続き例の詳細を、図２７を用いて説明する。
【０５８４】
ＵＥ＿Ａ１０は、ｅＮＢ＿Ａ４５からの第２のメッセージの受信に基づき、ｅＮＢ＿Ａ４５に第３のメッセージを送信する（Ｓ２７００）。
【０５８５】
ＵＥ＿Ａ１０は、すくなくとも、ＮＡＳメッセージ、及び又は、レジュームＩＤを、第３のメッセージに含めて送信してもよい。
【０５８６】
なお、ＮＡＳメッセージは、ＤＲＢを再確立するためのメッセージであってよい。
【０５８７】
なお、レジュームＩＤは、再確立するＤＲＢを識別する識別情報であってよい。及び又は、レジュームＩＤは、再確立するＤＲＢに対応する、ｅＮＢ＿Ａ４５が保持するコンテキストを識別する識別情報であってよい。及び又は、レジュームＩＤは、アクティブ状態のＣＩｏＴ端末をアイドル状態にすることを指示する識別情報であってよい。及び又は、レジュームＩＤは、アイドル状態のＣＩｏＴ端末をアクティブ状態にすることを指示する識別情報であってよい。
【０５８８】
例えば、ｅＮＢ＿Ａ４５は、ＵＥ＿Ａ１０に対してレジュームＩＤを送信することにより、アクティブ状態からアイドル状態に遷移してもよい。また、ＵＥ＿Ａ１０は、ｅＮＢ＿Ａ４５からレジュームＩＤを受信することによりアクティブ状態からアイドル状態に遷移してもよい。
【０５８９】
また、ＵＥ＿Ａ１０は、受信したレジュームＩＤをｅＮＢ＿Ａ４５に送信することにより、アイドル状態からアクティブ状態に遷移してもよい。また、ｅＮＢ＿Ａ４５は、ＵＥ＿Ａ１０からレジュームＩＤを受信することによりアイドル状態からアクティブ状態に遷移してもよい。
【０５９０】
なお、アクティブ状態からアイドル状態への遷移するための送受信されるレジュームＩＤと、アイドル状態からアクティブ状態に遷移するために送受信されるレジュームＩＤとと、同じレジュームＩＤとすることにより、以前のアクティブ状態で用いていたコンテキストを識別することができ、ＵＥ＿Ａ１０及びｅＮＢ＿Ａ４５は、識別したコンテキストを基にＤＲＢの再確立を行うなど、前回のアクティブ状態と同様の通信状態に復帰することができる。
【０５９１】
このように、ＵＥ＿Ａ１０及びｅＮＢ＿Ａ４５は、レジュームＩＤに基づいてアクティ
ブ状態とアイドル状態を遷移することができる。  ｅＮＢ＿Ａ４５は、ＵＥ＿Ａ１０が送信した第３のメッセージを受信する。ｅＮＢ＿Ａ４５は、第３のメッセージの受信に基づき、ＮＡＳメッセージ、及び又はレジュームＩＤを受信する。
【０５９２】
ｅＮＢ＿Ａ４５は、第３のメッセージに含まれるレジュームＩＤの受信に基づき、レジュームＩＤで識別されるＤＲＢを再確立する。
【０５９３】
ｅＮＢ＿Ａ４５は、第３のメッセージの受信、及び又はレジュームＩＤで識別されるＤＲＢの再確立に基づき、ＵＥ＿Ａ１０に第４のメッセージを送信する（Ｓ２７０２）。
【０５９４】
ｅＮＢ＿Ａ４５は、すくなくとも、再確立したＤＲＢを識別するためのレジュームＩＤを第４のメッセージに含めて送信してもよい。
【０５９５】
ｅＮＢ＿Ａ４５は、第３のメッセージの受信、及び又はＮＡＳメッセージの受信、及び又はレジュームＩＤで識別されるＤＲＢの再確立、及び又は第４のメッセージの送信に基づき、ｅＮＢ＿Ａ４５の状態をアクティブモードに遷移する。
【０５９６】
ｅＮＢ＿Ａ４５は、第３のメッセージの受信、及び又はＮＡＳメッセージの受信、及び又はレジュームＩＤで識別されるＤＲＢの再確立、及び又は第４のメッセージの送信、及び又はｅＮＢ＿Ａ４５の状態のアクティブモードへの遷移に基づき、Ｃ−ＳＧＮ＿Ａ９５にＳ１ＡＰ（Ｓ１  Ａｐｐｌｉｃａｔｉｏｎ  Ｐｒｏｔｏｃｏｌ）のＵＥコンテキスト有効化メッセージを送信する（Ｓ２７０４）。ｅＮＢ＿Ａ４５は、Ｓ１ＡＰのＵＥコンテキスト有効化メッセージにＮＡＳメッセージを含めて送信してもよい。
【０５９７】
Ｃ−ＳＧＮ＿Ａ９５は、Ｓ１ＡＰのＵＥコンテキスト有効化メッセージを受信する。Ｃ−ＳＧＮ＿Ａ９５は、Ｓ１ＡＰのＵＥコンテキスト有効化メッセージの受信に基づき、Ｃ−ＳＧＮ＿Ａ９５の状態をアクティブモードに遷移する。Ｃ−ＳＧＮ＿Ａ９５は、Ｓ１ＡＰのＵＥコンテキスト有効化メッセージの受信、及び又はＮＡＳメッセージの受信、及び又はＣ−ＳＧＮ＿Ａ９５の状態のアクティブモードへの遷移に基づいて、ｅＮＢ＿Ａ４５にＳ１ＡＰのＵＥコンテキスト有効化応答メッセージを送信する（Ｓ２７０６）。
【０５９８】
ＵＥ＿Ａ１０は、ｅＮＢ＿Ａ４５が送信した第４のメッセージを受信する。ＵＥ＿Ａ１０は、第４のメッセージの受信、及び又は第４のメッセージに含まれる再確立したＤＲＢを識別するためのレジュームＩＤの受信に基づき、ＵＥ＿Ａ１０の状態をアクティブモードに遷移する。
【０５９９】
ＵＥ＿Ａ１０は、第４のメッセージの受信、及び又は第４のメッセージに含まれる再確立したＤＲＢを識別するためのレジュームＩＤの受信、及び又はＵＥ＿Ａ１０の状態のアクティブモードへの遷移に基づき、ｅＮＢ＿Ａ４５、及び又はＣ−ＳＧＮ＿Ａ９５を介してＰＤＮ＿Ａ５にＵＬユーザデータを送信する（Ｓ２７０８）（Ｓ２７１０）（Ｓ２７１２）。
【０６００】
ＵＥ＿Ａ１０は、送信すべきＵＬユーザデータが存在する限り、ｅＮＢ＿Ａ４５、及び又はＣ−ＳＧＮ＿Ａ９５を介してＰＤＮ＿Ａ５にＵＬユーザデータを送信し続ける。なお、送信すべきデータの有無の判断は、送信すべきＵＬユーザデータを蓄積するバッファのデータ残量等から判断してもよい。
【０６０１】
以上の手続きにより、ＵＥ＿Ａ１０は、ＵＬユーザデータを送信することができる。さらに、ＵＥ＿Ａ１０は、以上の手続きにより、ＤＬ（ＤｏｗｎＬｉｎｋ）ユーザデータも受信することができる。なお、ＤＬユーザデータは，ＰＤＮ＿Ａ５から送信され、Ｃ−Ｓ
ＧＮ＿Ａ９５、ｅＮＢ＿Ａ４５を介して受信するができる。
【０６０２】
ｅＮＢ＿Ａ４５は、ＵＥ＿Ａ１０から受信したＵＬユーザデータをＣ−ＳＧＮ＿Ａ９５に転送する。
【０６０３】
ｅＮＢ＿Ａ４５は、ＵＬユーザデータの受信が一定時間ないと検知した場合、図５の（Ａ）に示すように、ＵＥ＿Ａ１０、及び又はｅＮＢ＿Ａ４５、及び又はＣ−ＳＧＮ＿Ａ９５の状態をアイドルモードに遷移するための手続きを開始する。言い換えると、ｅＮＢ＿Ａ４５は、ＵＬユーザデータを受信し続ける限り、図２７の（Ａ）に示すような手続きは実施しない。
【０６０４】
ｅＮＢ＿Ａ４５は、ＵＬユーザデータの受信が一定時間ないとの検知に基づき、Ｃ−ＳＧＮ＿Ａ９５にＳ１ＡＰのＵＥコンテキスト無効化メッセージを送信する（Ｓ２７１４）。
【０６０５】
Ｃ−ＳＧＮ＿Ａ９５は、Ｓ１ＡＰのＵＥコンテキスト無効化メッセージを受信する。Ｃ−ＳＧＮ＿Ａ９５は、Ｓ１ＡＰのＵＥコンテキスト無効化メッセージの受信に基づき、Ｃ−ＳＧＮ＿Ａ９５の状態をアイドルモードに遷移する。Ｃ−ＳＧＮ＿Ａ９５は、Ｓ１ＡＰのＵＥコンテキスト無効化メッセージの受信、及び又はＣ−ＳＧＮ＿Ａ９５の状態のアイドルモードへの遷移に基づいて、ｅＮＢ＿Ａ４５にＳ１ＡＰのＵＥコンテキスト無効化応答メッセージを送信する（Ｓ２７１６）。
【０６０６】
ｅＮＢ＿Ａ４５は、ＵＥコンテキスト無効化メッセージの送信、及び又はＵＥコンテキスト無効化応答の受信に基づき、ＵＥ＿Ａ１０にＲＲＣ  Ｃｏｎｎｅｃｔｉｏｎ  Ｓｕｓｐｅｎｄメッセージを送信する（Ｓ２７１８）。
【０６０７】
ｅＮＢ＿Ａ４５は、すくなくともレジュームＩＤをＲＲＣ  Ｃｏｎｎｅｃｔｉｏｎ  Ｓｕｓｐｅｎｄメッセージに含めて送信してもよい。
【０６０８】
ここで、レジュームＩＤは、切断するＤＲＢを識別する識別情報であってよい。より詳細には、レジュームＩＤは、切断するＤＲＢに対応する、ＵＥ＿Ａ１０、及び又はｅＮＢ＿Ａ４５が保持するコンテキストを識別する識別情報であってよい。
【０６０９】
ｅＮＢ＿Ａ４５は、レジュームＩＤをＲＲＣ  Ｃｏｎｎｅｃｔｉｏｎ  Ｓｕｓｐｅｎｄメッセージの送信に基づき、レジュームＩＤによって識別されるＤＲＢを切断する。なお、ｅＮＢ＿Ａ４５は、レジュームＩＤによって識別されるＤＲＢの切断は実施するが、切断されるＤＲＢに対応するコンテキストは削除せずに、保持し続けてもよい。
【０６１０】
ｅＮＢ＿Ａ４５は、レジュームＩＤによって識別されるＤＲＢの切断に基づき、ｅＮＢ＿Ａ４５の状態をアイドルモードに遷移する。
【０６１１】
ＵＥ＿Ａ１０は、ｅＮＢ＿Ａ４５が送信するＲＲＣ  Ｃｏｎｎｅｃｔｉｏｎ  Ｓｕｓｐｅｎｄメッセージを受信する。
【０６１２】
ＵＥ＿Ａ１０は、ＲＲＣ  Ｃｏｎｎｅｃｔｉｏｎ  Ｓｕｓｐｅｎｄメッセージの受信、及び又はＲＲＣ  Ｃｏｎｎｅｃｔｉｏｎ  Ｓｕｓｐｅｎｄメッセージに含まれるレジュームＩＤの受信に基づき、レジュームＩＤによって識別されるＤＲＢを切断する。なお、ＵＥ＿Ａ１０は、レジュームＩＤによって識別されるＤＲＢの切断は実施するが、切断されるＤＲＢに対応するコンテキストは削除せずに、保持し続けてもよい。
【０６１３】
ＵＥ＿Ａ１０は、レジュームＩＤによって識別されるＤＲＢの切断に基づき、ＵＥ＿Ａ１０の状態をアイドルモードに遷移する。
【０６１４】
以上の手続きにより、ＵＥ＿Ａ１０、及び又はｅＮＢ＿Ａ４５、及び又はＣ−ＳＧＮ＿Ａ９５は、ＵＥ＿Ａ１０、及び又はｅＮＢ＿Ａ４５のコンテキストを保持しつつ、ＤＲＢを切断して、アイドルモードに遷移することができる。
【０６１５】
［１．３．３．３．第３の送受信手続き例の説明］
第３の送受信手続き例は、従来の送受信手続きである。
【０６１６】
第３の送受信手続き例は、ＤＲＢを確立した後に、ＵＥ＿Ａ１０がユーザデータを送受信する手続きである。
【０６１７】
第３の送受信手続きは、第２の送受信手続きと同様の手続きであってよい。従って、ここでの詳細な説明は省略する。
【０６１８】
第３の手続きの場合、ＵＥ＿Ａ１０は、第３のメッセージにＮＡＳメッセージ、及び又はレジュームＩＤを含めずに、第５のメッセージにＮＡＳメッセージを含めて送信してもよい。
【０６１９】
さらに、ｅＮＢ＿Ａ４５とＣ−ＳＧＮ＿Ａ９５の間で送受信されるＳ１ＡＰのメッセージは、ＵＥコンテキスト有効化メッセージ、及び又はＵＥコンテキスト有効化応答メッセージに限らず、ＮＡＳメッセージを送受信するものであればよい。
【０６２０】
また、ＵＥ＿Ａ１０は、第５のメッセージに対する応答メッセージの受信に基づき、ＵＬユーザデータを送信してもよい。
【０６２１】
［１．３．３．４．ＵＬユーザデータ送受信手続きの変形例］
上述したＵＬユーザデータ送受信手続き例におけるコアネットワーク＿Ａ９０は、図３を用いて説明したＣ−ＳＧＮ＿Ａ９５を含む構成のコアネットワークの場合のアタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０６２２】
その場合、本手続きで説明したＵＥ＿Ａ１０が送信するＮＡＳメッセージは、Ｃ−ＳＧＮ＿Ａ９５ではなく、ＭＭＥ４５が受信する。
【０６２３】
したがって、これまで説明したＣ−ＳＧＮ＿Ａ９５のＮＡＳメッセージの受信および処理は、ＭＭＥ＿Ａ４０が行うものとして置き換えることができる。
【０６２４】
さらに、これまで説明したＣ−ＳＧＮ＿Ａ９５のＮＡＳメッセージの送信および処理は、ＭＭＥ＿Ａ４０が行うものとして置き換えることができる。
【０６２５】
［１．３．４．デタッチ手続き例］
次に、デタッチ手続きの例について説明する。なお、デタッチ手続きはＵＥ＿Ａ１０、及び又はＣ−ＳＧＮ＿Ａ９５、及び又は、ＨＳＳ＿Ａ５０が主導して開始する手続きであり、ネットワークとの接続を切断するための手続きである。ＵＥ＿Ａ１０、及び又はＣ−ＳＧＮ＿Ａ９５、及び又は、ＨＳＳ＿Ａ５０がデタッチ手続きを開始するトリガは、３ＧＰＰアクセスシステムの電波状態の悪化や、接続性が不安定であることの検出などであってもよい。
【０６２６】
また、これに関わらずＵＥ＿Ａ１０はコアネットワーク＿Ａ９０に接続している状態であれば任意のタイミングで開始もよい。また、Ｃ−ＳＧＮ＿Ａ９５、及び又はＨＳＳ＿Ａ５０は任意のタイミングで開始もよい。
【０６２７】
なお、デタッチ手続きの詳細は、ＵＥ主導のデタッチ手続き例で示す手続きであってよく、ネットワーク主導のデタッチ手続き例で示す手続きであってよい。
【０６２８】
［１．３．４．１．ＵＥ主導のデタッチ手続き例の説明］
ＵＥ＿Ａ１０が主導してＵＥ＿Ａ１０のネットワークへの接続を切断する手続きである。
【０６２９】
以下、図２８を用いてＵＥ主導のデタッチ手続きの手順の例を説明する。
【０６３０】
まず、ＵＥ＿Ａ１０はデタッチ要求メッセージをＣ−ＳＧＮ＿Ａ９５に送信する（Ｓ２８００）。なお、ＵＥ＿Ａ１０はデタッチ要求メッセージをｅＮＢ＿Ａ４５に送信し、送信されたデタッチ要求メッセージはｅＮＢ４５を介してＣ−ＳＧＮ＿Ａ９５に転送されてもよい。
【０６３１】
ＵＥ＿Ａ１０は、すくなくとも第１０の識別情報をデタッチ要求メッセージに含めても良い。ＵＥ＿Ａ１０は、第１０の識別情報を含めてデタッチ要求メッセージを送信することにより、ネットワークとの接続の切断を要求してもよい。
【０６３２】
Ｃ−ＳＧＮ＿Ａ９５は、デタッチ要求メッセージを受信する。さらに、デタッチ要求メッセージの受信に基づいて、第１０の識別情報を取得する。
【０６３３】
Ｃ−ＳＧＮ＿Ａ９５は、デタッチ要求の受信、及び又はデタッチ要求に含まれる第１０の識別情報に基づいて、ＩＰ−ＣＡＮセッション切断手続きを開始してもよい（Ｓ２８０２）。ＩＰ−ＣＡＮセッション切断手続きは、従来手続きと同様であって良いため詳細説明を省略する。
【０６３４】
Ｃ−ＳＧＮ＿Ａ９５は、ＩＰ−ＣＡＮセッション切断手続きの完了に伴い、デタッチ受諾メッセージを、ｅＮＢ＿Ａ４５を介してＵＥ＿Ａ１０に送信する（Ｓ２８０４）。なお、デタッチ受諾メッセージはデタッチ要求メッセージに対する応答メッセージであってよい。
【０６３５】
Ｃ−ＳＧＮ＿Ａ９５は、デタッチ要求の受信及び又は、ＩＰ−ＣＡＮセッション切断手続きの完了及び又は、デタッチ受諾の送信及び又は、デタッチ要求に含まれる第１０の識別情報に基づき、ネットワークとの接続を切断してもよい。より詳細には、Ｃ−ＳＧＮ＿Ａ９５は、ネットワークとの接続に用いたコンテキストを削除することで、ネットワークとの接続を切断してもよい。
【０６３６】
なお、削除するネットワークとの接続に用いたコンテキストは、図１９で示すコンテキストＡ、及び又はコンテキストＢ、及び又はコンテキストＣ、及び又はコンテキストＤ、及び又はコンテキストＥであってよい。
【０６３７】
ＵＥ＿Ａ１０は、Ｃ−ＳＧＮ＿Ａ９５が送信したデタッチ受諾を受信する。
【０６３８】
ＵＥ＿Ａ１０は、デタッチ受諾の受信に基づき、ネットワークとの接続を切断してもよい。より詳細には、ＵＥ＿Ａ１０は、ネットワークとの接続に用いたコンテキストを削除することで、ネットワークとの接続を切断してもよい。
【０６３９】
なお、削除するネットワークとの接続に用いたコンテキストは、図２１の（ｃ）で示す、送受信可能状態に記憶されるＵＥコンテキスト、及び又は（ｄ）で示すベアラごとのＵＥコンテキストであってよい。
【０６４０】
さらに、ＵＥ＿Ａ１０は、デタッチ受諾の受信に基づいて、ｅＮＢ＿Ａ４５との間でシグナリング接続解放手続きを実行してもよい。言い換えると、ｅＮＢ＿Ａ４５は、デタッチ受諾の送信に基づいて、ＵＥ＿Ａ１０との間でシグナリング接続解放手続きを実行してもよい。
【０６４１】
以上の手順により、ＵＥ＿Ａ１０、及び又はＣ−ＳＧＮ＿Ａ９５はネットワークとの接続を切断し、デタッチ手続きを完了する。
【０６４２】
なお、上述したデタッチ手続き例におけるコアネットワーク＿Ａ９０は、図３を用いて説明したＣ−ＳＧＮ＿Ａ９５を含む構成のコアネットワークの場合のデタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０６４３】
その場合、本手続きで説明したＵＥ＿Ａ１０が送信するデタッチ要求メッセージなどのＮＡＳメッセージは、Ｃ−ＳＧＮ＿Ａ９５ではなく、ＭＭＥ４５が受信する。
したがって、これまで説明したＣ−ＳＧＮ＿Ａ９５のＮＡＳメッセージの受信および処理は、ＭＭＥ＿Ａ４０が行うものとして置き換えることができる。
【０６４４】
さらに、これまで説明したＣ−ＳＧＮ＿Ａ９５のデタッチ受諾メッセージなどのＮＡＳメッセージの送信および処理は、ＭＭＥ＿Ａ４０が行うものとして置き換えることができる。
【０６４５】
［１．３．４．２．ネットワーク主導のデタッチ手続き例の説明］
Ｃ−ＳＧＮ＿Ａ９５、及び又はＨＳＳ＿Ａ５０が主導してＵＥ＿Ａ１０のネットワークへの接続を切断する手続きである。
【０６４６】
以下、図５を用いてネットワーク主導のデタッチ手続きの手順の例を説明する。
【０６４７】
まず、ＨＳＳ＿Ａ５０は、Ｃａｎｃｅｌ  ＬｏｃａｔｉｏｎメッセージをＣ−ＳＧＮ＿Ａ９５に送信する（Ｓ２９００）。ＨＳＳ＿Ａ５０は、Ｃａｎｃｅｌ  Ｌｏｃａｔｉｏｎメッセージに第１２の識別情報を含めてもよい。
【０６４８】
Ｃ−ＳＧＮ＿Ａ９５はＣａｎｃｅｌ  Ｌｏｃａｔｉｏｎメッセージを受信する。Ｃ−ＳＧＮ＿Ａ９５は、Ｃａｎｃｅｌ  Ｌｏｃａｔｉｏｎメッセージ、及び又はＣａｎｃｅｌ  Ｌｏｃａｔｉｏｎメッセージに含まれる第１２の識別情報に基づいて、ｅＮＢ＿Ａ４５を介してＵＥ＿Ａ１０にデタッチ要求メッセージを送信する（Ｓ２９０２）。
【０６４９】
また、Ｃ−ＳＧＮ＿Ａ９５は、Ｃａｎｃｅｌ  Ｌｏｃａｔｉｏｎメッセージの受信に基づかず、任意のタイミングでｅＮＢ＿Ａ４５を介してＵＥ＿Ａ１０にデタッチ要求メッセージを送信してもよい。
【０６５０】
Ｃ−ＳＧＮ＿Ａ９５は、すくなくとも第１１の識別情報、及び又は第１２の識別情報をデタッチ要求メッセージに含めても良い。Ｃ−ＳＧＮ＿Ａ９５は、第１１の識別情報、及び又は第１２の識別情報を含めてデタッチ要求メッセージを送信することにより、ネットワークとの接続の切断を要求してもよい。
【０６５１】
Ｃ−ＳＧＮ＿Ａ９５は、Ｃａｎｃｅｌ  Ｌｏｃａｔｉｏｎメッセージの受信、及び又はＣａｎｃｅｌ  Ｌｏｃａｔｉｏｎメッセージに含まれる第１１の識別情報の受信、及び又はデタッチ要求メッセージの送信に基づき、ＨＳＳ＿Ａ５０にＣａｎｃｅｌ  Ｌｏｃａｔｉｏｎ  ＡＣＫメッセージを送信する（Ｓ２９０４）。なお、Ｃａｎｃｅｌ  Ｌｏｃａｔｉｏｎ  ＡＣＫメッセージはＣａｎｃｅｌ  Ｌｏｃａｔｉｏｎメッセージに対する応答メッセージであってよい。
【０６５２】
Ｃ−ＳＧＮ＿Ａ９５は、Ｃａｎｃｅｌ  Ｌｏｃａｔｉｏｎメッセージの受信、及び又はＣａｎｃｅｌ  Ｌｏｃａｔｉｏｎメッセージに含まれる第１１の識別情報の受信、及び又はデタッチ要求メッセージの送信、及び又はＣａｎｃｅｌ  Ｌｏｃａｔｉｏｎ  ＡＣＫメッセージの送信に基づき、ＩＰ−ＣＡＮセッション切断手続きを開始してもよい（Ｓ２９０６）。ＩＰ−ＣＡＮセッション切断手続きは、従来手続きと同様であって良いため詳細説明を省略する。
【０６５３】
ＵＥ＿Ａ１０は、Ｃ−ＳＧＮ＿Ａ９５が送信したデタッチ要求メッセージを受信する。さらに、ＵＥ＿Ａ１０はデタッチ要求メッセージの受信に基づいて、第１１の識別情報、及び又は第１２の識別情報を取得する。
【０６５４】
ＵＥ＿Ａ１０は、デタッチ要求メッセージ、及び又はデタッチ要求メッセージに含まれる第１１の識別情報、及び又は第１２の識別情報の受信に基づいて、デタッチ受諾メッセージを、ｅＮＢ＿Ａ４５を介してＣ−ＳＧＮ＿Ａ９５に送信する（Ｓ２９０８）。なお、デタッチ受諾メッセージはデタッチ要求メッセージに対する応答メッセージであってよい。
【０６５５】
ＵＥ＿Ａ１０は、デタッチ要求の受信及び又は、デタッチ受諾の送信及び又は、デタッチ要求に含まれる第１１の識別情報、及び又は第１２の識別情報に基づき、ネットワークとの接続を切断してもよい。より詳細には、ＵＥ＿Ａ１０は、ネットワークとの接続に用いたコンテキストを削除することで、ネットワークとの接続を切断してもよい。
【０６５６】
なお、削除するネットワークとの接続に用いたコンテキストは、図２１の（ｃ）で示す、送受信可能状態に記憶されるＵＥコンテキスト、及び又は（ｄ）で示すベアラごとのＵＥコンテキストであってよい。
【０６５７】
Ｃ−ＳＧＮ＿Ａ９５は、ＵＥ＿Ａ１０が送信したデタッチ受諾を受信する。
【０６５８】
Ｃ−ＳＧＮ＿Ａ９５は、デタッチ受諾の受信。及び又はＩＰ−ＣＡＮセッション切断手続きの完了、及び又はＣａｎｃｅｌ  Ｌｏｃａｔｉｏｎ  ＡＣＫメッセージの送信に基づき、ネットワークとの接続を切断してもよい。より詳細には、Ｃ−ＳＧＮ＿Ａ９５は、ネットワークとの接続に用いたコンテキストを削除することで、ネットワークとの接続を切断してもよい。
【０６５９】
なお、削除するネットワークとの接続に用いたコンテキストは、図１９で示すコンテキストＡ、及び又はコンテキストＢ、及び又はコンテキストＣ、及び又はコンテキストＤ、及び又はコンテキストＥであってよい。
【０６６０】
さらに、ＵＥ＿Ａ１０は、デタッチ受諾の送信に基づいて、ｅＮＢ＿Ａ４５との間でシグナリング接続解放手続きを実行してもよい。言い換えると、ｅＮＢ＿Ａ４５は、デタッチ受諾の受信に基づいて、ＵＥ＿Ａ１０との間でシグナリング接続解放手続きを実行してもよい。
【０６６１】
以上の手順により、ＵＥ＿Ａ１０、及び又はＣ−ＳＧＮ＿Ａ９５はネットワークとの接続を切断し、デタッチ手続きを完了する。
【０６６２】
［１．３．４．３．デタッチ手続きの変形例］
なお、上述したデタッチ手続き例におけるコアネットワーク＿Ａ９０は、図３を用いて説明したＣ−ＳＧＮ＿Ａ９５を含む構成のコアネットワークの場合のデタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０６６３】
その場合、本手続きで説明したＵＥ＿Ａ１０が送信するデタッチ要求メッセージなどのＮＡＳメッセージは、Ｃ−ＳＧＮ＿Ａ９５ではなく、ＭＭＥ４５が受信する。
【０６６４】
したがって、これまで説明したＣ−ＳＧＮ＿Ａ９５のＮＡＳメッセージの受信および処理は、ＭＭＥ＿Ａ４０が行うものとして置き換えることができる。
【０６６５】
さらに、これまで説明したＣ−ＳＧＮ＿Ａ９５のデタッチ受諾メッセージなどのＮＡＳメッセージの送信および処理は、ＭＭＥ＿Ａ４０が行うものとして置き換えることができる。
【０６６６】
［２．変形例］
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０６６７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０６６８】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
９５  Ｃ−ＳＧＮ＿Ａ
１００  ＣＩＯＴ  ＡＮ＿Ａ
【図１】
2019004197.tif 000003
【図２】
2019004197.tif 000004
【図３】
2019004197.tif 000005
【図４】
2019004197.tif 000006
【図５】
2019004197.tif 000007
【図６】
2019004197.tif 000008
【図７】
2019004197.tif 000009
【図８】
2019004197.tif 000010
【図９】
2019004197.tif 000011
【図１０】
2019004197.tif 000012
【図１１】
2019004197.tif 000013
【図１２】
2019004197.tif 000014
【図１３】
2019004197.tif 000015
【図１４】
2019004197.tif 000016
【図１５】
2019004197.tif 000017
【図１６】
2019004197.tif 000018
【図１７】
2019004197.tif 000019
【図１８】
2019004197.tif 000020
【図１９】
2019004197.tif 000021
【図２０】
2019004197.tif 000022
【図２１】
2019004197.tif 000023
【図２２】
2019004197.tif 000024
【図２３】
2019004197.tif 000025
【図２４】
2019004197.tif 000026
【図２５】
2019004197.tif 000027
【図２６】
2019004197.tif 000028
【図２７】
2019004197.tif 000029
【図２８】
2019004197.tif 000030